(57)【要約】  本発明は、新しい無線通信システムのＰＵＣＣＨ送信シーンをサポートする明確な方法または装置が存在しないという技術的問題を解決するために、ＰＵＣＣＨ送信方法、ユーザ機器および装置を提供する。ここで、ＰＵＣＣＨ送信方法は、取得された指示シグナリングに基づいて、ＰＵＣＣＨ送信で使用されるアップリンクビーム（ｂｅａｍ）を決定するステップと、決定されたアップリンクビームによりＰＵＣＣＨ送信を実行するステップとを備える。
2020530718.tif 000002
【特許請求の範囲】
【請求項１】
取得された指示シグナリングに基づいて、ＰＵＣＣＨ送信で使用されるアップリンクビーム（ｂｅａｍ）を決定するステップと、
決定されたアップリンクビームによりＰＵＣＣＨ送信を実行するステップとを備えることを特徴とする物理アップリンク制御チャネル（ＰＵＣＣＨ）送信方法。
【請求項２】
取得された指示シグナリングに基づいて、ＰＵＣＣＨ送信で使用されるアップリンクビームを決定する場合、
取得された指示シグナリングに基づいて、ビームペアリンケージ（ＢＰＬ）を決定し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
決定されたアップリンクビームによりＰＵＣＣＨ送信を実行する場合、
前記ＢＰＬに対応するアップリンクビームによりＰＵＣＣＨ送信を実行し、または、前記ＢＰＬに基づいて、前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行することを特徴とする請求項１に記載の物理アップリンク制御チャネル（ＰＵＣＣＨ）送信方法。
【請求項３】
取得された指示シグナリングに基づいて、ＰＵＣＣＨ送信で使用されるアップリンクビームを決定する場合、
取得された指示シグナリングに基づいて、ＰＵＣＣＨ送信のアップリンクビームをマークするためのビームインデックス（ｂｅａｍ ｉｎｄｅｘ）を決定し、
決定されたアップリンクビームによりＰＵＣＣＨ送信を実行する場合、
前記ビームインデックスに対応するアップリンクビームによりＰＵＣＣＨ送信を実行することを特徴とする請求項１に記載の物理アップリンク制御チャネル（ＰＵＣＣＨ）送信方法。
【請求項４】
取得された指示シグナリングに基づいて、ＰＵＣＣＨ送信で使用されるアップリンクビームを決定する場合、
取得された指示シグナリングに基づいて、前記ＰＵＣＣＨのＤＭＲＳポートと、第１の基準信号のリソース上のすべてのポートまたは指定されたポートとの間のＱＣＬ関係を決定し、
決定されたアップリンクビームによりＰＵＣＣＨ送信を実行する場合、
前記ＱＣＬ関係によりＰＵＣＣＨ送信を実行することを特徴とする請求項１に記載の物理アップリンク制御チャネル（ＰＵＣＣＨ）送信方法。
【請求項５】
取得された指示シグナリングに基づいて、前記ＰＵＣＣＨのＤＭＲＳポートと、第１の基準信号のリソース上のすべてのポートまたは指定されたポートとの間のＱＣＬ関係を決定し、前記ＱＣＬ関係によりＰＵＣＣＨ送信を実行する場合、
取得された指示シグナリングに基づいて、事前設定された複数の第１の基準信号リソースの中の１つの第１の基準信号リソースを決定し、
前記ＰＵＣＣＨのＤＭＲＳポートと、前記決定された１つの第１の基準信号リソース上のポート具有ＱＣＬ関係とがＱＣＬ関係を有すると決定し、
前記ＱＣＬ関係によりＰＵＣＣＨ送信を実行し、
または、
取得された指示シグナリングに基づいて、事前設定された複数の第１の基準信号リソースの中の１つの第１の基準信号リソースおよび前記１つの第１の基準信号リソース上の少なくとも１つのポートを決定し、
前記ＰＵＣＣＨのＤＭＲＳポートと、前記決定された１つの第１の基準信号リソース上の前記少なくとも１つのポートとがＱＣＬ関係を有すると決定し、
前記ＱＣＬ関係によりＰＵＣＣＨ送信を実行することを特徴とする請求項４に記載の物理アップリンク制御チャネル（ＰＵＣＣＨ）送信方法。
【請求項６】
取得された指示シグナリングに基づいて、ＰＵＣＣＨ送信で使用されるアップリンクビームを決定する場合、
取得された高位層シグナリングに基づいて、ＰＵＣＣＨ送信で使用されるアップリンクビームを決定することを特徴とする請求項１から請求項５のいずれか１項に記載の物理アップリンク制御チャネル（ＰＵＣＣＨ）送信方法。
【請求項７】
取得された高位層シグナリングに基づいて、ＰＵＣＣＨ送信で使用されるアップリンクビームを決定する場合、
前記高位層シグナリングによって１つのアップリンクビームのみを通知し、取得された高位層シグナリングに基づいて、前記高位層シグナリングによって通知された１つのアップリンクビームを使用してＰＵＣＣＨ送信を実行することを決定することを特徴とする請求項６に記載の物理アップリンク制御チャネル（ＰＵＣＣＨ）送信方法。
【請求項８】
取得された高位層シグナリングに基づいて、ＰＵＣＣＨ送信で使用されるアップリンクビームを決定する場合、
前記高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応するとき、
第１のアップリンクビームがＰＵＣＣＨ送信に使用されることを決定し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームが以下の動作に使用されると決定し：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および、前記第２のアップリンクビームが以下の動作に使用されると決定し：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームが以下の動作に使用されると決定し：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｙを使用するＰＤＣＣＨおよび／またはＰＤＳＣＨのみを受信し、前記ダウンリンクビーム−ｙが前記高位層シグナリングによって通知された複数のアップリンクビームの中の第２のアップリンクビームに対応すると、
前記第２のアップリンクビームがＰＵＣＣＨ送信に使用されると決定し、または、
第１のアップリンクビームがＰＵＣＣＨ送信に使用されることを決定し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶことを特徴とする請求項６に記載の物理アップリンク制御チャネル（ＰＵＣＣＨ）送信方法。
【請求項９】
取得された指示シグナリングに基づいて、ＰＵＣＣＨ送信で使用されるアップリンクビームを決定する場合、
ＰＤＣＣＨから受信された指示シグナリングに基づいて、ＰＵＣＣＨ送信で使用されるアップリンクビームを決定することを特徴とする請求項１から請求項５のいずれか１項に記載の物理アップリンク制御チャネル（ＰＵＣＣＨ）送信方法。
【請求項１０】
前記ＰＤＣＣＨに対応するＡＣＫ/ＮＡＣＫはＰＵＣＣＨで運ばれ、前記ＰＤＣＣＨは、リリースされるダウンリンク半持続的スケジューリング（Ｓｅｍｉ−ｐｅｒｓｉｓｔｅｎｔ Ｓｃｈｅｄｕｌｉｎｇ,ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨであることを特徴とする請求項９に記載の物理アップリンク制御チャネル（ＰＵＣＣＨ）送信方法。
【請求項１１】
複数の前記ＰＤＣＣＨを受信し、複数の前記ＰＤＣＣＨと関連するＡＣＫ/ＮＡＣＫフィードバックが同時に送信される場合、以下の方式のいずれかまたは組み合わせが使用される：
方式１：
前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
決定されたアップリンクビームにより、同一のＰＵＣＣＨにおいて、前記複数のＰＤＣＣＨと関連するＡＣＫ/ＮＡＣＫを送信し、
方式２：
前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
決定されたアップリンクビームにより、同一のＰＵＣＣＨにおいて、前記複数のＰＤＣＣＨと関連するＡＣＫ/ＮＡＣＫを送信し、
方式３：
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、前記複数のＰＤＣＣＨと関連するＡＣＫ/ＮＡＣＫを送信することを特徴とする請求項９または請求項１０に記載の物理アップリンク制御チャネル（ＰＵＣＣＨ）送信方法。
【請求項１２】
ＰＵＣＣＨ送信で使用されるアップリンクビームとして前記少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、
前記少なくとも１つのアップリンクビームに前記メインセルに対応するアップリンクビームが含まれていないとき、補助セルに対応するアップリンクビームをＰＵＣＣＨ送信で使用されるアップリンクビームとすることを特徴とする請求項１１に記載の物理アップリンク制御チャネル（ＰＵＣＣＨ）送信方法。
【請求項１３】
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループであることを特徴とする請求項１３に記載の物理アップリンク制御チャネル（ＰＵＣＣＨ）送信方法。
【請求項１４】
複数のダウンリンクビームと複数のアップリンクビームが複数のグループに分割され、同じグループのダウンリンクビームを使用するＰＤＣＣＨの指示シグナリングが同じグループのアップリンクビームを示す場合、
ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じであることを特徴とする請求項９または請求項１０に記載の物理アップリンク制御チャネル（ＰＵＣＣＨ）送信方法。
【請求項１５】
取得された指示シグナリングに基づいて、ＰＵＣＣＨ送信で使用されるアップリンクビームを決定する場合、
高位層シグナリングにより、１つのダウンリンクメインビームを事前に設定し、前記１つのダウンリンクメインビームに基づいて１つのアップリンクメインビームを決定し、ＰＵＣＣＨ送信で使用されるアップリンクビームとして前記１つのアップリンクメインビームを決定し、
または、
高位層シグナリングにより、１つのメインビームペアを事前設定し、前記メインビームペアは、１つのアップリンクメインビームおよび１つのダウンリンクメインビームを含み、ＰＵＣＣＨ送信で使用されるアップリンクビームとして前記１つのメインビームペア内のアップリンクメインビームを決定し、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、前記第１のビームグループに対応する第１のアップリンクメインビームがＰＵＣＣＨ送信に使用されると決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、前記第２のビームグループ内のダウンリンクビームを使用して送信されたＰＤＣＣＨおよび／またはＰＤＳＣＨと関連するＡＣＫ/ＮＡＣＫと、前記第１のビームグループ内のダウンリンクビームを使用して送信されたＰＤＣＣＨおよび／またはＰＤＳＣＨと関連するＡＣＫ/ＮＡＣＫとが同時に送信される場合、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信することを決定し、また、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信することを決定し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫを運ぶＰＵＣＣＨおよび前記第２のビームグループ内のビームを使用して送信されたＰＤＣＣＨおよび／またはＰＤＳＣＨと関連するＡＣＫ/ＮＡＣＫを運ぶＰＵＣＣＨを送信することを、決定し、 
または、
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、前記第２のビームグループに対応する第２のアップリンクメインビームがＰＵＣＣＨ送信に使用されると決定し、または、前記第１のビームグループに対応する第１のアップリンクメインビームがＰＵＣＣＨ送信に使用されると決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶことを特徴とする請求項１から請求項５のいずれか１項に記載の物理アップリンク制御チャネル（ＰＵＣＣＨ）送信方法。
【請求項１６】
指示シグナリングを送信し、前記指示シグナリングは、ＰＵＣＣＨ送信で使用されるアップリンクビームを決定するために端末によって使用され、
前記指示シグナリングに基づいて決定されたアップリンクビームに従って、前記端末がＰＵＣＣＨを送信することを決定することを特徴とする物理アップリンク制御チャネル（ＰＵＣＣＨ）送信方法。
【請求項１７】
指示シグナリングを送信し、前記指示シグナリングによって、端末が、ＰＵＣＣＨ送信で使用されるアップリンクビームを決定する場合、
前記指示シグナリングによって、ビームペアリンケージ（Ｂｅａｍ  Ｐａｉｒ  Ｌｉｎｋａｇｅ，ＢＰＬ）を示し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記指示シグナリングに基づいて決定されたアップリンクビームに従って、前記端末がＰＵＣＣＨを送信することを決定する場合、
前記端末が前記ＢＰＬに対応するアップリンクビームによりＰＵＣＣＨ送信を実行すると決定し、または、前記端末が、前記ＢＰＬに基づいて前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行と、決定することを特徴とする請求項１６に記載の物理アップリンク制御チャネル（ＰＵＣＣＨ）送信方法。
【請求項１８】
指示シグナリングを送信し、前記指示シグナリングによって、端末が、ＰＵＣＣＨ送信で使用されるアップリンクビームを決定する場合、
前記指示シグナリングは、ＰＵＣＣＨ送信のアップリンクビームをマークするためのビームインデックス（ｂｅａｍ ｉｎｄｅｘ）を指示し、
前記指示シグナリングに基づいて決定されたアップリンクビームに従って、前記端末がＰＵＣＣＨを送信することを決定する場合、
前記端末が、前記ビームインデックスに対応するアップリンクビームによりＰＵＣＣＨ送信を実行すると決定することを特徴とする請求項１６に記載の物理アップリンク制御チャネル（ＰＵＣＣＨ）送信方法。
【請求項１９】
指示シグナリングを送信し、前記指示シグナリングによって、端末が、ＰＵＣＣＨ送信で使用されるアップリンクビームを決定する場合、
前記指示シグナリングにより、ＰＵＣＣＨのＤＭＲＳポートと、第１の基準信号のリソース上のすべてのポートまたは指定されたポートとの間のＱＣＬ関係を、示し、
前記指示シグナリングに基づいて決定されたアップリンクビームに従って、前記端末がＰＵＣＣＨを送信することを決定する場合、
前記端末が、前記ＱＣＬ関係によりＰＵＣＣＨ送信を実行すると決定することを特徴とする請求項１６に記載の物理アップリンク制御チャネル（ＰＵＣＣＨ）送信方法。
【請求項２０】
前記指示シグナリングにより、ＰＵＣＣＨのＤＭＲＳポートと、第１の基準信号のリソース上のすべてのポートまたは指定されたポートとの間のＱＣＬ関係を示し、前記ＱＣＬ関係によりＰＵＣＣＨ送信を実行する場合、
前記指示シグナリングにより、事前設定された複数の第１の基準信号リソースの中の１つの第１の基準信号リソースを示し、
前記端末が、ＰＵＣＣＨのＤＭＲＳポートと前記１つの第１の基準信号リソース上のポートとの間のＱＣＬ関係に基づいて、ＰＵＣＣＨ送信を実行すると決定し、
または、
前記指示シグナリにより、事前設定された複数の第１の基準信号リソースの中の１つの第１の基準信号リソース上の少なくとも１つのポートを示し、
前記端末が、ＰＵＣＣＨのＤＭＲＳポートと前記１つの第１の基準信号リソース上の前記少なくとも１つのポートとの間のＱＣＬ関係に基づいて、ＰＵＣＣＨ送信を実行すると決定することを特徴とする請求項１９に記載の物理アップリンク制御チャネル（ＰＵＣＣＨ）送信方法。
【請求項２１】
指示シグナリングを送信し、前記指示シグナリングによって、端末が、ＰＵＣＣＨ送信で使用されるアップリンクビームを決定する場合、
高位層シグナリングにより前記指示シグナリングを送信することを特徴とする請求項１から請求項２０のいずれか１項に記載の物理アップリンク制御チャネル（ＰＵＣＣＨ）送信方法。
【請求項２２】
高位層シグナリングにより前記指示シグナリングを送信する場合、
前記高位層シグナリングによって１つのアップリンクビームのみを通知し、前記端末が前記高位層シグナリングによって通知された１つのアップリンクビームＰＵＣＣＨ送信を実行すると決定することを特徴とする請求項２１に記載の物理アップリンク制御チャネル（ＰＵＣＣＨ）送信方法。
【請求項２３】
高位層シグナリングにより前記指示シグナリングを送信する場合、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリングによって通知された複数のビームの中の第１のアップリンクビームに対応するとき、
前記第１のアップリンクビームを使用してＰＵＣＣＨ送信を実行し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームを使用して次の操作を実行する：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、前記第２のアップリンクビームを使用して次の操作を実行する：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームを使用して次の操作を実行する：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｙを使用するＰＤＣＣＨおよび／またはＰＤＳＣＨのみを受信すると決定し、前記ダウンリンクビーム−ｙが前記高位層シグナリングによって通知された複数のアップリンクビームの中の第２のアップリンクビームに対応すると、
前記第２のアップリンクビームを使用してＰＵＣＣＨ送信を実行し、または、
前記第１のアップリンクビームを使用してＰＵＣＣＨ送信を実行し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶ、ことを特徴とする請求項２１に記載の物理アップリンク制御チャネル（ＰＵＣＣＨ）送信方法。
【請求項２４】
指示シグナリングを送信し、前記指示シグナリングによって、端末が、ＰＵＣＣＨ送信で使用されるアップリンクビームを決定する場合、
ＰＤＣＣＨにより前記指示シグナリングを送信することを特徴とする請求項１６から請求項２０のいずれか１項に記載の物理アップリンク制御チャネル（ＰＵＣＣＨ）送信方法。
【請求項２５】
前記ＰＤＣＣＨに対応するＡＣＫ/ＮＡＣＫはＰＵＣＣＨで運ばれ、前記ＰＤＣＣＨは、リリースされるダウンリンク半持続的スケジューリング（ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨであることを特徴とする請求項２４に記載の物理アップリンク制御チャネル（ＰＵＣＣＨ）送信方法。
【請求項２６】
前記端末が複数の前記ＰＤＣＣＨを受信すると決定し、複数の前記ＰＤＣＣＨと関連するＡＣＫ/ＮＡＣＫフィードバックが同時に送信される場合、以下の方式のいずれかまたは組み合わせが使用される：
方式１：
前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
決定されたアップリンクビームにより、同一のＰＵＣＣＨにおいて、前記複数のＰＤＣＣＨと関連するＡＣＫ/ＮＡＣＫを送信し、
方式２：
前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
決定されたアップリンクビームにより、同一のＰＵＣＣＨにおいて、前記複数のＰＤＣＣＨと関連するＡＣＫ/ＮＡＣＫを送信し、
方式３：
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、前記複数のＰＤＣＣＨと関連するＡＣＫ/ＮＡＣＫを送信することを特徴とする請求項２４または請求項２５に記載の物理アップリンク制御チャネル（ＰＵＣＣＨ）送信方法。
【請求項２７】
ＰＵＣＣＨ送信で使用されるアップリンクビームとして前記少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとすることを特徴とする請求項２６に記載の物理アップリンク制御チャネル（ＰＵＣＣＨ）送信方法。
【請求項２８】
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループであることを特徴とする請求項２６に記載の物理アップリンク制御チャネル（ＰＵＣＣＨ）送信方法。
【請求項２９】
複数のダウンリンクビームと複数のアップリンクビームが複数のグループに分割され、同じグループのダウンリンクビームを使用するＰＤＣＣＨの指示シグナリングが同じグループのアップリンクビームを示す場合、複前記端末は、以下のプロセスを実行することを決定する：
同じグループのダウンリンクビームを使用して受信されたＰＤＣＣＨの指示シグナリングの指示内容が同じであると判断し、
ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じであることを特徴とする請求項２４または請求項２５に記載の物理アップリンク制御チャネル（ＰＵＣＣＨ）送信方法。
【請求項３０】
指示シグナリングを送信し、前記指示シグナリングによって、端末が、ＰＵＣＣＨ送信で使用されるアップリンクビームを決定する場合、
高位層シグナリングにより、１つのダウンリンクメインビームを事前に設定し、端末がダウンリンクメインビームに基づいて１つのアップリンクメインビームを決定し、ＰＵＣＣＨ送信で使用されるアップリンクビームとしてアップリンクメインビームを取ることを決定し、
または、
高位層シグナリングにより、１つのメインビームペアを事前設定し、前記メインビームペアは、１つのアップリンクメインビームおよび１つのダウンリンクメインビームを含み、前記端末が前記１つのメインビームペアのアップリンクメインビームをＰＵＣＣＨ送信で使用されるアップリンクビームとして使用することを決定し、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨを受信する場合、前記第１のビームグループに対応する第１のアップリンクメインビームを使用してＰＵＣＣＨ送信を実行することを決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨ、および第２のビームグループ内のダウンリンクビームを使用して送信されたＰＤＣＣＨおよび／またはＰＤＳＣＨを受信する場合、前記第２のビームグループ内のダウンリンクビームを使用して送信されたＰＤＣＣＨおよび／またはＰＤＳＣＨと関連するＡＣＫ/ＮＡＣＫおよび前記第１のビームグループ内のダウンリンクビームを使用して送信されたＰＤＣＣＨおよび／またはＰＤＳＣＨと関連するＡＣＫ/ＮＡＣＫが同時に送信されることを決定すると、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信し、または、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫ、および前記第２のビームグループ内のビームを使用して送信されたＰＤＣＣＨおよび／またはＰＤＳＣＨと関連するＡＣＫ/ＮＡＣＫを送信し、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第２のビームグループ内のダウンリンクビームを使用して送信されたＰＤＣＣＨおよび／またはＰＤＳＣＨのみを受信する場合、前記第２のビームグループに対応する第２のアップリンクメインビームを使用してＰＵＣＣＨ送信を実行し、または、前記第１のビームグループに対応する第１のアップリンクメインビームを使用してＰＵＣＣＨ送信を実行することを決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶことを特徴とする請求項１６から請求項２０のいずれか１項に記載の物理アップリンク制御チャネル（ＰＵＣＣＨ）送信方法。
【請求項３１】
取得された指示シグナリングに基づいて、ＰＵＣＣＨ送信で使用されるアップリンクビーム（ｂｅａｍ）を決定するように構成された決定ユニットと、
決定されたアップリンクビームによりＰＵＣＣＨ送信を実行するように構成された送信ユニットとを備えることを特徴とするユーザ機器。
【請求項３２】
前記決定ユニットは、取得された指示シグナリングに基づいて、ビームペアリンケージ（ＢＰＬ）を決定し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記送信ユニットは、前記ＢＰＬに対応するアップリンクビームによりＰＵＣＣＨ送信を実行し、または、前記ＢＰＬに基づいて、前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行することを特徴とする請求項３１に記載のユーザ機器。
【請求項３３】
前記決定ユニットは、取得された指示シグナリングに基づいて、ＰＵＣＣＨ送信のアップリンクビームをマークするためのビームインデックス（ｂｅａｍ ｉｎｄｅｘ）を決定し、
前記送信ユニットは、前記ビームインデックスに対応するアップリンクビームによりＰＵＣＣＨ送信を実行することを特徴とする請求項３１に記載のユーザ機器。
【請求項３４】
前記決定ユニットは、取得された指示シグナリングに基づいて、前記ＰＵＣＣＨのＤＭＲＳポートと、第１の基準信号のリソース上のすべてのポートまたは指定されたポートとの間のＱＣＬ関係を決定し、
前記送信ユニットは、前記ＱＣＬ関係によりＰＵＣＣＨ送信を実行することを特徴とする請求項３１に記載のユーザ機器。
【請求項３５】
前記決定ユニットは、取得された指示シグナリングに基づいて、事前設定された複数の第１の基準信号リソースの中の１つの第１の基準信号リソースを決定し、前記ＰＵＣＣＨのＤＭＲＳポートと、前記決定された１つの第１の基準信号リソース上のポート具有ＱＣＬ関係とがＱＣＬ関係を有すると決定し、
前記送信ユニットは、前記ＱＣＬ関係によりＰＵＣＣＨ送信を実行し、
または、
前記決定ユニットは、取得された指示シグナリングに基づいて、事前設定された複数の第１の基準信号リソースの中の１つの第１の基準信号リソースおよび前記１つの第１の基準信号リソース上の少なくとも１つのポートを決定し、前記ＰＵＣＣＨのＤＭＲＳポートと、前記決定された１つの第１の基準信号リソース上の前記少なくとも１つのポートとがＱＣＬ関係を有すると決定し、
前記送信ユニットは、前記ＱＣＬ関係によりＰＵＣＣＨ送信を実行することを特徴とする請求項３４に記載のユーザ機器。
【請求項３６】
取得された指示シグナリングに基づいて、ＰＵＣＣＨ送信で使用されるアップリンクビームを決定する場合、
取得された高位層シグナリングに基づいて、ＰＵＣＣＨ送信で使用されるアップリンクビームを決定することを特徴とする請求項３１から請求項３５のいずれか１項に記載のユーザ機器。
【請求項３７】
前記高位層シグナリングによって１つのアップリンクビームのみを通知し、前記決定ユニットは、取得された高位層シグナリングに基づいて、前記高位層シグナリングによって通知された１つのアップリンクビームを使用してＰＵＣＣＨ送信を実行することを決定することを特徴とする請求項３６に記載のユーザ機器。
【請求項３８】
前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応するとき、
第１のアップリンクビームがＰＵＣＣＨ送信に使用されることを決定し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームが以下の動作に使用されると決定し：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および、前記第２のアップリンクビームが以下の動作に使用されると決定し：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームが以下の動作に使用されると決定し：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｙを使用するＰＤＣＣＨおよび／またはＰＤＳＣＨのみを受信し、前記ダウンリンクビーム−ｙが前記高位層シグナリングによって通知された複数のアップリンクビームの中の第２のアップリンクビームに対応すると、
前記第２のアップリンクビームがＰＵＣＣＨ送信に使用されると決定し、または、
第１のアップリンクビームがＰＵＣＣＨ送信に使用されることを決定し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶことを特徴とする請求項３６に記載のユーザ機器。
【請求項３９】
前記決定ユニットは、ＰＤＣＣＨから受信された指示シグナリングに基づいて、ＰＵＣＣＨ送信で使用されるアップリンクビームを決定することを特徴とする請求項３１から請求項３５のいずれか１項に記載のユーザ機器。
【請求項４０】
前記ＰＤＣＣＨに対応するＡＣＫ/ＮＡＣＫはＰＵＣＣＨで運ばれ、前記ＰＤＣＣＨは、リリースされるダウンリンク半持続的スケジューリング（ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨであることを特徴とする請求項３９に記載のユーザ機器。
【請求項４１】
複数の前記ＰＤＣＣＨを受信し、複数の前記ＰＤＣＣＨと関連するＡＣＫ/ＮＡＣＫフィードバックが同時に送信される場合、以下の方式のいずれかまたは組み合わせが使用される：
方式１：
前記決定ユニットは、前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
前記送信ユニットは、決定されたアップリンクビームにより、同一のＰＵＣＣＨにおいて、前記複数のＰＤＣＣＨと関連するＡＣＫ/ＮＡＣＫを送信し、
方式２：
前記決定ユニットは、前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
前記送信ユニットは、決定されたアップリンクビームにより、同一のＰＵＣＣＨにおいて、前記複数のＰＤＣＣＨと関連するＡＣＫ/ＮＡＣＫを送信し、
方式３：
前記決定ユニットは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
前記送信ユニットは、決定されたアップリンクビームにより、同一のＰＵＣＣＨにおいて、前記複数のＰＤＣＣＨと関連するＡＣＫ/ＮＡＣＫを送信することを特徴とする請求項３９または請求項４０に記載のユーザ機器。
【請求項４２】
前記決定ユニットは、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとすることを特徴とする請求項４１に記載のユーザ機器。
【請求項４３】
前記決定ユニットは、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループであることを特徴とする請求項４１に記載のユーザ機器。
【請求項４４】
前記決定ユニットは、複数のダウンリンクビームと複数のアップリンクビームが複数のグループに分割され、同じグループのダウンリンクビームを使用するＰＤＣＣＨの指示シグナリングが同じグループのアップリンクビームを示す場合、
同じグループのダウンリンクビームを使用して受信されたＰＤＣＣＨの指示シグナリングの指示内容が同じであると判断し、
前記送信ユニットは、ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
前記送信ユニットは、ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じであることを特徴とする請求項３９または請求項４０に記載のユーザ機器。
【請求項４５】
前記送信ユニットは、
高位層シグナリングにより、１つのダウンリンクメインビームを事前に設定し、前記１つのダウンリンクメインビームに基づいて１つのアップリンクメインビームを決定し、ＰＵＣＣＨ送信で使用されるアップリンクビームとして前記１つのアップリンクメインビームを決定し、
または、
高位層シグナリングにより、１つのメインビームペアを事前設定し、前記メインビームペアは、１つのアップリンクメインビームおよび１つのダウンリンクメインビームを含み、ＰＵＣＣＨ送信で使用されるアップリンクビームとして前記１つのメインビームペア内のアップリンクメインビームを決定し、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、前記第１のビームグループに対応する第１のアップリンクメインビームがＰＵＣＣＨ送信に使用されると決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、前記第２のビームグループ内のダウンリンクビームを使用して送信されたＰＤＣＣＨおよび／またはＰＤＳＣＨと関連するＡＣＫ/ＮＡＣＫと、前記第１のビームグループ内のダウンリンクビームを使用して送信されたＰＤＣＣＨおよび／またはＰＤＳＣＨと関連するＡＣＫ/ＮＡＣＫとが同時に送信される場合、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信することを決定し、また、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信することを決定し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫを運ぶＰＵＣＣＨおよび前記第２のビームグループ内のビームを使用して送信されたＰＤＣＣＨおよび／またはＰＤＳＣＨと関連するＡＣＫ/ＮＡＣＫを運ぶＰＵＣＣＨを送信することを、決定し、
または、
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、前記第２のビームグループに対応する第２のアップリンクメインビームがＰＵＣＣＨ送信に使用されると決定し、または、前記第１のビームグループに対応する第１のアップリンクメインビームがＰＵＣＣＨ送信に使用されると決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶことを特徴とする請求項４１から請求項４５のいずれか１項に記載のユーザ機器。
【請求項４６】
指示シグナリングを送信するように構成された送信ユニットであって、前記指示シグナリングは、ＰＵＣＣＨ送信で使用されるアップリンクビームを決定するために端末によって使用される前記送信ユニットと、
前記指示シグナリングに基づいて決定されたアップリンクビームに従って、前記端末がＰＵＣＣＨを送信することを決定するように構成された決定ユニットとを備えることを特徴とする装置。
【請求項４７】
前記指示シグナリングによって、ビームペアリンケージ（Ｂｅａｍ  Ｐａｉｒ  Ｌｉｎｋａｇｅ，ＢＰＬ）を示し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記決定ユニットは、前記端末が前記ＢＰＬに対応するアップリンクビームによりＰＵＣＣＨ送信を実行すると決定し、または、前記端末が、前記ＢＰＬに基づいて前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行と、決定することを特徴とする請求項４６に記載の装置。
【請求項４８】
前記指示シグナリングは、ＰＵＣＣＨ送信のアップリンクビームをマークするためのビームインデックス（ｂｅａｍ ｉｎｄｅｘ）を指示し、
前記決定ユニットは、前記端末が、前記ビームインデックスに対応するアップリンクビームによりＰＵＣＣＨ送信を実行すると決定することを特徴とする請求項４６に記載の装置。
【請求項４９】
前記指示シグナリングにより、ＰＵＣＣＨのＤＭＲＳポートと、第１の基準信号のリソース上のすべてのポートまたは指定されたポートとの間のＱＣＬ関係を、示し、
前記決定ユニットは、前記端末が、前記ＱＣＬ関係によりＰＵＣＣＨ送信を実行すると決定することを特徴とする請求項４６に記載の装置。
【請求項５０】
前記決定ユニットは、
前記指示シグナリングにより事前設定された複数の第１の基準信号リソースの中の１つの第１の基準信号リソースを示すとき、前記端末が、ＰＵＣＣＨのＤＭＲＳポートと前記１つの第１の基準信号リソース上のポートとの間のＱＣＬ関係に基づいて、ＰＵＣＣＨ送信を実行すると決定し、
または、
前記指示シグナリングにより事前設定された複数の第１の基準信号リソースの中の１つの第１の基準信号リソース上の少なくとも１つのポートを示すとき、前記端末が、ＰＵＣＣＨのＤＭＲＳポートと前記１つの第１の基準信号リソース上の前記少なくとも１つのポートとの間のＱＣＬ関係に基づいて、ＰＵＣＣＨ送信を実行すると決定することを特徴とする請求項４９に記載の装置。
【請求項５１】
前記送信ユニットは高位層シグナリングにより前記指示シグナリングを送信することを特徴とする請求項４６から請求項５０のいずれか１項に記載の装置。
【請求項５２】
前記決定ユニットは、前記高位層シグナリングにより１つのみのアップリンクビームを示すとき、前記端末が前記高位層シグナリングによって通知された１つのアップリンクビームＰＵＣＣＨ送信を実行すると決定することを特徴とする請求項５１に記載の装置。
【請求項５３】
前記送信ユニットは、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリングによって通知された複数のビームの中の第１のアップリンクビームに対応するとき、
前記第１のアップリンクビームを使用してＰＵＣＣＨ送信を実行し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームを使用して次の操作を実行する：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および前記第２のアップリンクビームを使用して次の操作を実行する：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームを使用して次の操作を実行する：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｙを使用するＰＤＣＣＨおよび／またはＰＤＳＣＨのみを受信すると決定し、前記ダウンリンクビーム−ｙが前記高位層シグナリングによって通知された複数のアップリンクビームの中の第２のアップリンクビームに対応すると、
前記第２のアップリンクビームを使用してＰＵＣＣＨ送信を実行し、または、
前記第１のアップリンクビームを使用してＰＵＣＣＨ送信を実行し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶことを特徴とする請求項５１に記載の装置。
【請求項５４】
前記送信ユニットは、ＰＤＣＣＨにより前記指示シグナリングを送信することを特徴とする請求項４６から請求項５０のいずれか１項に記載の装置。
【請求項５５】
前記ＰＤＣＣＨに対応するＡＣＫ/ＮＡＣＫはＰＵＣＣＨで運ばれ、前記ＰＤＣＣＨは、リリースされるダウンリンク半持続的スケジューリング（ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨであることを特徴とする請求項５４に記載の装置。
【請求項５６】
前記端末が複数の前記ＰＤＣＣＨを受信すると決定し、複数の前記ＰＤＣＣＨと関連するＡＣＫ/ＮＡＣＫフィードバックが同時に送信される場合、以下の方式のいずれかまたは組み合わせが使用される：
方式１：
前記決定ユニットは、前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
前記送信ユニットは、決定されたアップリンクビームにより、同一のＰＵＣＣＨにおいて、前記複数のＰＤＣＣＨと関連するＡＣＫ/ＮＡＣＫを送信し、
方式２：
前記決定ユニットは、前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
前記送信ユニットは、決定されたアップリンクビームにより、同一のＰＵＣＣＨにおいて、前記複数のＰＤＣＣＨと関連するＡＣＫ/ＮＡＣＫを送信し、
方式３：
前記決定ユニットは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
前記送信ユニットは、決定されたアップリンクビームにより、同一のＰＵＣＣＨにおいて、前記複数のＰＤＣＣＨと関連するＡＣＫ/ＮＡＣＫを送信することを特徴とする請求項５４または請求項５５に記載の装置。
【請求項５７】
前記決定ユニットは、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとすることを特徴とする請求項５６に記載の装置。
【請求項５８】
前記決定ユニットは、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループであることを特徴とする請求項５６に記載の装置。
【請求項５９】
複数のダウンリンクビームと複数のアップリンクビームが複数のグループに分割され、同じグループのダウンリンクビームを使用するＰＤＣＣＨの指示シグナリングが同じグループのアップリンクビームを示す場合、前記決定ユニットは、
同じグループのダウンリンクビームを使用して受信されたＰＤＣＣＨの指示シグナリングの指示内容が同じであると判断し、
前記送信ユニットは、ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
前記送信ユニットは、ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じであることを特徴とする請求項５４または請求項５５に記載の装置。
【請求項６０】
前記送信ユニットは、
高位層シグナリングにより、１つのダウンリンクメインビームを事前に設定し、端末がダウンリンクメインビームに基づいて１つのアップリンクメインビームを決定し、ＰＵＣＣＨ送信で使用されるアップリンクビームとしてアップリンクメインビームを取ることを決定し、
または、
高位層シグナリングにより、１つのメインビームペアを事前設定し、前記メインビームペアは、１つのアップリンクメインビームおよび１つのダウンリンクメインビームを含み、前記端末が前記１つのメインビームペアのアップリンクメインビームをＰＵＣＣＨ送信で使用されるアップリンクビームとして使用することを決定し、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨを受信する場合、前記第１のビームグループに対応する第１のアップリンクメインビームを使用してＰＵＣＣＨ送信を実行することを決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨ、および第２のビームグループ内のダウンリンクビームを使用して送信されたＰＤＣＣＨおよび／またはＰＤＳＣＨを受信する場合、前記第２のビームグループ内のダウンリンクビームを使用して送信されたＰＤＣＣＨおよび／またはＰＤＳＣＨと関連するＡＣＫ/ＮＡＣＫおよび前記第１のビームグループ内のダウンリンクビームを使用して送信されたＰＤＣＣＨおよび／またはＰＤＳＣＨと関連するＡＣＫ/ＮＡＣＫが同時に送信されることを決定すると、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信し、または、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫ、および前記第２のビームグループ内のビームを使用して送信されたＰＤＣＣＨおよび／またはＰＤＳＣＨと関連するＡＣＫ/ＮＡＣＫを送信し、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第２のビームグループ内のダウンリンクビームを使用して送信されたＰＤＣＣＨおよび／またはＰＤＳＣＨのみを受信する場合、前記第２のビームグループに対応する第２のアップリンクメインビームを使用してＰＵＣＣＨ送信を実行し、または、前記第１のビームグループに対応する第１のアップリンクメインビームを使用してＰＵＣＣＨ送信を実行することを決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶことを特徴とする請求項４６から請求項５０のいずれか１項に記載の装置。
【発明の詳細な説明】
【技術分野】
【０００１】
関連出願の相互参照。
本出願は、２０１７年８月１１日に中国特許局に提出し、出願番号が２０１７１０６８７８１６.Ｘであり、発明名称が「ＰＵＣＣＨ送信方法、ユーザ機器および装置」との中国特許出願を基礎とする優先権を主張し、その開示の総てをここに取り込む。
本発明は、通信技術分野に関し、特にＰＵＣＣＨ送信方法、ユーザ機器および装置に関する。
【背景技術】
【０００２】
移動通信サービスの需要が発展および変化するにつれて、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）および第３世代パートナーシッププロジェクト（３ｒｄ Ｇｅｎｅｒａｔｉｏｎ Ｐａｒｔｎｅｒｓｈｉｐ Ｐｒｏｊｅｃｔ，３ＧＰＰ）などの組織は、第５世代新しいワイヤレス通信システム（５ Ｇｅｎｅｒａｔｉｏｎ Ｎｅｗ ＲＡＴ，５Ｇ ＮＲ）の研究を始めている。
【発明の概要】
【発明が解決しようとする課題】
【０００３】
新しい無線通信システムでは、新しい作業シーンが定義されている。 ２つの送受信ポイント（ＴＲＰ， Ｔｒａｎｓｍｉｓｓｉｏｎ ａｎｄ Ｒｅｃｅｐｔｉｏｎ Ｐｏｉｎｔ）は、物理ダウンリンク制御チャネル（ＰＤＣＣＨ， Ｐｈｙｓｉｃａｌ Ｄｏｗｎｌｉｎｋ Ｃｏｎｔｒｏｌ Ｃｈａｎｎｅｌ）と対応する物理ダウンリンク共有チャネル（ＰＤＳＣＨ， Ｐｈｙｓｉｃａｌ Ｄｏｗｎｌｉｎｋ Ｓｈａｒｅｄ Ｃｈａｎｎｅｌ）を別々に同じ端末に送信する。異なるＴＲＰからのＰＤＣＣＨとＰＤＳＣＨは、異なるビーム（Ｂｅａｍ）を使用して送信される。このシーンでは、対応する端末が物理アップリンク制御チャネル（ＰＵＣＣＨ）の送信に異なるビームの異なるＴＲＰを使用する方法は明確ではない。
【０００４】
本発明の実施形態は、新しい無線通信システムのＰＵＣＣＨ送信シーンをサポートする明確な方法または装置が存在しないという技術的問題を解決するために、ＰＵＣＣＨ送信方法、ユーザ機器および装置を提供する。
【課題を解決するための手段】
【０００５】
第１の態様では、本発明の実施形態に係るＰＵＣＣＨ送信方法は、
取得された指示シグナリングに基づいて、ＰＵＣＣＨ送信で使用されるアップリンクビーム（ｂｅａｍ）を決定するステップと、
決定されたアップリンクビームによりＰＵＣＣＨ送信を実行するステップとを備える。
【０００６】
１つの可能な実施モードでは、取得された指示シグナリングに基づいて、ＰＵＣＣＨ送信で使用されるアップリンクビームを決定する場合、
取得された指示シグナリングに基づいて、ビームペアリンケージ（ＢＰＬ）を決定し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
決定されたアップリンクビームによりＰＵＣＣＨ送信を実行する場合、
前記ＢＰＬに対応するアップリンクビームによりＰＵＣＣＨ送信を実行し、または、前記ＢＰＬに基づいて、前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行する。
【０００７】
１つの可能な実施モードでは、取得された指示シグナリングに基づいて、ＰＵＣＣＨ送信で使用されるアップリンクビームを決定する場合、
取得された指示シグナリングに基づいて、ＰＵＣＣＨ送信のアップリンクビームをマークするためのビームインデックス（ｂｅａｍ ｉｎｄｅｘ）を決定し、
決定されたアップリンクビームによりＰＵＣＣＨ送信を実行する場合、
前記ビームインデックスに対応するアップリンクビームによりＰＵＣＣＨ送信を実行する。
【０００８】
１つの可能な実施モードでは、取得された指示シグナリングに基づいて、ＰＵＣＣＨ送信で使用されるアップリンクビームを決定する場合、
取得された指示シグナリングに基づいて、前記ＰＵＣＣＨのＤＭＲＳポートと、第１の基準信号のリソース上のすべてのポートまたは指定されたポートとの間のＱＣＬ関係を決定し、
決定されたアップリンクビームによりＰＵＣＣＨ送信を実行する場合、
前記ＱＣＬ関係によりＰＵＣＣＨ送信を実行する。
【０００９】
１つの可能な実施モードでは、取得された指示シグナリングに基づいて、前記ＰＵＣＣＨのＤＭＲＳポートと、第１の基準信号のリソース上のすべてのポートまたは指定されたポートとの間のＱＣＬ関係を決定し、前記ＱＣＬ関係によりＰＵＣＣＨ送信を実行する場合、
取得された指示シグナリングに基づいて、事前設定された複数の第１の基準信号リソースの中の１つの第１の基準信号リソースを決定し、
前記ＰＵＣＣＨのＤＭＲＳポートと、前記決定された１つの第１の基準信号リソース上のポート具有ＱＣＬ関係とがＱＣＬ関係を有すると決定し、
前記ＱＣＬ関係によりＰＵＣＣＨ送信を実行し、
または、
取得された指示シグナリングに基づいて、事前設定された複数の第１の基準信号リソースの中の１つの第１の基準信号リソースおよび前記１つの第１の基準信号リソース上の少なくとも１つのポートを決定し、
前記ＰＵＣＣＨのＤＭＲＳポートと、前記決定された１つの第１の基準信号リソース上の前記少なくとも１つのポートとがＱＣＬ関係を有すると決定し、
前記ＱＣＬ関係によりＰＵＣＣＨ送信を実行する。
【００１０】
１つの可能な実施モードでは、取得された指示シグナリングに基づいて、ＰＵＣＣＨ送信で使用されるアップリンクビームを決定する場合、
取得された高位層シグナリングに基づいて、ＰＵＣＣＨ送信で使用されるアップリンクビームを決定する。
【００１１】
１つの可能な実施モードでは、取得された高位層シグナリングに基づいて、ＰＵＣＣＨ送信で使用されるアップリンクビームを決定する場合、
前記高位層シグナリングによって１つのアップリンクビームのみを通知し、取得された高位層シグナリングに基づいて、前記高位層シグナリングによって通知された１つのアップリンクビームを使用してＰＵＣＣＨ送信を実行することを決定する。
【００１２】
１つの可能な実施モードでは、取得された高位層シグナリングに基づいて、ＰＵＣＣＨ送信で使用されるアップリンクビームを決定する場合、
前記高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応するとき、
前記第１のアップリンクビームがＰＵＣＣＨ送信に使用されることを決定し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームが以下の動作に使用されると決定し：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および、前記第２のアップリンクビームが以下の動作に使用されると決定し：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームが以下の動作に使用されると決定し：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｙを使用するＰＤＣＣＨおよび／またはＰＤＳＣＨのみを受信し、前記ダウンリンクビーム−ｙが前記高位層シグナリングによって通知された複数のアップリンクビームの中の第２のアップリンクビームに対応すると、
前記第２のアップリンクビームがＰＵＣＣＨ送信に使用されると決定し、または、
前記第１のアップリンクビームがＰＵＣＣＨ送信に使用されることを決定し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶ。
【００１３】
１つの可能な実施モードでは、取得された指示シグナリングに基づいて、ＰＵＣＣＨ送信で使用されるアップリンクビームを決定する場合、
ＰＤＣＣＨから受信された指示シグナリングに基づいて、ＰＵＣＣＨ送信で使用されるアップリンクビームを決定する。
【００１４】
１つの可能な実施モードでは、前記ＰＤＣＣＨに対応するＡＣＫ/ＮＡＣＫはＰＵＣＣＨで運ばれ、前記ＰＤＣＣＨは、リリースされるダウンリンク半持続的スケジューリング（ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨである。
【００１５】
１つの可能な実施モードでは、複数の前記ＰＤＣＣＨを受信し、複数の前記ＰＤＣＣＨと関連するＡＣＫ/ＮＡＣＫフィードバックが同時に送信される場合、以下の方式のいずれかまたは組み合わせが使用される：
方式１：
前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
決定されたアップリンクビームにより、同一のＰＵＣＣＨにおいて、前記複数のＰＤＣＣＨと関連するＡＣＫ/ＮＡＣＫを送信し、
方式２：
前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
決定されたアップリンクビームにより、同一のＰＵＣＣＨにおいて、前記複数のＰＤＣＣＨと関連するＡＣＫ/ＮＡＣＫを送信し、
方式３：
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、前記複数のＰＤＣＣＨと関連するＡＣＫ/ＮＡＣＫを送信する。
【００１６】
１つの可能な実施モードでは、ＰＵＣＣＨ送信で使用されるアップリンクビームとして前記少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとする。
【００１７】
１つの可能な実施モードでは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループである。
【００１８】
１つの可能な実施モードでは、複数のダウンリンクビームと複数のアップリンクビームが複数のグループに分割され、同じグループのダウンリンクビームを使用するＰＤＣＣＨの指示シグナリングが同じグループのアップリンクビームを示す場合、
ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じである。
【００１９】
１つの可能な実施モードでは、取得された指示シグナリングに基づいて、ＰＵＣＣＨ送信で使用されるアップリンクビームを決定する場合、
高位層シグナリングにより、１つのダウンリンクメインビームを事前に設定し、前記１つのダウンリンクメインビームに基づいて１つのアップリンクメインビームを決定し、ＰＵＣＣＨ送信で使用されるアップリンクビームとして前記１つのアップリンクメインビームを決定し、
または、
高位層シグナリングにより、１つのメインビームペアを事前設定し、前記メインビームペアは、１つのアップリンクメインビームおよび１つのダウンリンクメインビームを含み、ＰＵＣＣＨ送信で使用されるアップリンクビームとして前記１つのメインビームペア内のアップリンクメインビームを決定し、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、前記第１のビームグループに対応する第１のアップリンクメインビームがＰＵＣＣＨ送信に使用されると決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、前記第２のビームグループ内のダウンリンクビームを使用して送信されたＰＤＣＣＨおよび／またはＰＤＳＣＨと関連するＡＣＫ/ＮＡＣＫと、前記第１のビームグループ内のダウンリンクビームを使用して送信されたＰＤＣＣＨおよび／またはＰＤＳＣＨと関連するＡＣＫ/ＮＡＣＫとが同時に送信される場合、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信することを決定し、また、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信することを決定し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫを運ぶＰＵＣＣＨおよび前記第２のビームグループ内のビームを使用して送信されたＰＤＣＣＨおよび／またはＰＤＳＣＨと関連するＡＣＫ/ＮＡＣＫを運ぶＰＵＣＣＨを送信することを、決定し、
または、
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、前記第２のビームグループに対応する第２のアップリンクメインビームがＰＵＣＣＨ送信に使用されると決定し、または、前記第１のビームグループに対応する第１のアップリンクメインビームがＰＵＣＣＨ送信に使用されると決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【００２０】
第２の態様では、本発明の実施形態に係る他のＰＵＣＣＨ送信方法は、
指示シグナリングを送信するステップであって、前記指示シグナリングは、ＰＵＣＣＨ送信で使用されるアップリンクビームを決定するために端末によって使用される前記送信するステップと、
前記指示シグナリングに基づいて決定されたアップリンクビームに従って、前記端末がＰＵＣＣＨを送信することを決定するステップとを備える。
【００２１】
１つの可能な実施モードでは、指示シグナリングを送信し、前記指示シグナリングによって、端末が、ＰＵＣＣＨ送信で使用されるアップリンクビームを決定する場合、
前記指示シグナリングによって、ビームペアリンケージ（Ｂｅａｍ  Ｐａｉｒ  Ｌｉｎｋａｇｅ，ＢＰＬ）を示し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記指示シグナリングに基づいて決定されたアップリンクビームに従って、前記端末がＰＵＣＣＨを送信することを決定する場合、
前記端末が前記ＢＰＬに対応するアップリンクビームによりＰＵＣＣＨ送信を実行すると決定し、または、前記端末が、前記ＢＰＬに基づいて前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行と、決定する。
【００２２】
１つの可能な実施モードでは、指示シグナリングを送信し、前記指示シグナリングによって、端末が、ＰＵＣＣＨ送信で使用されるアップリンクビームを決定する場合、
前記指示シグナリングは、ＰＵＣＣＨ送信のアップリンクビームをマークするためのビームインデックス（ｂｅａｍ ｉｎｄｅｘ）を指示し、
前記指示シグナリングに基づいて決定されたアップリンクビームに従って、前記端末がＰＵＣＣＨを送信することを決定する場合、
前記端末が、前記ビームインデックスに対応するアップリンクビームによりＰＵＣＣＨ送信を実行すると決定する。
【００２３】
１つの可能な実施モードでは、指示シグナリングを送信し、前記指示シグナリングによって、端末が、ＰＵＣＣＨ送信で使用されるアップリンクビームを決定する場合、
前記指示シグナリングにより、ＰＵＣＣＨのＤＭＲＳポートと、第１の基準信号のリソース上のすべてのポートまたは指定されたポートとの間のＱＣＬ関係を、示し、
前記指示シグナリングに基づいて決定されたアップリンクビームに従って、前記端末がＰＵＣＣＨを送信することを決定する場合、
前記端末が、前記ＱＣＬ関係によりＰＵＣＣＨ送信を実行すると決定する。
【００２４】
１つの可能な実施モードでは、前記指示シグナリングにより、ＰＵＣＣＨのＤＭＲＳポートと、第１の基準信号のリソース上のすべてのポートまたは指定されたポートとの間のＱＣＬ関係を示し、前記ＱＣＬ関係によりＰＵＣＣＨ送信を実行する場合、
前記指示シグナリングにより、事前設定された複数の第１の基準信号リソースの中の１つの第１の基準信号リソースを示し、
前記端末が、ＰＵＣＣＨのＤＭＲＳポートと前記１つの第１の基準信号リソース上のポートとの間のＱＣＬ関係に基づいて、ＰＵＣＣＨ送信を実行すると決定し、
または、
前記指示シグナリにより、事前設定された複数の第１の基準信号リソースの中の１つの第１の基準信号リソース上の少なくとも１つのポートを示し、
前記端末が、ＰＵＣＣＨのＤＭＲＳポートと前記１つの第１の基準信号リソース上の前記少なくとも１つのポートとの間のＱＣＬ関係に基づいて、ＰＵＣＣＨ送信を実行すると決定する。
【００２５】
１つの可能な実施モードでは、指示シグナリングを送信し、前記指示シグナリングによって、端末が、ＰＵＣＣＨ送信で使用されるアップリンクビームを決定する場合、
高位層シグナリングにより前記指示シグナリングを送信する。
１つの可能な実施モードでは、高位層シグナリングにより前記指示シグナリングを送信する場合、
前記高位層シグナリングによって１つのアップリンクビームのみを通知し、前記端末が前記高位層シグナリングによって通知された１つのアップリンクビームＰＵＣＣＨ送信を実行すると決定する。
【００２６】
１つの可能な実施モードでは、高位層シグナリングにより前記指示シグナリングを送信する場合、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリングによって通知された複数のビームの中の第１のアップリンクビームに対応するとき、
前記第１のアップリンクビームを使用してＰＵＣＣＨ送信を実行し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームを使用して次の操作を実行する：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および前記第２のアップリンクビームを使用して次の操作を実行する：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームを使用して次の操作を実行する：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｙを使用するＰＤＣＣＨおよび／またはＰＤＳＣＨのみを受信すると決定し、前記ダウンリンクビーム−ｙが前記高位層シグナリングによって通知された複数のアップリンクビームの中の第２のアップリンクビームに対応すると、
前記第２のアップリンクビームを使用してＰＵＣＣＨ送信を実行し、または、
前記第１のアップリンクビームを使用してＰＵＣＣＨ送信を実行し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶ。
【００２７】
１つの可能な実施モードでは、指示シグナリングを送信し、前記指示シグナリングによって、端末が、ＰＵＣＣＨ送信で使用されるアップリンクビームを決定する場合、
ＰＤＣＣＨにより前記指示シグナリングを送信する。
【００２８】
１つの可能な実施モードでは、前記ＰＤＣＣＨに対応するＡＣＫ/ＮＡＣＫはＰＵＣＣＨで運ばれ、前記ＰＤＣＣＨは、リリースされるダウンリンク半持続的スケジューリング（ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨである。
【００２９】
１つの可能な実施モードでは、前記端末が複数の前記ＰＤＣＣＨを受信すると決定し、複数の前記ＰＤＣＣＨと関連するＡＣＫ/ＮＡＣＫフィードバックが同時に送信される場合、以下の方式のいずれかまたは組み合わせが使用される：
方式１：
前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
決定されたアップリンクビームにより、同一のＰＵＣＣＨにおいて、前記複数のＰＤＣＣＨと関連するＡＣＫ/ＮＡＣＫを送信し、
方式２：
前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
決定されたアップリンクビームにより、同一のＰＵＣＣＨにおいて、前記複数のＰＤＣＣＨと関連するＡＣＫ/ＮＡＣＫを送信し、
方式３：
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、前記複数のＰＤＣＣＨと関連するＡＣＫ/ＮＡＣＫを送信する。
【００３０】
１つの可能な実施モードでは、ＰＵＣＣＨ送信で使用されるアップリンクビームとして前記少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとする。
【００３１】
１つの可能な実施モードでは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループである。
【００３２】
１つの可能な実施モードでは、複数のダウンリンクビームと複数のアップリンクビームが複数のグループに分割され、同じグループのダウンリンクビームを使用するＰＤＣＣＨの指示シグナリングが同じグループのアップリンクビームを示す場合、複前記端末は、以下のプロセスを実行することを決定する：
同じグループのダウンリンクビームを使用して受信されたＰＤＣＣＨの指示シグナリングの指示内容が同じであると判断し、
ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【００３３】
１つの可能な実施モードでは、指示シグナリングを送信し、前記指示シグナリングによって、端末が、ＰＵＣＣＨ送信で使用されるアップリンクビームを決定する場合、
高位層シグナリングにより、１つのダウンリンクメインビームを事前に設定し、端末がダウンリンクメインビームに基づいて１つのアップリンクメインビームを決定し、ＰＵＣＣＨ送信で使用されるアップリンクビームとしてアップリンクメインビームを取ることを決定し、
または、
高位層シグナリングにより、１つのメインビームペアを事前設定し、前記メインビームペアは、１つのアップリンクメインビームおよび１つのダウンリンクメインビームを含み、前記端末が前記１つのメインビームペアのアップリンクメインビームをＰＵＣＣＨ送信で使用されるアップリンクビームとして使用することを決定し、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨを受信する場合、前記第１のビームグループに対応する第１のアップリンクメインビームを使用してＰＵＣＣＨ送信を実行することを決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨ、および第２のビームグループ内のダウンリンクビームを使用して送信されたＰＤＣＣＨおよび／またはＰＤＳＣＨを受信する場合、前記第２のビームグループ内のダウンリンクビームを使用して送信されたＰＤＣＣＨおよび／またはＰＤＳＣＨと関連するＡＣＫ/ＮＡＣＫおよび前記第１のビームグループ内のダウンリンクビームを使用して送信されたＰＤＣＣＨおよび／またはＰＤＳＣＨと関連するＡＣＫ/ＮＡＣＫが同時に送信されることを決定すると、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信し、または、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫ、および前記第２のビームグループ内のビームを使用して送信されたＰＤＣＣＨおよび／またはＰＤＳＣＨと関連するＡＣＫ/ＮＡＣＫを送信し、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第２のビームグループ内のダウンリンクビームを使用して送信されたＰＤＣＣＨおよび／またはＰＤＳＣＨのみを受信する場合、前記第２のビームグループに対応する第２のアップリンクメインビームを使用してＰＵＣＣＨ送信を実行し、または、前記第１のビームグループに対応する第１のアップリンクメインビームを使用してＰＵＣＣＨ送信を実行することを決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【００３４】
第３の態様では、本発明の実施形態に係るユーザ機器は、
取得された指示シグナリングに基づいて、ＰＵＣＣＨ送信で使用されるアップリンクビーム（ｂｅａｍ）を決定するように構成された決定ユニットと、
決定されたアップリンクビームによりＰＵＣＣＨ送信を実行するように構成された送信ユニットとを備える。
【００３５】
１つの可能な実施モードでは、前記決定ユニットは、取得された指示シグナリングに基づいて、ビームペアリンケージ（ＢＰＬ）を決定し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記送信ユニットは、前記ＢＰＬに対応するアップリンクビームによりＰＵＣＣＨ送信を実行し、または、前記ＢＰＬに基づいて、前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行する。
【００３６】
１つの可能な実施モードでは、前記決定ユニットは、取得された指示シグナリングに基づいて、ＰＵＣＣＨ送信のアップリンクビームをマークするためのビームインデックス（ｂｅａｍ ｉｎｄｅｘ）を決定し、
前記送信ユニットは、前記ビームインデックスに対応するアップリンクビームによりＰＵＣＣＨ送信を実行する。
【００３７】
１つの可能な実施モードでは、前記決定ユニットは、取得された指示シグナリングに基づいて、前記ＰＵＣＣＨのＤＭＲＳポートと、第１の基準信号のリソース上のすべてのポートまたは指定されたポートとの間のＱＣＬ関係を決定し、
前記送信ユニットは、前記ＱＣＬ関係によりＰＵＣＣＨ送信を実行する。
【００３８】
１つの可能な実施モードでは、前記決定ユニットは、取得された指示シグナリングに基づいて、事前設定された複数の第１の基準信号リソースの中の１つの第１の基準信号リソースを決定し、前記ＰＵＣＣＨのＤＭＲＳポートと、前記決定された１つの第１の基準信号リソース上のポート具有ＱＣＬ関係とがＱＣＬ関係を有すると決定し、
前記送信ユニットは、前記ＱＣＬ関係によりＰＵＣＣＨ送信を実行し、
または、
前記決定ユニットは、取得された指示シグナリングに基づいて、事前設定された複数の第１の基準信号リソースの中の１つの第１の基準信号リソースおよび前記１つの第１の基準信号リソース上の少なくとも１つのポートを決定し、前記ＰＵＣＣＨのＤＭＲＳポートと、前記決定された１つの第１の基準信号リソース上の前記少なくとも１つのポートとがＱＣＬ関係を有すると決定し、
前記送信ユニットは、前記ＱＣＬ関係によりＰＵＣＣＨ送信を実行する。
【００３９】
１つの可能な実施モードでは、取得された指示シグナリングに基づいて、ＰＵＣＣＨ送信で使用されるアップリンクビームを決定する場合、
取得された高位層シグナリングに基づいて、ＰＵＣＣＨ送信で使用されるアップリンクビームを決定する。
【００４０】
１つの可能な実施モードでは、前記高位層シグナリングによって１つのアップリンクビームのみを通知し、前記決定ユニットは、取得された高位層シグナリングに基づいて、前記高位層シグナリングによって通知された１つのアップリンクビームを使用してＰＵＣＣＨ送信を実行することを決定する。
【００４１】
１つの可能な実施モードでは、前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応するとき、
前記第１のアップリンクビームがＰＵＣＣＨ送信に使用されることを決定し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームが以下の動作に使用されると決定し：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および、前記第２のアップリンクビームが以下の動作に使用されると決定し：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームが以下の動作に使用されると決定し：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｙを使用するＰＤＣＣＨおよび／またはＰＤＳＣＨのみを受信し、前記ダウンリンクビーム−ｙが前記高位層シグナリングによって通知された複数のアップリンクビームの中の第２のアップリンクビームに対応すると、
前記第２のアップリンクビームがＰＵＣＣＨ送信に使用されると決定し、または、
前記第１のアップリンクビームがＰＵＣＣＨ送信に使用されることを決定し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶ。
【００４２】
１つの可能な実施モードでは、前記決定ユニットは、ＰＤＣＣＨから受信された指示シグナリングに基づいて、ＰＵＣＣＨ送信で使用されるアップリンクビームを決定する。
【００４３】
１つの可能な実施モードでは、前記ＰＤＣＣＨに対応するＡＣＫ/ＮＡＣＫはＰＵＣＣＨで運ばれ、前記ＰＤＣＣＨは、リリースされるダウンリンク半持続的スケジューリング（ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨである。
【００４４】
１つの可能な実施モードでは、複数の前記ＰＤＣＣＨを受信し、複数の前記ＰＤＣＣＨと関連するＡＣＫ/ＮＡＣＫフィードバックが同時に送信される場合、以下の方式のいずれかまたは組み合わせが使用される：
方式１：
前記決定ユニットは、前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
前記送信ユニットは、決定されたアップリンクビームにより、同一のＰＵＣＣＨにおいて、前記複数のＰＤＣＣＨと関連するＡＣＫ/ＮＡＣＫを送信し、
方式２：
前記決定ユニットは、前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
前記送信ユニットは、決定されたアップリンクビームにより、同一のＰＵＣＣＨにおいて、前記複数のＰＤＣＣＨと関連するＡＣＫ/ＮＡＣＫを送信し、
方式３：
前記決定ユニットは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
前記送信ユニットは、決定されたアップリンクビームにより、同一のＰＵＣＣＨにおいて、前記複数のＰＤＣＣＨと関連するＡＣＫ/ＮＡＣＫを送信し、
１つの可能な実施モードでは、前記決定ユニットは、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとする。
【００４５】
１つの可能な実施モードでは、前記決定ユニットは、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループである。
【００４６】
１つの可能な実施モードでは、前記決定ユニットは、複数のダウンリンクビームと複数のアップリンクビームが複数のグループに分割され、同じグループのダウンリンクビームを使用するＰＤＣＣＨの指示シグナリングが同じグループのアップリンクビームを示す場合、
同じグループのダウンリンクビームを使用して受信されたＰＤＣＣＨの指示シグナリングの指示内容が同じであると判断し、
前記送信ユニットは、ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
前記送信ユニットは、ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【００４７】
１つの可能な実施モードでは、前記送信ユニットは、
高位層シグナリングにより、１つのダウンリンクメインビームを事前に設定し、前記１つのダウンリンクメインビームに基づいて１つのアップリンクメインビームを決定し、ＰＵＣＣＨ送信で使用されるアップリンクビームとして前記１つのアップリンクメインビームを決定し、
または、
高位層シグナリングにより、１つのメインビームペアを事前設定し、前記メインビームペアは、１つのアップリンクメインビームおよび１つのダウンリンクメインビームを含み、ＰＵＣＣＨ送信で使用されるアップリンクビームとして前記１つのメインビームペア内のアップリンクメインビームを決定し、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、前記第１のビームグループに対応する第１のアップリンクメインビームがＰＵＣＣＨ送信に使用されると決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、前記第２のビームグループ内のダウンリンクビームを使用して送信されたＰＤＣＣＨおよび／またはＰＤＳＣＨと関連するＡＣＫ/ＮＡＣＫと、前記第１のビームグループ内のダウンリンクビームを使用して送信されたＰＤＣＣＨおよび／またはＰＤＳＣＨと関連するＡＣＫ/ＮＡＣＫとが同時に送信される場合、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信することを決定し、また、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信することを決定し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫを運ぶＰＵＣＣＨおよび前記第２のビームグループ内のビームを使用して送信されたＰＤＣＣＨおよび／またはＰＤＳＣＨと関連するＡＣＫ/ＮＡＣＫを運ぶＰＵＣＣＨを送信することを、決定し、
または、
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、前記第２のビームグループに対応する第２のアップリンクメインビームがＰＵＣＣＨ送信に使用されると決定し、または、前記第１のビームグループに対応する第１のアップリンクメインビームがＰＵＣＣＨ送信に使用されると決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【００４８】
第４の態様では、本発明の実施形態に係る装置は、
指示シグナリングを送信するように構成された送信ユニットであって、指示シグナリングは、ＰＵＣＣＨ送信で使用されるアップリンクビームを決定するために端末によって使用される前記送信ユニットと、
端末が指示シグナリングに基づいて決定されたアップリンクビームを使用してＰＵＣＣＨ送信を実行すると決定するように構成された決定ユニットとを備える。
【００４９】
１つの可能な実施モードでは、指示シグナリングによって、ビームペアリンケージ（Ｂｅａｍ  Ｐａｉｒ  Ｌｉｎｋａｇｅ，ＢＰＬ）を示し、ＢＰＬは、ＰＵＣＣＨ送信で使用されるアップリンクビームを決定するか、またはＰＵＣＣＨの復調基準信号（ＤＭＲＳ）ポートと第１の基準信号のリソース上のポートとの間の準コロケーション（ＱＣＬ）関係を決定し、
決定ユニットは、端末がＢＰＬに対応するアップリンクビームを使用してＰＵＣＣＨ送信を実行すると決定し、または、端末がＢＰＬに基づいてＰＵＣＣＨの復調基準信号（ＤＭＲＳ）ポートと第１の基準信号のリソース上のポートとの間のＱＣＬ関係を決定し、ＱＣＬ関係に従ってＰＵＣＣＨ送信を実行すると、決定する。
【００５０】
１つの可能な実施モードでは、指示シグナリングは、ＰＵＣＣＨ送信のアップリンクビームをマークするためのビームインデックス（ｂｅａｍ ｉｎｄｅｘ）を指示し、
決定ユニットは、端末がビームインデックスに対応するアップリンクビームを使用してＰＵＣＣＨ送信を実行すると決定する。
【００５１】
１つの可能な実施モードでは、指示シグナリングにより、ＰＵＣＣＨのＤＭＲＳポートと、第１の基準信号のリソース上のすべてのポートまたは指定されたポートとの間のＱＣＬ関係を、示し、
決定ユニットは、端末がＱＣＬ関係に従ってＰＵＣＣＨ送信を実行すると決定する。
【００５２】
１つの可能な実施モードでは、決定ユニットは、
指示シグナリングにより事前設定された複数の第１の基準信号リソースの中の１つの第１の基準信号リソースを示すとき、端末がＰＵＣＣＨのＤＭＲＳポートと１つの第１の基準信号リソース上のポートとの間のＱＣＬ関係に従ってＰＵＣＣＨ送信を実行すると決定し、
または、
指示シグナリングにより事前設定された複数の第１の基準信号リソースの中の１つの第１の基準信号リソース上の少なくとも１つのポートを示すとき、端末がＰＵＣＣＨのＤＭＲＳポートと１つの第１の基準信号リソース上の少なくとも１つのポートとの間のＱＣＬ関係に従ってＰＵＣＣＨ送信を実行すると決定する。
【００５３】
１つの可能な実施モードでは、送信ユニットは、高位層シグナリングにより指示シグナリングを送信する。
【００５４】
１つの可能な実施モードでは、決定ユニットは、高位層シグナリングにより１つのみのアップリンクビームを通知するとき、端末が高位層シグナリングによって通知された１つのアップリンクビームを使用してＰＵＣＣＨ送信を実行すると決定する。
【００５５】
１つの可能な実施モードでは、送信ユニットは、
高位層シグナリングにより複数のアップリンクビームを通知し、ここで、各アップリンクビームは、１つのダウンリンクビームまたはダウンリンクビームの１つのグループに対応し、端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、ダウンリンクビーム−ｘが高位層シグナリングによって通知された複数のビームの中の第１のアップリンクビームに対応する場合、
第１のアップリンクビームを使用してＰＵＣＣＨ送信を実行し、ＰＵＣＣＨは、ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
高位層シグナリングにより複数のアップリンクビームを通知し、ここで、各アップリンクビームは、１つのダウンリンクビームまたはダウンリンクビームの１つのグループに対応し、端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、ダウンリンクビーム−ｘが高位層シグナリングによって通知された複数のビームの中の第１のアップリンクビームに対応し、ダウンリンクビーム−ｙを使用するＰＤＣＣＨおよび／またはＰＤＳＣＨを受信し、ダウンリンクビーム−ｙを使用するＰＤＣＣＨおよび／またはＰＤＳＣＨと関連するＡＣＫ/ＮＡＣＫ、およびダウンリンクビーム−ｘを使用するＰＤＣＣＨおよび／またはＰＤＳＣＨと関連するＡＣＫ/ＮＡＣＫが同時に送信される必要があり、ダウンリンクビーム−ｙが高位層シグナリングによって通知された複数のアップリンクビームの中の第２のアップリンクビームに対応する場合、
第１のアップリンクビームを使用して次の操作を実行する：ダウンリンクビーム−ｘを使用するＰＤＣＣＨおよび／またはＰＤＳＣＨと関連するＡＣＫ/ＮＡＣＫを運ぶためのＰＵＣＣＨを送信し、および第２のアップリンクビームを使用して次の操作を実行する：ダウンリンクビーム−ｙを使用するＰＤＣＣＨおよび／またはＰＤＳＣＨと関連するＡＣＫ/ＮＡＣＫを運ぶためのＰＵＣＣＨを送信し、または、
第１のアップリンクビームを使用して次の操作を実行する：同一のＰＵＣＣＨにおいて、ダウンリンクビーム−ｘを使用するＰＤＣＣＨおよび／またはＰＤＳＣＨと関連するＡＣＫ/ＮＡＣＫ、およびダウンリンクビーム−ｙを使用するＰＤＣＣＨおよび／またはＰＤＳＣＨと関連するＡＣＫ/ＮＡＣＫを送信し、
または、
高位層シグナリングにより複数のアップリンクビームを通知し、ここで、各アップリンクビームは、１つのダウンリンクビームまたはダウンリンクビームの１つのグループに対応し、端末がダウンリンクビーム−ｙを使用するＰＤＣＣＨおよび／またはＰＤＳＣＨのみを受信すると決定し、ダウンリンクビーム−ｙが高位層シグナリングによって通知された複数のアップリンクビームの中の第２のアップリンクビームに対応する場合、
第２のアップリンクビームを使用してＰＵＣＣＨ送信を実行し、または、
第１のアップリンクビームを使用してＰＵＣＣＨ送信を実行し、第１のアップリンクビームは第２のアップリンクビームと異なり、
ここで、ＰＵＣＣＨはダウンリンクビーム−ｙを使用するＰＤＣＣＨおよび／またはＰＤＳＣＨと関連するＡＣＫ/ＮＡＣＫを運ぶ。
【００５６】
１つの可能な実施モードでは、送信ユニットは、ＰＤＣＣＨにより指示シグナリングを送信する。
【００５７】
１つの可能な実施モードでは、ＰＤＣＣＨに対応するＡＣＫ/ＮＡＣＫがＰＵＣＣＨで運ばれ、ＰＤＣＣＨは、リリースされるダウンリンク半持続的スケジューリング（ＳＰＳ）リソースを示し、および／または、ＰＤＣＣＨは１つのＰＤＳＣＨに対応し、ＰＤＳＣＨに対応するＡＣＫ/ＮＡＣＫはＰＵＣＣＨで運ばれ、
または、
ＰＤＣＣＨはマルチキャストＰＤＣＣＨである。
【００５８】
１つの可能な実施モードでは、端末が当複数のＰＤＣＣＨを受信すると決定し、複数のＰＤＣＣＨと関連するＡＣＫ/ＮＡＣＫフィードバックが同時に送信される場合、以下の方式のいずれかまたは組み合わせが使用される：
方式１：
決定ユニットは、複数のＰＤＣＣＨの指示シグナリングに基づいて決定されたアップリンクビームをＰＵＣＣＨ送信で使用されるアップリンクビームとし、ここで、複数のＰＤＣＣＨよって受信された各指示シグナリングの指示内容が同じであり、
送信ユニットは、決定されたアップリンクビームにより、同一のＰＵＣＣＨにおいて、複数のＰＤＣＣＨと関連するＡＣＫ/ＮＡＣＫを送信し、
方式２：
決定ユニットは、複数のＰＤＣＣＨよって受信された各指示シグナリングに基づいて少なくとも１つのアップリンクビームを決定し、ＰＵＣＣＨ送信で使用されるアップリンクビームとして少なくとも１つのアップリンクビームから１つのアップリンクビームを選択し、
送信ユニットは、決定されたアップリンクビームにより、同一のＰＵＣＣＨにおいて、複数のＰＤＣＣＨと関連するＡＣＫ/ＮＡＣＫを送信し、
方式３：
決定ユニットは、複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
送信ユニットは、決定されたアップリンクビームにより、同一のＰＵＣＣＨにおいて、複数のＰＤＣＣＨと関連するＡＣＫ/ＮＡＣＫを送信し、
１つの可能な実施モードでは、決定ユニットは、
事前設定されたまたは指定されたアップリンクビーム優先レベルまたはセル（ｃｅｌｌ）優先レベルに基づいて、ＰＵＣＣＨ送信で使用されるアップリンクビームとして少なくとも１つのアップリンクビームから１つを選択し、
または、
少なくとも１つのアップリンクビームに事前設定されたまたは指定されたアップリンクメインビームが含まれるとき、ＰＵＣＣＨ送信で使用されるアップリンクビームとしてアップリンクメインビームを決定し、および
少なくとも１つのアップリンクビームにアップリンクメインビームが含まれていないとき、ＰＵＣＣＨ送信で使用されるアップリンクビームとして少なくとも１つのビーム内の指定された番号が付けられた補助ビームを決定し、
ここで、アップリンクメインビームは事前設定されたまたは指定されたビームであり、
または、
少なくとも１つのアップリンクビームに事前設定されたまたは指定されたメインセルに対応するアップリンクビームが含まれるとき、メインセルに対応するアップリンクビームをＰＵＣＣＨ送信で使用されるアップリンクビームとし、および
少なくとも１つのアップリンクビームにメインセルに対応するアップリンクビームが含まれていないとき、補助セルに対応するアップリンクビームをＰＵＣＣＨ送信で使用されるアップリンクビームとする。
【００５９】
１つの可能な実施モードでは、決定ユニットは、
事前設定されたまたは指定されたダウンリンクビーム優先レベル、ダウンリンクビームグループ優先レベルまたはセル優先レベルに基づいて、複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループである。
【００６０】
１つの可能な実施モードでは、決定ユニットは、複数のダウンリンクビームと複数のアップリンクビームが複数のグループに分割され、同じグループのダウンリンクビームを使用するＰＤＣＣＨの指示シグナリングが同じグループのアップリンクビームを示す場合、
同じグループのダウンリンクビームを使用して受信されたＰＤＣＣＨの指示シグナリングの指示内容が同じであると判断し、
送信ユニットは、ダウンリンクビーム−ｘを使用するＰＤＣＣＨの指示シグナリングに基づいて決定された第１のアップリンクビームを使用して、ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
送信ユニットは、ダウンリンクビーム−ｙを使用するＰＤＣＣＨの指示シグナリングに基づいて決定された第２のアップリンクビームを使用して、ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【００６１】
１つの可能な実施モードでは、送信ユニットは、
高位層シグナリングにより、１つのダウンリンクメインビームを事前に設定し、端末が１つのダウンリンクメインビームに基づいて１つのアップリンクメインビームを決定し、１つのアップリンクメインビームをＰＵＣＣＨ送信で使用されるアップリンクビームとすると決定し、
または、
高位層シグナリングにより、１つのメインビームペアを事前設定し、メインビームペアは、１つのアップリンクメインビームおよび１つのダウンリンクメインビームを含み、端末が１つのメインビームペア内のアップリンクメインビームをＰＵＣＣＨ送信で使用されるアップリンクビームとすると決定し、
または、
高位層シグナリングにより、複数のビームグループを事前に設定し、ここで、各ビームグループは１つのアップリンクメインビームに対応し、ビームグループは１つ以上のダウンリンクビームを含み、端末が第１のビームグループ内のダウンリンクビームを使用して送信されたＰＤＣＣＨおよび／またはＰＤＳＣＨを受信するとき、第１のビームグループに対応する第１のアップリンクメインビームを使用してＰＵＣＣＨ送信を実行すると決定し、ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、端末が第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信すると決定し、第２のビームグループ内のダウンリンクビームを使用して送信されたＰＤＣＣＨおよび／またはＰＤＳＣＨと関連するＡＣＫ/ＮＡＣＫおよび第１のビームグループ内のダウンリンクビームを使用して送信されたＰＤＣＣＨおよび／またはＰＤＳＣＨに関連するＡＣＫ/ＮＡＣＫが同時に送信される場合、
第１のビームグループに対応する第１のアップリンクメインビームを使用して、第１のビームグループ内のビームを使用して送信されたＰＤＣＣＨおよび／またはＰＤＳＣＨと関連するＡＣＫ/ＮＡＣＫを運ぶＰＵＣＣＨを送信し、および第２のビームグループに対応する第２のアップリンクメインビームを使用して、第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
第１のビームグループに対応する第１のアップリンクメインビームを使用して、同一のＰＵＣＣＨにおいて、第１のビームグループ内のビームを使用して送信されたＰＤＣＣＨおよび／またはＰＤＳＣＨと関連するＡＣＫ/ＮＡＣＫ、および第２のビームグループ内のビームを使用して送信されたＰＤＣＣＨおよび／またはＰＤＳＣＨと関連するＡＣＫ/ＮＡＣＫを送信し、
または、
高位層シグナリングにより、複数のビームグループを事前に設定し、ここで、各ビームグループは１つのアップリンクメインビームに対応し、ビームグループは１つ以上のダウンリンクビームを含み、端末が第２のビームグループ内のダウンリンクビームを使用して送信されたＰＤＣＣＨおよび／またはＰＤＳＣＨのみを受信する場合、第２のビームグループに対応する第２のアップリンクメインビームを使用してＰＵＣＣＨ送信を実行し、または、第１のビームグループに対応する第１のアップリンクメインビームを使用してＰＵＣＣＨ送信を実行すると決定し、
ここで、ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【００６２】
第５の態様では、本発明の実施形態に係る他のユーザ機器，前記ユーザ機器は、プロセッサと、プロセッサに接続されたメモリと、送受信機とを備え、プロセッサは、メモリ内のプログラムを読み取り、次のプロセスを実行するように構成され、
取得された指示シグナリングに基づいて、ＰＵＣＣＨ送信で使用されるアップリンクビーム（ｂｅａｍ）を決定し、
送受信機を制御して、決定されたアップリンクビームによりＰＵＣＣＨ送信を実行する。
【００６３】
１つの可能な実施モードでは、取得された指示シグナリングに基づいて、ＰＵＣＣＨ送信で使用されるアップリンクビームを決定する場合、
取得された指示シグナリングに基づいて、ビームペアリンケージ（ＢＰＬ）を決定し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
送受信機を制御して、決定されたアップリンクビームによりＰＵＣＣＨ送信を実行する場合、
送受信機を制御して、前記ＢＰＬに対応するアップリンクビームによりＰＵＣＣＨ送信を実行し、または、前記ＢＰＬに基づいて、前記ＰＵＣＣＨの復調基準信号（ＤＭＲＳ）ポートと第１の基準信号のリソース上のポートとの間のＱＣＬ関係を決定し、送受信機を制御して、前記ＱＣＬ関係によりＰＵＣＣＨ送信を実行する。
【００６４】
１つの可能な実施モードでは、取得された指示シグナリングに基づいて、ＰＵＣＣＨ送信で使用されるアップリンクビームを決定する場合、
取得された指示シグナリングに基づいて、ＰＵＣＣＨ送信のアップリンクビームをマークするためのビームインデックス（ｂｅａｍ ｉｎｄｅｘ）を決定し、
送受信機を制御して、決定されたアップリンクビームによりＰＵＣＣＨ送信を実行する場合、
送受信機を制御して、前記ビームインデックスに対応するアップリンクビームによりＰＵＣＣＨ送信を実行する。
【００６５】
１つの可能な実施モードでは、取得された指示シグナリングに基づいて、ＰＵＣＣＨ送信で使用されるアップリンクビームを決定する場合、
取得された指示シグナリングに基づいて、前記ＰＵＣＣＨのＤＭＲＳポートと、第１の基準信号のリソース上のすべてのポートまたは指定されたポートとの間のＱＣＬ関係を決定し、
送受信機を制御して、決定されたアップリンクビームによりＰＵＣＣＨ送信を実行する場合、
送受信機を制御して、前記ＱＣＬ関係によりＰＵＣＣＨ送信を実行する。
【００６６】
１つの可能な実施モードでは、取得された指示シグナリングに基づいて、前記ＰＵＣＣＨのＤＭＲＳポートと、第１の基準信号のリソース上のすべてのポートまたは指定されたポートとの間のＱＣＬ関係を決定し、前記ＱＣＬ関係によりＰＵＣＣＨ送信を実行する場合、
取得された指示シグナリングに基づいて、事前設定された複数の第１の基準信号リソースの中の１つの第１の基準信号リソースを決定し、
前記ＰＵＣＣＨのＤＭＲＳポートと、前記決定された１つの第１の基準信号リソース上のポート具有ＱＣＬ関係とがＱＣＬ関係を有すると決定し、
送受信機を制御して、前記ＱＣＬ関係によりＰＵＣＣＨ送信を実行し、
または、
取得された指示シグナリングに基づいて、事前設定された複数の第１の基準信号リソースの中の１つの第１の基準信号リソースおよび前記１つの第１の基準信号リソース上の少なくとも１つのポートを決定し、
前記ＰＵＣＣＨのＤＭＲＳポートと、前記決定された１つの第１の基準信号リソース上の前記少なくとも１つのポートとがＱＣＬ関係を有すると決定し、
送受信機を制御して、前記ＱＣＬ関係によりＰＵＣＣＨ送信を実行する。
【００６７】
１つの可能な実施モードでは、取得された指示シグナリングに基づいて、ＰＵＣＣＨ送信で使用されるアップリンクビームを決定する場合、
取得された高位層シグナリングに基づいて、ＰＵＣＣＨ送信で使用されるアップリンクビームを決定する。
【００６８】
１つの可能な実施モードでは、取得された高位層シグナリングに基づいて、ＰＵＣＣＨ送信で使用されるアップリンクビームを決定する場合、
前記高位層シグナリングによって１つのアップリンクビームのみを通知し、取得された高位層シグナリングに基づいて、前記高位層シグナリングによって通知された１つのアップリンクビームを使用してＰＵＣＣＨ送信を実行することを決定する。
【００６９】
１つの可能な実施モードでは、取得された高位層シグナリングに基づいて、ＰＵＣＣＨ送信で使用されるアップリンクビームを決定する場合、
前記高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応するとき、
前記第１のアップリンクビームがＰＵＣＣＨ送信に使用されることを決定し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームが以下の動作に使用されると決定し：送受信機を制御して、前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および、前記第２のアップリンクビームが以下の動作に使用されると決定し：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームが以下の動作に使用されると決定し：送受信機を制御して、同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｙを使用するＰＤＣＣＨおよび／またはＰＤＳＣＨのみを受信し、前記ダウンリンクビーム−ｙが前記高位層シグナリングによって通知された複数のアップリンクビームの中の第２のアップリンクビームに対応すると、
前記第２のアップリンクビームがＰＵＣＣＨ送信に使用されると決定し、または、
前記第１のアップリンクビームがＰＵＣＣＨ送信に使用されることを決定し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶ。
【００７０】
１つの可能な実施モードでは、取得された指示シグナリングに基づいて、ＰＵＣＣＨ送信で使用されるアップリンクビームを決定する場合、
ＰＤＣＣＨから受信された指示シグナリングに基づいて、ＰＵＣＣＨ送信で使用されるアップリンクビームを決定する。
【００７１】
１つの可能な実施モードでは、前記ＰＤＣＣＨに対応するＡＣＫ/ＮＡＣＫはＰＵＣＣＨで運ばれ、前記ＰＤＣＣＨは、リリースされるダウンリンク半持続的スケジューリング（ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨである。
【００７２】
１つの可能な実施モードでは、複数の前記ＰＤＣＣＨを受信し、複数の前記ＰＤＣＣＨと関連するＡＣＫ/ＮＡＣＫフィードバックが同時に送信される場合、以下の方式のいずれかまたは組み合わせが使用される：
方式１：
前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
決定されたアップリンクビームにより、送受信機を制御して、同一のＰＵＣＣＨにおいて、前記複数のＰＤＣＣＨと関連するＡＣＫ/ＮＡＣＫを送信し、
方式２：
前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
決定されたアップリンクビームにより、送受信機を制御して、同一のＰＵＣＣＨにおいて、前記複数のＰＤＣＣＨと関連するＡＣＫ/ＮＡＣＫを送信し、
方式３：
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、送受信機を制御して、同一のＰＵＣＣＨにおいて、前記複数のＰＤＣＣＨと関連するＡＣＫ/ＮＡＣＫを送信し、
１つの可能な実施モードでは、ＰＵＣＣＨ送信で使用されるアップリンクビームとして前記少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとする。
【００７３】
１つの可能な実施モードでは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループである。
【００７４】
１つの可能な実施モードでは、複数のダウンリンクビームと複数のアップリンクビームが複数のグループに分割され、同じグループのダウンリンクビームを使用するＰＤＣＣＨの指示シグナリングが同じグループのアップリンクビームを示す場合、
同じグループのダウンリンクビームを使用して受信されたＰＤＣＣＨの指示シグナリングの指示内容が同じであると判断し、
ダウンリンクビーム−ｘを使用するＰＤＣＣＨの指示シグナリングに基づいて決定された第１のアップリンクビーム，送受信機を制御して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、送受信機を制御して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【００７５】
１つの可能な実施モードでは、取得された指示シグナリングに基づいて、ＰＵＣＣＨ送信で使用されるアップリンクビームを決定する場合、
高位層シグナリングにより、１つのダウンリンクメインビームを事前に設定し、前記１つのダウンリンクメインビームに基づいて１つのアップリンクメインビームを決定し、ＰＵＣＣＨ送信で使用されるアップリンクビームとして前記１つのアップリンクメインビームを決定し、
または、
高位層シグナリングにより、１つのメインビームペアを事前設定し、前記メインビームペアは、１つのアップリンクメインビームおよび１つのダウンリンクメインビームを含み、ＰＵＣＣＨ送信で使用されるアップリンクビームとして前記１つのメインビームペア内のアップリンクメインビームを決定し、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、前記第１のビームグループに対応する第１のアップリンクメインビームがＰＵＣＣＨ送信に使用されると決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、前記第２のビームグループ内のダウンリンクビームを使用して送信されたＰＤＣＣＨおよび／またはＰＤＳＣＨと関連するＡＣＫ/ＮＡＣＫと、前記第１のビームグループ内のダウンリンクビームを使用して送信されたＰＤＣＣＨおよび／またはＰＤＳＣＨと関連するＡＣＫ/ＮＡＣＫとが同時に送信される場合、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信することを決定し、また、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信することを決定し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫを運ぶＰＵＣＣＨおよび前記第２のビームグループ内のビームを使用して送信されたＰＤＣＣＨおよび／またはＰＤＳＣＨと関連するＡＣＫ/ＮＡＣＫを運ぶＰＵＣＣＨを送信することを、決定し、
または、
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、前記第２のビームグループに対応する第２のアップリンクメインビームがＰＵＣＣＨ送信に使用されると決定し、または、前記第１のビームグループに対応する第１のアップリンクメインビームがＰＵＣＣＨ送信に使用されると決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【００７６】
第６の態様では、本発明の実施形態に係る他の装置であって，前記装置は、プロセッサと、プロセッサに接続されたメモリと、送受信機とを備え、プロセッサは、メモリのプログラムを読み取り、次のプロセスを実行するように構成され、
送受信機を制御して、指示シグナリングを送信し、前記指示シグナリングは、ＰＵＣＣＨ送信で使用されるアップリンクビームを決定するために端末によって使用され、
前記指示シグナリングに基づいて決定されたアップリンクビームに従って、前記端末がＰＵＣＣＨを送信することを決定する。
【００７７】
１つの可能な実施モードでは、指示シグナリングを送信し、前記指示シグナリングによって、端末が、ＰＵＣＣＨ送信で使用されるアップリンクビームを決定する場合、
前記指示シグナリングによって、ビームペアリンケージ（Ｂｅａｍ  Ｐａｉｒ  Ｌｉｎｋａｇｅ，ＢＰＬ）を示し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記指示シグナリングに基づいて決定されたアップリンクビームに従って、前記端末がＰＵＣＣＨを送信することを決定する場合、
前記端末が前記ＢＰＬに対応するアップリンクビームによりＰＵＣＣＨ送信を実行すると決定し、または、前記端末が、前記ＢＰＬに基づいて前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行と、決定する。
【００７８】
１つの可能な実施モードでは、送受信機を制御して、指示シグナリングを送信し、前記指示シグナリングによって、端末が、ＰＵＣＣＨ送信で使用されるアップリンクビームを決定する場合、
前記指示シグナリングは、ＰＵＣＣＨ送信のアップリンクビームをマークするためのビームインデックス（ｂｅａｍ ｉｎｄｅｘ）を指示する。
【００７９】
前記指示シグナリングに基づいて決定されたアップリンクビームに従って、前記端末がＰＵＣＣＨを送信することを決定する場合、
前記端末が、前記ビームインデックスに対応するアップリンクビームによりＰＵＣＣＨ送信を実行すると決定する。
【００８０】
１つの可能な実施モードでは、送受信機を制御して、指示シグナリングを送信し、前記指示シグナリングによって、端末が、ＰＵＣＣＨ送信で使用されるアップリンクビームを決定する場合、
前記指示シグナリングにより、ＰＵＣＣＨのＤＭＲＳポートと、第１の基準信号のリソース上のすべてのポートまたは指定されたポートとの間のＱＣＬ関係を、示し、
前記指示シグナリングに基づいて決定されたアップリンクビームに従って、前記端末がＰＵＣＣＨを送信することを決定する場合、
前記端末が、前記ＱＣＬ関係によりＰＵＣＣＨ送信を実行すると決定する。
【００８１】
１つの可能な実施モードでは、前記指示シグナリングにより、ＰＵＣＣＨのＤＭＲＳポートと、第１の基準信号のリソース上のすべてのポートまたは指定されたポートとの間のＱＣＬ関係を示し、前記ＱＣＬ関係によりＰＵＣＣＨ送信を実行する場合、
前記指示シグナリングにより、事前設定された複数の第１の基準信号リソースの中の１つの第１の基準信号リソースを示し、
前記端末が、ＰＵＣＣＨのＤＭＲＳポートと前記１つの第１の基準信号リソース上のポートとの間のＱＣＬ関係に基づいて、ＰＵＣＣＨ送信を実行すると決定し、
または、
前記指示シグナリにより、事前設定された複数の第１の基準信号リソースの中の１つの第１の基準信号リソース上の少なくとも１つのポートを示し、
前記端末が、ＰＵＣＣＨのＤＭＲＳポートと前記１つの第１の基準信号リソース上の前記少なくとも１つのポートとの間のＱＣＬ関係に基づいて、ＰＵＣＣＨ送信を実行すると決定する。
【００８２】
１つの可能な実施モードでは、送受信機を制御して、指示シグナリングを送信し、前記指示シグナリングによって、端末が、ＰＵＣＣＨ送信で使用されるアップリンクビームを決定する場合、
送受信機を制御して、高位層シグナリングにより前記指示シグナリングを送信する。
【００８３】
１つの可能な実施モードでは、送受信機を制御して、高位層シグナリングにより前記指示シグナリングを送信する場合、
前記高位層シグナリングによって１つのアップリンクビームのみを通知し、前記端末が前記高位層シグナリングによって通知された１つのアップリンクビームＰＵＣＣＨ送信を実行すると決定する。
【００８４】
１つの可能な実施モードでは、送受信機を制御して、高位層シグナリングにより前記指示シグナリングを送信する場合、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリングによって通知された複数のビームの中の第１のアップリンクビームに対応するとき、
前記第１のアップリンクビームを使用してＰＵＣＣＨ送信を実行し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリングによって通知された複数のアップリンクビームの中の第２のアップリンクビームに対応すると、
前記第１のアップリンクビームを使用して次の操作を実行する：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および前記第２のアップリンクビームを使用して次の操作を実行する：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームを使用して次の操作を実行する：前記ダウンリンクビーム−ｘを使用するＰＤＣＣＨおよび／またはＰＤＳＣＨと関連するＡＣＫ/ＮＡＣＫを運ぶＰＵＣＣＨ、前記ダウンリンクビーム−ｙを使用するＰＤＣＣＨおよび／またはＰＤＳＣＨと関連するＡＣＫ/ＮＡＣＫを運ぶＰＵＣＣＨを送信し、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｙを使用するＰＤＣＣＨおよび／またはＰＤＳＣＨのみを受信すると決定し、前記ダウンリンクビーム−ｙが前記高位層シグナリングによって通知された複数のアップリンクビームの中の第２のアップリンクビームに対応すると、
前記第２のアップリンクビームを使用してＰＵＣＣＨ送信を実行し、または、
前記第１のアップリンクビームを使用してＰＵＣＣＨ送信を実行し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶ。
【００８５】
１つの可能な実施モードでは、送受信機を制御して、指示シグナリングを送信し、前記指示シグナリングによって、端末が、ＰＵＣＣＨ送信で使用されるアップリンクビームを決定する場合、
送受信機を制御して、ＰＤＣＣＨにより前記指示シグナリングを送信する。
【００８６】
１つの可能な実施モードでは、前記ＰＤＣＣＨに対応するＡＣＫ/ＮＡＣＫはＰＵＣＣＨで運ばれ、前記ＰＤＣＣＨは、リリースされるダウンリンク半持続的スケジューリング（ＳＰＳ）リソースを示し、および／または、前記ＰＤＣＣＨは１つのＰＤＳＣＨに対応し、前記ＰＤＳＣＨに対応するＡＣＫ/ＮＡＣＫはＰＵＣＣＨで運ばれ、
または、
前記ＰＤＣＣＨはマルチキャストＰＤＣＣＨである。
【００８７】
１つの可能な実施モードでは、前記端末が複数の前記ＰＤＣＣＨを受信すると決定し、複数の前記ＰＤＣＣＨと関連するＡＣＫ/ＮＡＣＫフィードバックが同時に送信される場合、以下の方式のいずれかまたは組み合わせが使用される：
方式１：
前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
決定されたアップリンクビームにより、同一のＰＵＣＣＨにおいて、前記複数のＰＤＣＣＨと関連するＡＣＫ/ＮＡＣＫを送信し、
方式２：
前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
決定されたアップリンクビームにより、同一のＰＵＣＣＨにおいて、前記複数のＰＤＣＣＨと関連するＡＣＫ/ＮＡＣＫを送信し、
方式３：
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、前記複数のＰＤＣＣＨと関連するＡＣＫ/ＮＡＣＫを送信し、
１つの可能な実施モードでは、ＰＵＣＣＨ送信で使用されるアップリンクビームとして前記少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとする。
【００８８】
１つの可能な実施モードでは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループである。
【００８９】
１つの可能な実施モードでは、複数のダウンリンクビームと複数のアップリンクビームが複数のグループに分割され、同じグループのダウンリンクビームを使用するＰＤＣＣＨの指示シグナリングが同じグループのアップリンクビームを示す場合、複前記端末は、以下のプロセスを実行することを決定する：
同じグループのダウンリンクビームを使用して受信されたＰＤＣＣＨの指示シグナリングの指示内容が同じであると判断し、
ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【００９０】
１つの可能な実施モードでは、送受信機を制御して、指示シグナリングを送信し、前記指示シグナリングによって、端末が、ＰＵＣＣＨ送信で使用されるアップリンクビームを決定する場合、
高位層シグナリングにより、１つのダウンリンクメインビームを事前に設定し、端末がダウンリンクメインビームに基づいて１つのアップリンクメインビームを決定し、ＰＵＣＣＨ送信で使用されるアップリンクビームとしてアップリンクメインビームを取ることを決定し、
または、
高位層シグナリングにより、１つのメインビームペアを事前設定し、前記メインビームペアは、１つのアップリンクメインビームおよび１つのダウンリンクメインビームを含み、前記端末が前記１つのメインビームペアのアップリンクメインビームをＰＵＣＣＨ送信で使用されるアップリンクビームとして使用することを決定し、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨを受信する場合、前記第１のビームグループに対応する第１のアップリンクメインビームを使用してＰＵＣＣＨ送信を実行することを決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨ、および第２のビームグループ内のダウンリンクビームを使用して送信されたＰＤＣＣＨおよび／またはＰＤＳＣＨを受信する場合、前記第２のビームグループ内のダウンリンクビームを使用して送信されたＰＤＣＣＨおよび／またはＰＤＳＣＨと関連するＡＣＫ/ＮＡＣＫおよび前記第１のビームグループ内のダウンリンクビームを使用して送信されたＰＤＣＣＨおよび／またはＰＤＳＣＨと関連するＡＣＫ/ＮＡＣＫが同時に送信されることを決定すると、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信し、または、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫ、および前記第２のビームグループ内のビームを使用して送信されたＰＤＣＣＨおよび／またはＰＤＳＣＨと関連するＡＣＫ/ＮＡＣＫを送信し、
または、
高位層シグナリングにより、複数のビームグループを事前に設定し、ここで、各ビームグループは１つのアップリンクメインビームに対応し、ビームグループは１つ以上のダウンリンクビームを含み、前記端末が、第２のビームグループ内のダウンリンクビームを使用して送信されたＰＤＣＣＨおよび／またはＰＤＳＣＨのみを受信する場合、前記第２のビームグループに対応する第２のアップリンクメインビームを使用してＰＵＣＣＨ送信を実行し、または、前記第１のビームグループに対応する第１のアップリンクメインビームを使用してＰＵＣＣＨ送信を実行することを決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【発明の効果】
【００９１】
技術的解決策の中の１つ以上の技術的解決策は、以下の技術的効果または利点を有する：
本発明の実施形態では、５世代の新しいＲＡＴ（５Ｇ ＮＲ）におけるＰＵＣＣＨ送信で使用されるアップリンクビームを決定する方法が提供され、新しい無線通信システムにおけるＰＵＣＣＨ送信シーンをサポートすることができる。ＰＵＣＣＨが正しく送信されるように確保する。
【００９２】
さらに、本発明の実施形態では、取得された指示シグナリングに基づいてＰＵＣＣＨ送信で使用されるアップリンクビームを決定するため、本発明の実施形態に係るＰＵＣＣＨ送信方法は、実際の必要に応じて指示シグナリングを通じて必要なアップリンクビームを調整することができる。さまざまな作業環境に適応し、高い信頼性の要求を満たすことができる。
【００９３】
本発明に係る実施例や従来の技術解決策をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００９４】
【図１】本発明の実施形態に係るＰＵＣＣＨ送信方法の流れ図である。
【図２】本発明の実施形態に係る別のＰＵＣＣＨ送信方法の流れ図である。
【図３】本発明の実施形態に係るユーザ機器構造ブロック図である。
【図４】本発明の実施形態に係る装置構造ブロック図である。
【図５】本発明の実施形態に係るユーザ機器の構造概略図である。
【図６】本発明の実施形態に係る装置の構造概略図である。
【発明を実施するための形態】
【００９５】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００９６】
本発明の技術案は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）、ＮＲ（Ｎｅｗ Ｒａｄｉｏ）等に応用できる。
【００９７】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザ設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザ設備は、ＭＴ（Ｃｅｌｌｕｌａｒ  ｐｈｏｎｅとも呼ばれる）、無線通信機能を有するコンピュータなどを含むこともできる。ユーザ設備は、携帯式、ポケット式、手持ち式、コンピュータに内蔵されるかまたは、車載の移動装置であることもできる。
【００９８】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）、または、５Ｇ ＮＲにおける基地局（ｇＮＢ）であってもよいが、本発明をそれに限定しない。
【００９９】
本発明の目的、技術的解決策および利点をより明確にするために、本発明の実施形態における技術的解決策を、本発明の実施形態における図面と組み合わせて以下に明確かつ完全に説明する。本明細書に記載の実施形態は、本発明の実施形態の一部に過ぎず、すべての実施形態ではないことが明らかである。
【０１００】
創造的な仕事なしに本出願の実施形態に基づいて当業者によって得られる他のすべての実施形態は、本出願の保護範囲内にあるものとする。本願の実施形態および実施形態における特徴は、矛盾が存在しないという条件下で任意に組み合わせることができる。さらに、フロー図には論理順序が示されているが、示されているまたは説明されているステップは、いくつかの条件下で本明細書に示されている順序とは異なる順序で実行することができる。
【０１０１】
さらに、本明細書で使用される「および／または」項目は、関連オブジェクトを記述するための関連関係のみを表し、３つの関係を指す場合がある。例えば、Ａおよび／またはＢはＡが単独で存在する状況を表すことができる、ＡおよびＢ同時に存在し、Ｂは単独で存在する。加えて、特に明記しない限り、本明細書で使用される文字「/」は、一般に、前および後ろの関連オブジェクトが「または」関係にあることを示す。
【０１０２】
最初に、本開示のアプリケーションシーンについて説明する。
【０１０３】
物理アップリンク制御チャネル（ＰＵＣＣＨ）は、アップリンク制御情報（ＵＣＩ，Ｕｐｌｉｎｋ Ｃｏｎｔｒｏｌ Ｉｎｆｏｒｍａｔｉｏｎ）を送信するように構成される。ＵＣＩには、確認応答/非確認応答（ＡＣＫ/ＮＡＣＫ，ＡＣＫｎｏｗｌｅｄｇｅｍｅｎｔ/Ｎｏｎ− ＡＣＫｎｏｗｌｅｄｇｅｍｅｎｔ）、チャネル状態情報（ＣＳＩ，Ｃｈａｎｎｅｌ Ｓｔａｔｅ Ｉｎｆｏｒｍａｔｉｏｎ）、スケジューリング要求（ＳＲ，Ｓｃｈｅｄｕｌｉｎｇ Ｒｅｑｕｅｓｔ）、およびその他の情報が含まれる。
【０１０４】
５Ｇ ＮＲシステムでは、異なる送受信ポイント（ＴＲＰ）は異なるビームを使用して送信する。１つのＴＲＰが送信ビームを使用して１つのダウンリンク送信（Ｐｙｓｉｃａｌ Ｄｏｗｎｌｉｎｋ Ｃｏｎｔｒｏｌ Ｃｈａｎｎｅｌ（ＰＤＣＣＨ）、Ｐｈｙｓｉｃａｌ Ｄｏｗｎｌｉｎｋ Ｓｈａｒｅｄ Ｃｈａｎｎｅｌ（ＰＤＳＣＨ）、またはダウンリンク参照情報（ＣＳＩ-ＲＳなど）を実行する場合、端末は異なる受信ビームを使用して当該ダウンリンク送信を受信する。つまり、１つの送信ビームと１つの受信ビームの間にペアリング関係があり、ペアリング関係はビームペアリンケージ（ＢＰＬ，Ｂｅａｍ Ｐａｉｒ Ｌｉｎｋａｇｅ）と呼ばれる。アップリンク送信の場合と同様に、対応するＢＰＬもある。ＢＰＬはビームトレーニングを通じて取得できる。一般に、ネットワーク側は、端末がＰＤＣＣＨを検出するために、１つ以上のＰＤＣＣＨに対応するダウンリンクビームを端末に事前に設定することができる。ビームは、１つのチャネルの復調基準信号（ＤＭＲＳ）ポートが異なるＣＳＩ-ＲＳ構成（ポートやリソースなど）と準コロケーション（ＱＣＬ，Ｑｕａｓｉ−Ｃｏ−Ｌｏｃａｔｉｏｎ）関係を有することを端末に通知することで具現化できる。特定のＣＳＩ-ＲＳ構成を通知することにより、端末に使用されるビームを通知することができる。また、ビームはＢＰＬによっても具現化できる。このとき、端末は複数のＢＰＬで事前に設定されていてもよい。端末に１つのＢＰＬのインデックスが通知されると、端末は通知されたＢＰＬインデックスに従って対応するＢＰＬを決定し、ＢＰＬで定義された送信ビームと受信ビームのペアに従って使用されるビームを決定できる。上記の2つの具現化の方法では、ビームを定義する必要はなく、ビームは他の定義方法によって暗黙的に具体化される。もちろん、ビームはビームインデックスによって直接具現化することもできる。このとき、端末は、複数のビームで事前に設定または定義されており、通知されたビームインデックスに従って使用されるビームを決定できる。アップリンクとダウンリンクの両方の場合ビームの定義が適用される。アップリンクおよびダウンリンクの両方の場合ビームの定義は、同じ方法または異なる方法を使用できる。たとえば、2つのビームはＢＰＬまたはＱＣＬまたはビームインデックスで定義され、ダウンリンクビームはＢＰＬまたはＱＣＬで定義でき、アップリンクビームはビームインデックスで定義できる。アップリンクＢＰＬはアップリンクチャネル送信に使用されるビームペアであり、ダウンリンクＢＰＬはダウンリンクチャネル送信に使用されるビームペアである。アップリンクビームは、端末側でアップリンクチャネルを送信するように構成されたビームであり、基地局側でアップリンクチャネルを受信するように構成されたビームである。ダウンリンクビームは、端末側でダウンリンクチャネルを受信するように構成されたビームであり、ダウンリンクチャネルを送信するように構成されたビームである。
【０１０５】
以下の様々な実施形態は、同じ発明思想に基づいていることに留意されたい。実施形態のいずれかの内容の理解または説明において、他の実施形態に記載された内容を参照することができる。
【０１０６】
上記の技術的解決策をよりよく理解するために、上記の技術的解決策を、添付の図面および本発明の特定の実施方式を参照して以下で詳細に説明する。
【０１０７】
実施形態I
図１を参照すると、本発明の実施形態は、物理アップリンク制御チャネル（ＰＵＣＣＨ）送信方法を提供する。この方法は、機器間のＰＵＣＣＨ送信に使用できる。たとえば、ユーザ機器（Ｕｓｅｒ Ｅｑｕｉｐｍｅｎｔ，ＵＥ）がＰＵＣＣＨを基地局に送信する。ＵＥは、パーソナルコンピュータ（ＰＣ）、ノートブックコンピュータ、携帯電話、モノのインターネット機器、ウェアラブル機器などであり得る。本発明の実施形態は、ＵＥの特定のタイプを限定しない。基地局は、送受信ポイント（ＴＲＰ）、従来の基地局、および中継ノードなどの任意の受信ノードであり得る。
【０１０８】
本発明の実施形態におけるＰＵＣＣＨ送信方法のフローは、以下のように説明される。
【０１０９】
ステップ１０１：取得された指示シグナリングに基づいて、ＰＵＣＣＨ送信で使用されるアップリンクビーム（ｂｅａｍ）を決定する。
【０１１０】
ステップ１０２：決定されたアップリンクビームによりＰＵＣＣＨ送信を実行する。
【０１１１】
本発明の実施形態におけるアップリンクビームまたはダウンリンクビームは、具体的には以下のように具体化される。
【０１１２】
第１に、ビームペアリンケージ（ＢＰＬ）：基地局から端末へのＢＰＬおよび端末から基地局へのＢＰＬは、ビームトレーニングによって取得され得る。もちろん、アップリンクおよびダウンリンクチャネルの相反性の場合、端末から基地局へのＢＰＬは、基地局から端末へのＢＰＬに基づく相反性によっても取得され得る。すなわち、アップリンク送信で使用されるビームは、ダウンリンク送信で使用されるビームに基づいて決定され得る。
【０１１３】
または、第２に、ビームインデックス：測定／トレーニングを介して複数の設定された第１の基準信号リソースで得られた異なる送信および受信の組み合わせ（例えば、使用される、プリコーディングマトリックスとの組み合わせ）の結果が記録され、異なるビームとして直接定義され、ビームインデックスによって表され得る。それぞれアップリンクビームとダウンリンクビームとして定義される。もちろん、アップリンクチャネルとダウンリンクチャネルの相反性の場合、対応するアップリンクビームは、ダウンリンクビームに基づく相反性を通じて取得されてもよい。
【０１１４】
または、第３に、ＰＵＣＣＨの復調基準信号（ＤＭＲＳ）ポートと１つの第１基準信号リソース上のすべてのポートまたは指定ポートとの間の準コロケーション（ＱＣＬ）関係：第１基準信号はＣＳＩ-ＲＳおよびＳＲＳ信号のうちの１つ以上である。すなわち、複数の第１の基準信号のリソースまたはリソースとポートの組み合わせが事前に設定されている。異なるリソースまたは異なるリソースとポートが組み合わせされた条件下で、測定/トレーニングによって得られた異なる送信と受信の組み合わせの結果は、対応するリソースまたは対応するリソースとポートの送信解決策として記録される。端末に１つの第１基準信号リソースまたはリソースとポートの組み合わせが通知されると、送信チャネルのＤＭＲＳと第１基準信号リソースのポートにＱＣＬ関係があると通知されることに相当する。つまり送信（受信または送信）は、リソースまたは対応するリソースとポートで送信解決策を使用することで実現する必要がある。つまり、記録された対応する受信または送信プリコーディングマトリックスを使用して送信する。もちろん、アップリンクとダウンリンクの相反性の場合、アップリンクＱＣＬ関係もダウンリンクＱＣＬ関係を通じて取得されてもよい。
【０１１５】
可能な実施モードの１つでは、取得された指示シグナリングに基づいて、ＰＵＣＣＨ送信で使用されるアップリンクビームを決定する場合、
取得された指示シグナリングに基づいて、ビームペアリンケージ（ＢＰＬ）を決定し、ＢＰＬは、ＰＵＣＣＨ送信で使用されるアップリンクビームを決定するか、またはＰＵＣＣＨの復調基準信号（ＤＭＲＳ）ポートと第１の基準信号のリソース上のポートとの間の準コロケーション（ＱＣＬ）関係を決定し、
決定されたアップリンクビームによりＰＵＣＣＨ送信を実行する場合、
ＢＰＬに対応するアップリンクビームにより、ＰＵＣＣＨ送信を実行し、または、ＢＰＬに基づいて、ＰＵＣＣＨの復調基準信号（ＤＭＲＳ）ポートと第１の基準信号のリソース上のポートとの間のＱＣＬ関係を決定し、ＱＣＬ関係に従ってＰＵＣＣＨ送信を実行する。
【０１１６】
可能な実施モードの１つでは、取得された指示シグナリングに基づいて、ＰＵＣＣＨ送信で使用されるアップリンクビームを決定する場合、
取得された指示シグナリングに基づいて、ＰＵＣＣＨ送信のアップリンクビームをマークするためのビームインデックス（ｂｅａｍ ｉｎｄｅｘ）を決定し、
決定されたアップリンクビームによりＰＵＣＣＨ送信を実行する場合、
ビームインデックスに対応するアップリンクビームを使用してＰＵＣＣＨ送信を実行する。
【０１１７】
可能な実施モードの１つでは、取得された指示シグナリングに基づいて、ＰＵＣＣＨ送信で使用されるアップリンクビームを決定する場合、
取得された指示シグナリングに基づいて、ＰＵＣＣＨのＤＭＲＳポートと、第１の基準信号のリソース上のすべてのポートまたは指定されたポートとの間のＱＣＬ関係を決定し、
決定されたアップリンクビームによりＰＵＣＣＨ送信を実行する場合、
ＱＣＬ関係に従ってＰＵＣＣＨ送信を実行する。
【０１１８】
可能な実施モードの１つでは、取得された指示シグナリングに基づいて、ＰＵＣＣＨのＤＭＲＳポートと、第１の基準信号のリソース上のすべてのポートまたは指定されたポートとの間のＱＣＬ関係を決定し、ＱＣＬ関係に従ってＰＵＣＣＨ送信を実行する場合、
取得された指示シグナリングに基づいて、事前設定された複数の第１の基準信号リソースの中の１つの第１の基準信号リソースを決定し、
ＰＵＣＣＨのＤＭＲＳポートと、決定された１つの第１の基準信号リソース上のポートとが、ＱＣＬ関係を有すると決定し、
ＱＣＬ関係に従ってＰＵＣＣＨ送信を実行し、
または、
取得された指示シグナリングに基づいて、事前設定された複数の第１の基準信号リソースの中の１つの第１の基準信号リソースおよび１つの第１の基準信号リソース上の少なくとも１つのポートを決定し、
ＰＵＣＣＨのＤＭＲＳポートと決定された１つの第１の基準信号リソース上の少なくとも１つのポートとが、ＱＣＬ関係を有すると決定し、
ＱＣＬ関係に従ってＰＵＣＣＨ送信を実行する。
【０１１９】
可能な実施モードの１つでは、取得された指示シグナリングに基づいて、ＰＵＣＣＨ送信で使用されるアップリンクビームを決定する場合、
取得された高位層シグナリングに基づいて、ＰＵＣＣＨ送信で使用されるアップリンクビームを決定する。
【０１２０】
可能な実施モードの１つでは、取得された高位層シグナリングに基づいて、ＰＵＣＣＨ送信で使用されるアップリンクビームを決定する場合、
高位層シグナリングによって１つのアップリンクビームのみを通知し、取得された高位層シグナリングに基づいて、高位層シグナリングによって通知された１つのアップリンクビームを使用してＰＵＣＣＨ送信を実行すると決定する。
【０１２１】
可能な実施モードの１つでは、取得された高位層シグナリングに基づいて、ＰＵＣＣＨ送信で使用されるアップリンクビームを決定する場合、
高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、ダウンリンクビーム−ｘが高位層シグナリングによって通知された複数のビームの中の第１のアップリンクビームに対応する場合、
第１のアップリンクビームを使用してＰＵＣＣＨ送信を実行すると決定し、ＰＵＣＣＨは、ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、ダウンリンクビーム−ｘが高位層シグナリングによって通知された複数のビームの中の第１のアップリンクビームに対応し、ダウンリンクビーム−ｙを使用するＰＤＣＣＨおよび／またはＰＤＳＣＨを受信し、ダウンリンクビーム−ｙを使用するＰＤＣＣＨおよび／またはＰＤＳＣＨと関連するＡＣＫ/ＮＡＣＫ、およびダウンリンクビーム−ｘを使用するＰＤＣＣＨおよび／またはＰＤＳＣＨと関連するＡＣＫ/ＮＡＣＫが同時に送信される必要があり、ダウンリンクビーム−ｙが高位層シグナリングによって通知された複数のアップリンクビームの中の第２のアップリンクビームに対応する場合、
第１のアップリンクビームを使用して次の操作を実行すると決定する：ダウンリンクビーム−ｘを使用するＰＤＣＣＨおよび／またはＰＤＳＣＨと関連するＡＣＫ/ＮＡＣＫを運ぶためのＰＵＣＣＨを送信し、および第２のアップリンクビームを使用して次の操作を実行すると決定する：ダウンリンクビーム−ｙを使用するＰＤＣＣＨおよび／またはＰＤＳＣＨと関連するＡＣＫ/ＮＡＣＫを運ぶためのＰＵＣＣＨを送信し、または、
第１のアップリンクビームを使用して次の操作を実行すると決定する：同一のＰＵＣＣＨにおいて、ダウンリンクビーム−ｘを使用するＰＤＣＣＨおよび／またはＰＤＳＣＨと関連するＡＣＫ/ＮＡＣＫ、およびダウンリンクビーム−ｙを使用するＰＤＣＣＨおよび／またはＰＤＳＣＨと関連するＡＣＫ/ＮＡＣＫを送信し、
または、
高位層シグナリングにより複数のアップリンクビームを通知し、ここで、各アップリンクビームは、１つのダウンリンクビームまたはダウンリンクビームの１つのグループに対応し、ダウンリンクビーム−ｙを使用するＰＤＣＣＨおよび／またはＰＤＳＣＨのみを受信し、ダウンリンクビーム−ｙが高位層シグナリングによって通知された複数のアップリンクビームの中の第２のアップリンクビームに対応する場合、
第２のアップリンクビームを使用してＰＵＣＣＨ送信を実行すると決定し、または、
第１のアップリンクビームを使用してＰＵＣＣＨ送信を実行すると決定し、第１のアップリンクビームは第２のアップリンクビームと異なり、
ここで、ＰＵＣＣＨはダウンリンクビーム−ｙを使用するＰＤＣＣＨおよび／またはＰＤＳＣＨと関連するＡＣＫ/ＮＡＣＫを運ぶ。
【０１２２】
可能な実施モードの１つでは、取得された指示シグナリングに基づいて、ＰＵＣＣＨ送信で使用されるアップリンクビームを決定する場合、
ＰＤＣＣＨから受信された指示シグナリングに基づいて、ＰＵＣＣＨ送信で使用されるアップリンクビームを決定する。
【０１２３】
可能な実施モードの１つでは、ＰＤＣＣＨに対応するＡＣＫ/ＮＡＣＫがＰＵＣＣＨで運ばれ、ＰＤＣＣＨは、リリースされるダウンリンク半持続的スケジューリング（ＳＰＳ）リソースを示し、および／または、ＰＤＣＣＨは１つのＰＤＳＣＨに対応し、ＰＤＳＣＨに対応するＡＣＫ/ＮＡＣＫはＰＵＣＣＨで運ばれ、
または、
ＰＤＣＣＨはマルチキャストＰＤＣＣＨである。
【０１２４】
可能な実施モードの１つでは、複数のＰＤＣＣＨ（すなわち、ＤＣＩサイズ、および使用ビーム内の少なくとも１つの異なるビームを有するＰＤＣＣＨ）を受信し、複数のＰＤＣＣＨと関連するＡＣＫ/ＮＡＣＫフィードバックが同時に送信される（すなわち、前記ＰＤＣＣＨのＡＣＫ/ＮＡＣＫおよび／または前記ＰＤＣＣＨに対応するＰＤＳＣＨのＡＣＫ/ＮＡＣＫを同時にフィードバックする必要がある）場合、以下の方式のいずれかまたは組み合わせが使用される：
方式１：
複数の指示シグナリングに基づいて決定されたアップリンクビームをＰＵＣＣＨ送信で使用されるアップリンクビームとし、ここで、複数のＰＤＣＣＨよって受信された各指示シグナリングの指示内容は常に同じであると仮定される（samonaito,エラーが発生するｅｒｒｏｒ  ｃａｓｅ）；
決定されたアップリンクビームにより、同一のＰＵＣＣＨにおいて、複数のＰＤＣＣＨと関連するＡＣＫ/ＮＡＣＫ（前記ＰＤＣＣＨのＡＣＫ/ＮＡＣＫおよび前記ＰＤＣＣＨに対応するＰＤＳＣＨのＡＣＫ/ＮＡＣＫが含まれ、以下同じ）を送信し、
方式２：
複数のＰＤＣＣＨよって受信された各指示シグナリングに基づいて少なくとも１つのアップリンクビームを決定し、ＰＵＣＣＨ送信で使用されるアップリンクビームとして少なくとも１つのアップリンクビームから１つのアップリンクビームを選択し、
決定されたアップリンクビームにより、同一のＰＵＣＣＨにおいて、複数のＰＤＣＣＨと関連するＡＣＫ/ＮＡＣＫを送信し、
方式３：
複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、複数のＰＤＣＣＨと関連するＡＣＫ/ＮＡＣＫを送信する。
【０１２５】
ここで、指示内容が異なる場合、ビームは、上記の選択方法に従ってビームの１つのグループから選択することもでき、すなわち、方法２または方法３に対応する選択規則を再利用することによってビームを選択することができる。
【０１２６】
可能な実施モードの１つでは、Ｈ送信で使用されるアップリンクビームとして少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビームとして少なくとも１つのアップリンクビームから１つを選択し、例えばビームまたはセルの特定番号順を優先レベルと見なされる（昇順または降順）、
または、
少なくとも１つのアップリンクビームに事前設定されたまたは指定されたアップリンクメインビームが含まれるとき、ＰＵＣＣＨ送信で使用されるアップリンクビームとしてアップリンクメインビームを決定し、および
少なくとも１つのアップリンクビームにアップリンクメインビームが含まれていないとき、ＰＵＣＣＨ送信で使用されるアップリンクビームとして少なくとも１つのビーム内の指定された番号が付けられた補助ビームを決定し、例えば番号の昇順または降順に従い、
ここで、アップリンクメインビームは事前設定されたまたは指定されたビームであり、
または、
少なくとも１つのアップリンクビームに事前設定されたまたは指定されたメインセルに対応するアップリンクビームが含まれるとき、メインセルに対応するアップリンクビームをＰＵＣＣＨ送信で使用されるアップリンクビームとし、および
少なくとも１つのアップリンクビームにメインセルに対応するアップリンクビームが含まれていないとき、補助セルに対応するアップリンクビームをＰＵＣＣＨ送信で使用されるアップリンクビームとする。
【０１２７】
可能な実施モードの１つでは、複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、例えば、ビームまたはビームグループまたはcellの特定番号順を優先レベルしとしてなされる（昇順または降順）、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＵＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、例えば番号の昇順または降順に従い、
ここで、ダウンリンクメインビーム、メインセルは、事前設定されたまたは指定されたセルであり、
または、
ダウンリンクメインビームグループ内の少なくとも１つのダウンリンクビームを使用して受信されたＰＤＣＣＨによって運ばれる命令に基づいて、ＰＵＣＣＨ送信で使用されるアップリンクビームを決定し、および
ダウンリンクメインビームグループ内のいずれか１つのダウンリンクビームからＰＤＣＣＨによって運ばれる命令が受信されていない場合、補助ビームグループ内のダウンリンクビームを使用して受信されたＰＤＣＣＨによって運ばれる命令に基づいて、ＰＵＣＣＵＨ送信で使用されるビームを決定し、および
１つのビームグループに複数のダウンリンクビームが含まれると、同じダウンリンクビームグループ内の同時にＡＣＫ／ＮＡＣＫをフィードバックする必要がある複数の異なるＰＤＣＣＨが決定され、複数の異なるＰＤＣＣＨから取得された命令の指示内容が同じであると判断される。または、指示内容が異なる場合、上記の優先レベルまたはメイン/補助ビームの定義方法が選択のために再利用される。
【０１２８】
ここで、ダウンリンクメインビームグループは、事前設定されたまたは指定されたグループである。
【０１２９】
本発明の実施形態では、指示内容が異なる場合、ビームは、上記の選択方法に従ってビームの１つのグループから選択することもでき、すなわち、方法２または方法３の対応する選択規則を再利用することによってビームを選択することができる。
【０１３０】
可能な実施モードの１つでは、複数のダウンリンクビームと複数のアップリンクビームが複数のグループに分割され、同じグループのダウンリンクビームを使用するＰＤＣＣＨの指示シグナリングが同じグループのアップリンクビームを示す場合、
ダウンリンクビーム−ｘを使用するＰＤＣＣＨの指示シグナリングに基づいて決定された第１のアップリンクビームを使用して、ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容は同じであると常に仮定される（さもないと、エラーケースｅｒｒｏｒ  ｃａｓｅが発生する）。
【０１３１】
可能な実施モードの１つでは、複数のＰＤＣＣＨを受信し、前記ＰＤＣＣＨによって示されるＡＣＫ/ＮＡＣＫフィードバックタイミングが異なる場合、
前記端末が受信対応するＰＤＣＣＨ内の指示情報に基づいて、ＰＵＣＣＨ送信で使用される対応するビームを決定し、対応するＰＵＣＣＨ上で対応するＰＤＣＣＨに関連するＡＣＫ／ＮＡＣＫを送信する。
【０１３２】
可能な実施モードの１つでは、取得された指示シグナリングに基づいて、ＰＵＣＣＨ送信で使用されるアップリンクビームを決定する場合、
高位層シグナリングにより、１つのダウンリンクメインビームを事前に設定し、１つのダウンリンクメインビームに基づいて１つのアップリンクメインビームを決定し、ＰＵＣＣＨ送信で使用されるアップリンクビームとして、１つのアップリンクメインビームを決定し、
または、
高位層シグナリングにより、１つのメインビームペアを事前設定し、メインビームペアは、１つのアップリンクメインビームおよび１つのダウンリンクメインビームを含み、ＰＵＣＣＨ送信で使用されるアップリンクビームとして１つのメインビームペア内のアップリンクメインビームを決定し、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、第１のビームグループに対応する第１のアップリンクメインビームを使用してＰＵＣＣＨ送信を実行すると決定し、ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、第２のビームグループ内のダウンリンクビームを使用して送信されたＰＤＣＣＨおよび／またはＰＤＳＣＨと関連するＡＣＫ/ＮＡＣＫおよび第１のビームグループ内のダウンリンクビームを使用して送信されたＰＤＣＣＨおよび／またはＰＤＳＣＨに関連するＡＣＫ/ＮＡＣＫが同時に送信される場合、
第１のビームグループに対応する第１のアップリンクメインビームを使用して、第１のビームグループ内のビームを使用して送信されたＰＤＣＣＨおよび／またはＰＤＳＣＨと関連するＡＣＫ/ＮＡＣＫを運ぶＰＵＣＣＨを送信すると決定し、および第２のビームグループに対応する第２のアップリンクメインビームを使用して、第２のビームグループ内のビームを使用して送信されたＰＤＣＣＨおよび／またはＰＤＳＣＨと関連するＡＣＫ/ＮＡＣＫを運ぶＰＵＣＣＨを送信すると決定し、
または、
第１のビームグループに対応する第１のアップリンクメインビームを使用して、同一のＰＵＣＣＨにおいて、第１のビームグループ内のビームを使用して送信されたＰＤＣＣＨおよび／またはＰＤＳＣＨと関連するＡＣＫ/ＮＡＣＫを運ぶＰＤＣＣＨおよび第２のビームグループ内のビームを使用して送信されたＰＤＣＣＨおよび／またはＰＤＳＣＨと関連するＡＣＫ/ＮＡＣＫを運ぶＰＤＣＣＨを送信すると決定し、
または、
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、第２のビームグループに対応する第２のアップリンクメインビームを使用してＰＵＣＣＨ送信を実行すると決定し、または、第１のビームグループに対応する第１のアップリンクメインビームを使用してＰＵＣＣＨ送信を実行すると決定し、
ここで、ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【０１３３】
実施形態II
図２を参照すると、実施形態１と同じ発明思想に基づいて、本発明の実施形態は、別のＰＵＣＣＨ送信方法を提供する。この方法には次のステップが含まれる。
【０１３４】
ステップ２０１：指示シグナリングを送信し、指示シグナリングは、端末ＰＵＣＣＨ送信で使用されるアップリンクビームを決定するように構成される。
【０１３５】
ステップ２０２：端末が指示シグナリングに基づいて決定されたアップリンクビームを使用してＰＵＣＣＨ送信を実行すると決定する。
【０１３６】
特定の実施プロセスでは、端末は、実施形態Iの方法に適用される端末であり得、本発明の実施形態はそれに限定されない。
【０１３７】
可能な実施モードの１つでは、指示シグナリングを送信し、指示シグナリングによって、端末が、ＰＵＣＣＨ送信で使用されるアップリンクビームを決定する場合、
指示シグナリングによって、ビームペアリンケージ（Ｂｅａｍ  Ｐａｉｒ  Ｌｉｎｋａｇｅ，ＢＰＬ）を示し、ＢＰＬは、ＰＵＣＣＨ送信で使用されるアップリンクビームを決定するか、またはＰＵＣＣＨの復調基準信号（ＤＭＲＳ）ポートと第１の基準信号のリソース上のポートとの間の準コロケーション（ＱＣＬ）関係を決定し、
端末が指示シグナリングに基づいて決定されたアップリンクビームを使用してＰＵＣＣＨ送信を実行すると決定する場合、
端末がＢＰＬに対応するアップリンクビームを使用してＰＵＣＣＨ送信を実行すると決定し、または、端末がＢＰＬに基づいてＰＵＣＣＨの復調基準信号（ＤＭＲＳ）ポートと第１の基準信号のリソース上のポートとの間のＱＣＬ関係を決定し、ＱＣＬ関係に従ってＰＵＣＣＨ送信を実行すると、決定する。
【０１３８】
可能な実施モードの１つでは、指示シグナリングを送信し、指示シグナリングによって、端末が、ＰＵＣＣＨ送信で使用されるアップリンクビームを決定する場合、
指示シグナリングは、ＰＵＣＣＨ送信のアップリンクビームをマークするためのビームインデックス（ｂｅａｍ ｉｎｄｅｘ）を指示し、
端末が指示シグナリングに基づいて決定されたアップリンクビームを使用してＰＵＣＣＨ送信を実行すると決定する場合、
端末がビームインデックスに対応するアップリンクビームを使用してＰＵＣＣＨ送信を実行すると決定する。
【０１３９】
可能な実施モードの１つでは、指示シグナリングを送信し、指示シグナリングによって、端末が、ＰＵＣＣＨ送信で使用されるアップリンクビームを決定する場合、
指示シグナリングにより、ＰＵＣＣＨのＤＭＲＳポートと、第１の基準信号のリソース上のすべてのポートまたは指定されたポートとの間のＱＣＬ関係を、示し、
端末が指示シグナリングに基づいて決定されたアップリンクビームを使用してＰＵＣＣＨ送信を実行すると決定する場合、
端末がＱＣＬ関係に従ってＰＵＣＣＨ送信を実行すると決定する。
【０１４０】
可能な実施モードの１つでは、指示シグナリングにより、ＰＵＣＣＨのＤＭＲＳポートと、第１の基準信号のリソース上のすべてのポートまたは指定されたポートとの間のＱＣＬ関係を示し、ＱＣＬ関係に従ってＰＵＣＣＨ送信を実行する場合、
指示シグナリングにより、事前設定された複数の第１の基準信号リソースの中の１つの第１の基準信号リソースを示し、
端末がＰＵＣＣＨのＤＭＲＳポートと１つの第１の基準信号リソース上のポートとの間のＱＣＬ関係に従ってＰＵＣＣＨ送信を実行すると決定し、
または、
指示シグナリにより、事前設定された複数の第１の基準信号リソースの中の１つの第１の基準信号リソース上の少なくとも１つのポートを示し、
端末がＰＵＣＣＨのＤＭＲＳポートと１つの第１の基準信号リソース上の少なくとも１つのポートとの間のＱＣＬ関係に従ってＰＵＣＣＨ送信を実行すると決定する。
【０１４１】
可能な実施モードの１つでは、指示シグナリングを送信し、指示シグナリングによって、端末が、ＰＵＣＣＨ送信で使用されるアップリンクビームを決定する場合、
高位層シグナリングにより指示シグナリングを送信する。
【０１４２】
可能な実施モードの１つでは、高位層シグナリングにより指示シグナリングを送信する場合、
高位層シグナリングによって１つのアップリンクビームのみを通知し、端末が高位層シグナリングによって通知された１つのアップリンクビームを使用してＰＵＣＣＨ送信を実行すると決定する。
【０１４３】
可能な実施モードの１つでは、高位層シグナリングにより指示シグナリングを送信する場合、
高位層シグナリングにより複数のアップリンクビームを通知し、ここで、各アップリンクビームは、１つのダウンリンクビームまたはダウンリンクビームの１つのグループに対応し、端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、ダウンリンクビーム−ｘが高位層シグナリングによって通知された複数のビームの中の第１のアップリンクビームに対応する場合、
第１のアップリンクビームを使用してＰＵＣＣＨ送信を実行し、ＰＵＣＣＨは、ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
高位層シグナリングにより複数のアップリンクビームを通知し、ここで、各アップリンクビームは、１つのダウンリンクビームまたはダウンリンクビームの１つのグループに対応し、端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、ダウンリンクビーム−ｘが高位層シグナリングによって通知された複数のビームの中の第１のアップリンクビームに対応し、ダウンリンクビーム−ｙを使用するＰＤＣＣＨおよび／またはＰＤＳＣＨを受信し、ダウンリンクビーム−ｙを使用するＰＤＣＣＨおよび／またはＰＤＳＣＨと関連するＡＣＫ/ＮＡＣＫ、およびダウンリンクビーム−ｘを使用するＰＤＣＣＨおよび／またはＰＤＳＣＨと関連するＡＣＫ/ＮＡＣＫが同時に送信される必要があり、ダウンリンクビーム−ｙが高位層シグナリングによって通知された複数のアップリンクビームの中の第２のアップリンクビームに対応する場合、
第１のアップリンクビームを使用して次の操作を実行する：ダウンリンクビーム−ｘを使用するＰＤＣＣＨおよび／またはＰＤＳＣＨと関連するＡＣＫ/ＮＡＣＫを運ぶためのＰＵＣＣＨを送信し、および第２のアップリンクビームを使用して次の操作を実行する：ダウンリンクビーム−ｙを使用するＰＤＣＣＨおよび／またはＰＤＳＣＨと関連するＡＣＫ/ＮＡＣＫを運ぶためのＰＵＣＣＨを送信し、または、
第１のアップリンクビームを使用して次の操作を実行する：ダウンリンクビーム−ｘを使用するＰＤＣＣＨおよび／またはＰＤＳＣＨと関連するＡＣＫ/ＮＡＣＫを運ぶＰＵＣＣＨ、ダウンリンクビーム−ｙを使用するＰＤＣＣＨおよび／またはＰＤＳＣＨと関連するＡＣＫ/ＮＡＣＫを運ぶＰＵＣＣＨを送信し、
または、
高位層シグナリングにより複数のアップリンクビームを通知し、ここで、各アップリンクビームは、１つのダウンリンクビームまたはダウンリンクビームの１つのグループに対応し、端末がダウンリンクビーム−ｙを使用するＰＤＣＣＨおよび／またはＰＤＳＣＨのみを受信すると決定し、ダウンリンクビーム−ｙが高位層シグナリングによって通知された複数のアップリンクビームの中の第２のアップリンクビームに対応する場合、
第２のアップリンクビームを使用してＰＵＣＣＨ送信を実行し、または、
第１のアップリンクビームを使用してＰＵＣＣＨ送信を実行し、第１のアップリンクビームは第２のアップリンクビームと異なり、
ここで、ＰＵＣＣＨはダウンリンクビーム−ｙを使用するＰＤＣＣＨおよび／またはＰＤＳＣＨと関連するＡＣＫ/ＮＡＣＫを運ぶ。
【０１４４】
可能な実施モードの１つでは、指示シグナリングを送信し、指示シグナリングによって、端末が、ＰＵＣＣＨ送信で使用されるアップリンクビームを決定する場合、
ＰＤＣＣＨにより指示シグナリングを送信する。
【０１４５】
可能な実施モードの１つでは、ＰＤＣＣＨに対応するＡＣＫ/ＮＡＣＫがＰＵＣＣＨで運ばれ、ＰＤＣＣＨは、リリースされるダウンリンク半持続的スケジューリング（ＳＰＳ）リソースを示し、および／または、ＰＤＣＣＨは１つのＰＤＳＣＨに対応し、ＰＤＳＣＨに対応するＡＣＫ/ＮＡＣＫはＰＵＣＣＨで運ばれ、
または、
ＰＤＣＣＨはマルチキャストＰＤＣＣＨである。
【０１４６】
可能な実施モードの１つでは、端末が当複数のＰＤＣＣＨを受信すると決定し、複数のＰＤＣＣＨと関連するＡＣＫ/ＮＡＣＫフィードバックが同時に送信される場合、以下の方式のいずれか１つまたは組み合わせを使用する：
本発明の実施形態では、ＰＤＣＣＨと関連するＡＣＫ/ＮＡＣＫは、具体的には以下を含む。ＰＤＣＣＨがリリースされるＳＰＳ（ｓｅｍｉ−ｐｅｒｓｉｓｔｅｎｔ ｓｃｈｅｄｕｌｅ）リソースを示すＰＤＣＣＨである場合、ＡＣＫ／ＮＡＣＫは当該ＰＤＣＣＨのＡＣＫ／ＮＡＣＫである。当該ＰＤＣＣＨが対応するＰＤＳＣＨを有する場合、ＡＣＫ／ＮＡＣＫは当該ＰＤＳＣＨのＡＣＫ／ＮＡＣＫである。上記のＡＣＫ/ＮＡＣＫが同時に送信されるということは、上記のＰＤＣＣＨによって示されるＨＡＲＱ−ＡＣＫフィードバックタイミングが同じであること、または上記のＰＤＣＣＨによって示されるＨＡＲＱ−ＡＣＫフィードバックタイミングおよび/または上記のＰＤＣＣＨで示される時間領域リソースの位置に基づいて決定された時間領域位置は同じであること、を指す。
【０１４７】
方式１：
複数のＰＤＣＣＨの指示シグナリングに基づいて決定されたアップリンクビームをＰＵＣＣＨ送信で使用されるアップリンクビームとし、ここで、複数のＰＤＣＣＨよって受信された各指示シグナリングの指示内容が同じであり、
決定されたアップリンクビームにより、同一のＰＵＣＣＨにおいて、複数のＰＤＣＣＨと関連するＡＣＫ/ＮＡＣＫを送信し、
方式２：
複数のＰＤＣＣＨよって受信された各指示シグナリングに基づいて少なくとも１つのアップリンクビームを決定し、ＰＵＣＣＨ送信で使用されるアップリンクビームとして少なくとも１つのアップリンクビームから１つのアップリンクビームを選択し、
決定されたアップリンクビームにより、同一のＰＵＣＣＨにおいて、複数のＰＤＣＣＨと関連するＡＣＫ/ＮＡＣＫを送信し、
方式３：
複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、複数のＰＤＣＣＨと関連するＡＣＫ/ＮＡＣＫを送信し、
可能な実施モードの１つでは、Ｈ送信で使用されるアップリンクビームとして少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビームとして少なくとも１つのアップリンクビームから１つを選択し、
または、
少なくとも１つのアップリンクビームに事前設定されたまたは指定されたアップリンクメインビームが含まれるとき、ＰＵＣＣＨ送信で使用されるアップリンクビームとしてアップリンクメインビームを決定し、および
少なくとも１つのアップリンクビームにアップリンクメインビームが含まれていないとき、ＰＵＣＣＨ送信で使用されるアップリンクビームとして少なくとも１つのビーム内の指定された番号が付けられた補助ビームを決定し、
ここで、アップリンクメインビームは事前設定されたまたは指定されたビームであり、
または、
少なくとも１つのアップリンクビームに事前設定されたまたは指定されたメインセルに対応するアップリンクビームが含まれるとき、メインセルに対応するアップリンクビームをＰＵＣＣＨ送信で使用されるアップリンクビームとし、および
少なくとも１つのアップリンクビームにメインセルに対応するアップリンクビームが含まれていないとき、補助セルに対応するアップリンクビームをＰＵＣＣＨ送信で使用されるアップリンクビームとする。
【０１４８】
可能な実施モードの１つでは、複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、複数のＰＤＣＣＨから優先レベルが最高の１つのＰＤＣＣＨを選択し、選択された１つのＰＤＣＣＨによって受信された命令に基づいて、ＰＵＣＣＨ送信で使用されるアップリンクビームを決定し、
または、
ダウンリンクメインビームから受信されたＰＤＣＣＨによって運ばれる命令に基づいて、ＰＵＣＣＨ送信で使用されるアップリンクビームを決定し、および／または、メインセルにおいて受信されたＰＤＣＣＨによって運ばれる命令に基づいて、ＰＵＣＣＨ送信で使用されるアップリンクビームを決定し、
および、
ダウンリンクメインビームまたはメインセルからＰＤＣＣＨによって運ばれる命令が受信されない場合、ＰＤＣＣＨによって運ばれ、かつ、指定番号が付けられたダウンリンク補助ビームから受信された命令に基づいて、ＰＵＣＣＨ送信で使用されるアップリンクビームを決定し、および／または、ＰＤＣＣＨによって運ばれ、かつ補助セルから受信された命令に基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームから受信されたＰＤＣＣＨによって運ばれる命令に基づいて、ＰＵＣＣＨ送信で使用されるアップリンクビームを決定し、および
ダウンリンクメインビームグループ内のいずれか１つのダウンリンクビームからＰＤＣＣＨによって運ばれる命令が受信されていない場合、補助ビームグループ内のダウンリンクビームを使用して受信されたＰＤＣＣＨによって運ばれる命令に基づいて、ＰＵＣＣＵＨ送信で使用されるビームを決定し、および
１つのビームグループに複数のダウンリンクビームが含まれると、同じダウンリンクビームグループ内の同時にＡＣＫ／ＮＡＣＫをフィードバックする必要がある複数の異なるＰＤＣＣＨが決定され、複数の異なるＰＤＣＣＨから取得された命令の指示内容が同じであると判断される。
【０１４９】
ここで、ダウンリンクメインビームグループは、事前設定されたまたは指定されたグループである。
【０１５０】
可能な実施モードの１つでは、複数のダウンリンクビームと複数のアップリンクビームが複数のグループに分割され、同じグループのダウンリンクビームを使用するＰＤＣＣＨの指示シグナリングが同じグループのアップリンクビームを示す場合、端末が次のプロセスを実行すると決定する：
同じグループのダウンリンクビームを使用して受信されたＰＤＣＣＨの指示シグナリングの指示内容が同じであると判断し、
ダウンリンクビーム−ｘを使用するＰＤＣＣＨの指示シグナリングに基づいて決定された第１のアップリンクビームを使用して、ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【０１５１】
可能な実施モードの１つでは、指示シグナリングを送信し、指示シグナリングによって、端末が、ＰＵＣＣＨ送信で使用されるアップリンクビームを決定する場合、
高位層シグナリングにより、１つのダウンリンクメインビームを事前に設定し、端末が１つのダウンリンクメインビームに基づいて１つのアップリンクメインビームを決定し、１つのアップリンクメインビームをＰＵＣＣＨ送信で使用されるアップリンクビームとすると決定し、
または、
高位層シグナリングにより、１つのメインビームペアを事前設定し、メインビームペアは、１つのアップリンクメインビームおよび１つのダウンリンクメインビームを含み、端末が１つのメインビームペア内のアップリンクメインビームをＰＵＣＣＨ送信で使用されるアップリンクビームとすると決定し、
または、
高位層シグナリングにより、複数のビームグループを事前に設定し、ここで、各ビームグループは１つのアップリンクメインビームに対応し、ビームグループは１つ以上のダウンリンクビームを含み、端末が第１のビームグループ内のダウンリンクビームを使用して送信されたＰＤＣＣＨおよび／またはＰＤＳＣＨを受信するとき、第１のビームグループに対応する第１のアップリンクメインビームを使用してＰＵＣＣＨ送信を実行すると決定し、ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、端末が第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信すると決定し、第２のビームグループ内のダウンリンクビームを使用して送信されたＰＤＣＣＨおよび／またはＰＤＳＣＨと関連するＡＣＫ/ＮＡＣＫおよび第１のビームグループ内のダウンリンクビームを使用して送信されたＰＤＣＣＨおよび／またはＰＤＳＣＨに関連するＡＣＫ/ＮＡＣＫが同時に送信される場合、
第１のビームグループに対応する第１のアップリンクメインビームを使用して、第１のビームグループ内のビームを使用して送信されたＰＤＣＣＨおよび／またはＰＤＳＣＨと関連するＡＣＫ/ＮＡＣＫを運ぶＰＵＣＣＨを送信し、および第２のビームグループに対応する第２のアップリンクメインビームを使用して、第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
第１のビームグループに対応する第１のアップリンクメインビームを使用して、同一のＰＵＣＣＨにおいて、第１のビームグループ内のビームを使用して送信されたＰＤＣＣＨおよび／またはＰＤＳＣＨと関連するＡＣＫ/ＮＡＣＫ、および第２のビームグループ内のビームを使用して送信されたＰＤＣＣＨおよび／またはＰＤＳＣＨと関連するＡＣＫ/ＮＡＣＫを送信し、
または、
高位層シグナリングにより、複数のビームグループを事前に設定し、ここで、各ビームグループは１つのアップリンクメインビームに対応し、ビームグループは１つ以上のダウンリンクビームを含み、端末が第２のビームグループ内のダウンリンクビームを使用して送信されたＰＤＣＣＨおよび／またはＰＤＳＣＨのみを受信する場合、第２のビームグループに対応する第２のアップリンクメインビームを使用してＰＵＣＣＨ送信を実行し、または、第１のビームグループに対応する第１のアップリンクメインビームを使用してＰＵＣＣＨ送信を実行すると決定し、
ここで、ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【０１５２】
実施形態III
図３に示すように、本発明の実施形態は、ユーザ機器（ＵＥ）を提供する。ＵＥは、決定ユニット３０１および送信ユニット３０２を含む。
【０１５３】
決定ユニット３０１は、取得された指示シグナリングに基づいて、ＰＵＣＣＨ送信で使用されるアップリンクビーム（ｂｅａｍ）を決定する。
【０１５４】
送信ユニット３０２は、決定されたアップリンクビームによりＰＵＣＣＨ送信を実行する。
【０１５５】
可能な実施モードの１つでは、決定ユニット３０１は、取得された指示シグナリングに基づいて、ビームペアリンケージ（ＢＰＬ）を決定し、ＢＰＬは、ＰＵＣＣＨ送信で使用されるアップリンクビームを決定するか、またはＰＵＣＣＨの復調基準信号（ＤＭＲＳ）ポートと第１の基準信号のリソース上のポートとの間の準コロケーション（ＱＣＬ）関係を決定する。
【０１５６】
送信ユニット３０２は、ＢＰＬに対応するアップリンクビームにより、ＰＵＣＣＨ送信を実行し、または、ＢＰＬに基づいて、ＰＵＣＣＨの復調基準信号（ＤＭＲＳ）ポートと第１の基準信号のリソース上のポートとの間のＱＣＬ関係を決定し、ＱＣＬ関係に従ってＰＵＣＣＨ送信を実行する。
【０１５７】
可能な実施モードの１つでは、決定ユニット３０１は、取得された指示シグナリングに基づいて、ＰＵＣＣＨ送信のアップリンクビームをマークするためのビームインデックス（ｂｅａｍ ｉｎｄｅｘ）を決定する。
【０１５８】
送信ユニット３０２は、ビームインデックスに対応するアップリンクビームを使用してＰＵＣＣＨ送信を実行する。
【０１５９】
可能な実施モードの１つでは、決定ユニット３０１は、取得された指示シグナリングに基づいて、ＰＵＣＣＨのＤＭＲＳポートと、第１の基準信号のリソース上のすべてのポートまたは指定されたポートとの間のＱＣＬ関係を決定する。
【０１６０】
送信ユニット３０２は、ＱＣＬ関係に従ってＰＵＣＣＨ送信を実行する。
【０１６１】
可能な実施モードの１つでは、決定ユニット３０１は、取得された指示シグナリングに基づいて、事前設定された複数の第１の基準信号リソースの中の１つの第１の基準信号リソースを決定し、ＰＵＣＣＨのＤＭＲＳポートと、決定された１つの第１の基準信号リソース上のポートとが、ＱＣＬ関係を有すると決定する。
【０１６２】
送信ユニット３０２は、ＱＣＬ関係に従ってＰＵＣＣＨ送信を実行し、
または、
決定ユニット３０１は、取得された指示シグナリングに基づいて、事前設定された複数の第１の基準信号リソースの中の１つの第１の基準信号リソースおよび１つの第１の基準信号リソース上の少なくとも１つのポートを決定し、ＰＵＣＣＨのＤＭＲＳポートと決定された１つの第１の基準信号リソース上の少なくとも１つのポートとが、ＱＣＬ関係を有すると決定し、
送信ユニット３０２は、ＱＣＬ関係に従ってＰＵＣＣＨ送信を実行する。
【０１６３】
可能な実施モードの１つでは、取得された指示シグナリングに基づいて、ＰＵＣＣＨ送信で使用されるアップリンクビームを決定する場合、
取得された高位層シグナリングに基づいて、ＰＵＣＣＨ送信で使用されるアップリンクビームを決定する。
【０１６４】
可能な実施モードの１つでは、高位層シグナリングによって１つのアップリンクビームのみを通知し、決定ユニット３０１は、取得された高位層シグナリングに基づいて、高位層シグナリングによって通知された１つのアップリンクビームを使用してＰＵＣＣＨ送信を実行すると決定する。
【０１６５】
可能な実施モードの１つでは、高位層シグナリングにより複数のアップリンクビームを通知し、ここで、各アップリンクビームは、１つのダウンリンクビームまたはダウンリンクビームの１つのグループに対応し、決定ユニット３０１は、
ダウンリンクビーム−ｘを使用する物理ダウンリンク制御チャネル（ＰＤＣＣＨ）および／または物理ダウンリンク共有チャネル（ＰＤＳＣＨ）を受信し、ダウンリンクビーム−ｘが高位層シグナリングによって通知された複数のビームの中の第１のアップリンクビームに対応する場合、
第１のアップリンクビームを使用してＰＵＣＣＨ送信を実行すると決定し、ＰＵＣＣＨは、ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
高位層シグナリングにより複数のアップリンクビームを通知し、ここで、各アップリンクビームは、１つのダウンリンクビームまたはダウンリンクビームの１つのグループに対応し、決定ユニット３０１は、
ダウンリンクビーム−ｘを使用する物理ダウンリンク制御チャネル（ＰＤＣＣＨ）および／または物理ダウンリンク共有チャネル（ＰＤＳＣＨ）を受信し、ダウンリンクビーム−ｘが高位層シグナリングによって通知された複数のビームの中の第１のアップリンクビームに対応し、ダウンリンクビーム−ｙを使用するＰＤＣＣＨおよび／またはＰＤＳＣＨを受信し、ダウンリンクビーム−ｙを使用するＰＤＣＣＨおよび／またはＰＤＳＣＨと関連するＡＣＫ/ＮＡＣＫ、およびダウンリンクビーム−ｘを使用するＰＤＣＣＨおよび／またはＰＤＳＣＨと関連するＡＣＫ/ＮＡＣＫが同時に送信される必要があり、ダウンリンクビーム−ｙが高位層シグナリングによって通知された複数のアップリンクビームの中の第２のアップリンクビームに対応する場合、
第１のアップリンクビームを使用して次の操作を実行すると決定する：ダウンリンクビーム−ｘを使用するＰＤＣＣＨおよび／またはＰＤＳＣＨと関連するＡＣＫ/ＮＡＣＫを運ぶためのＰＵＣＣＨを送信し、および第２のアップリンクビームを使用して次の操作を実行すると決定する：ダウンリンクビーム−ｙを使用するＰＤＣＣＨおよび／またはＰＤＳＣＨと関連するＡＣＫ/ＮＡＣＫを運ぶためのＰＵＣＣＨを送信し、または、
第１のアップリンクビームを使用して次の操作を実行すると決定する：ダウンリンクビーム−ｘを使用するＰＤＣＣＨおよび／またはＰＤＳＣＨと関連するＡＣＫ/ＮＡＣＫを運ぶＰＵＣＣＨ、ダウンリンクビーム−ｙを使用するＰＤＣＣＨおよび／またはＰＤＳＣＨと関連するＡＣＫ/ＮＡＣＫを運ぶＰＵＣＣＨを送信し、
または、
高位層シグナリングにより複数のアップリンクビームを通知し、ここで、各アップリンクビームは、１つのダウンリンクビームまたはダウンリンクビームの１つのグループに対応し、決定ユニット３０１は、
ダウンリンクビーム−ｙを使用するＰＤＣＣＨおよび／またはＰＤＳＣＨのみを受信し、ダウンリンクビーム−ｙが高位層シグナリングによって通知された複数のアップリンクビームの中の第２のアップリンクビームに対応する場合、
第２のアップリンクビームを使用してＰＵＣＣＨ送信を実行すると決定し、または、
第１のアップリンクビームを使用してＰＵＣＣＨ送信を実行すると決定し、第１のアップリンクビームは第２のアップリンクビームと異なり、
ここで、ＰＵＣＣＨはダウンリンクビーム−ｙを使用するＰＤＣＣＨおよび／またはＰＤＳＣＨと関連するＡＣＫ/ＮＡＣＫを運ぶ。
【０１６６】
可能な実施モードの１つでは、決定ユニット３０１は、ＰＤＣＣＨから受信された指示シグナリングに基づいて、ＰＵＣＣＨ送信で使用されるアップリンクビームを決定する。
【０１６７】
可能な実施モードの１つでは、ＰＤＣＣＨに対応するＡＣＫ/ＮＡＣＫがＰＵＣＣＨで運ばれ、ＰＤＣＣＨは、リリースされるダウンリンク半持続的スケジューリング（ＳＰＳ）リソースを示し、および／または、ＰＤＣＣＨは１つのＰＤＳＣＨに対応し、ＰＤＳＣＨに対応するＡＣＫ/ＮＡＣＫはＰＵＣＣＨで運ばれ、
または、
ＰＤＣＣＨはマルチキャストＰＤＣＣＨである。
【０１６８】
可能な実施モードの１つでは、複数のＰＤＣＣＨを受信し、複数のＰＤＣＣＨと関連するＡＣＫ/ＮＡＣＫフィードバックが同時に送信される場合、以下の方式のいずれかまたは組み合わせが使用される：
方式１：
決定ユニット３０１は、複数のＰＤＣＣＨの指示シグナリングに基づいて決定されたアップリンクビームをＰＵＣＣＨ送信で使用されるアップリンクビームとし、ここで、複数のＰＤＣＣＨよって受信された各指示シグナリングの指示内容が同じであり、
送信ユニット３０２は、決定されたアップリンクビームにより、同一のＰＵＣＣＨにおいて、複数のＰＤＣＣＨと関連するＡＣＫ/ＮＡＣＫを送信し、
方式２：
決定ユニット３０１は、複数のＰＤＣＣＨよって受信された各指示シグナリングに基づいて少なくとも１つのアップリンクビームを決定し、ＰＵＣＣＨ送信で使用されるアップリンクビームとして少なくとも１つのアップリンクビームから１つのアップリンクビームを選択し、
送信ユニット３０２は、決定されたアップリンクビームにより、同一のＰＵＣＣＨにおいて、複数のＰＤＣＣＨと関連するＡＣＫ/ＮＡＣＫを送信し、
方式３：
決定ユニット３０１は、複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
送信ユニット３０２は、決定されたアップリンクビームにより、同一のＰＵＣＣＨにおいて、複数のＰＤＣＣＨと関連するＡＣＫ/ＮＡＣＫを送信し、
可能な実施モードの１つでは、決定ユニット３０１は、
事前設定されたまたは指定されたアップリンクビーム優先レベルまたはセル（ｃｅｌｌ）優先レベルに基づいて、ＰＵＣＣＨ送信で使用されるアップリンクビームとして少なくとも１つのアップリンクビームから１つを選択し、
または、
少なくとも１つのアップリンクビームに事前設定されたまたは指定されたアップリンクメインビームが含まれるとき、ＰＵＣＣＨ送信で使用されるアップリンクビームとしてアップリンクメインビームを決定し、および
少なくとも１つのアップリンクビームにアップリンクメインビームが含まれていないとき、ＰＵＣＣＨ送信で使用されるアップリンクビームとして少なくとも１つのビーム内の指定された番号が付けられた補助ビームを決定し、
ここで、アップリンクメインビームは事前設定されたまたは指定されたビームであり、
または、
少なくとも１つのアップリンクビームに事前設定されたまたは指定されたメインセルに対応するアップリンクビームが含まれるとき、メインセルに対応するアップリンクビームをＰＵＣＣＨ送信で使用されるアップリンクビームとし、および
少なくとも１つのアップリンクビームにメインセルに対応するアップリンクビームが含まれていないとき、補助セルに対応するアップリンクビームをＰＵＣＣＨ送信で使用されるアップリンクビームとする。
【０１６９】
可能な実施モードの１つでは、決定ユニット３０１は、
事前設定されたまたは指定されたダウンリンクビーム優先レベル、ダウンリンクビームグループ優先レベルまたはセル優先レベルに基づいて、複数のＰＤＣＣＨから優先レベルが最高の１つのＰＤＣＣＨを選択し、選択された１つのＰＤＣＣＨによって受信された命令に基づいて、ＰＵＣＣＨ送信で使用されるアップリンクビームを決定し、
または、
ダウンリンクメインビームから受信されたＰＤＣＣＨによって運ばれる命令に基づいて、ＰＵＣＣＨ送信で使用されるアップリンクビームを決定し、および／または、メインセルにおいて受信されたＰＤＣＣＨによって運ばれる命令に基づいて、ＰＵＣＣＨ送信で使用されるアップリンクビームを決定し、
および、
ダウンリンクメインビームまたはメインセルからＰＤＣＣＨによって運ばれる命令が受信されない場合、ＰＤＣＣＨによって運ばれ、かつ、指定番号が付けられたダウンリンク補助ビームから受信された命令に基づいて、ＰＵＣＣＨ送信で使用されるアップリンクビームを決定し、および／または、ＰＤＣＣＨによって運ばれ、かつ補助セルから受信された命令に基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームから受信されたＰＤＣＣＨによって運ばれる命令に基づいて、ＰＵＣＣＨ送信で使用されるアップリンクビームを決定し、および
ダウンリンクメインビームグループ内のいずれか１つのダウンリンクビームからＰＤＣＣＨによって運ばれる命令が受信されていない場合、補助ビームグループ内のダウンリンクビームを使用して受信されたＰＤＣＣＨによって運ばれる命令に基づいて、ＰＵＣＣＵＨ送信で使用されるビームを決定し、および
１つのビームグループに複数のダウンリンクビームが含まれると、同じダウンリンクビームグループ内の同時にＡＣＫ／ＮＡＣＫをフィードバックする必要がある複数の異なるＰＤＣＣＨが決定され、複数の異なるＰＤＣＣＨから取得された命令の指示内容が同じであると判断される。
【０１７０】
ここで、ダウンリンクメインビームグループは、事前設定されたまたは指定されたグループである。
【０１７１】
可能な実施モードの１つでは、決定ユニット３０１は、複数のダウンリンクビームと複数のアップリンクビームが複数のグループに分割され、同じグループのダウンリンクビームを使用するＰＤＣＣＨの指示シグナリングが同じグループのアップリンクビームを示す場合、
同じグループのダウンリンクビームを使用して受信されたＰＤＣＣＨの指示シグナリングの指示内容が同じであると判断し、
送信ユニット３０２は、ダウンリンクビーム−ｘを使用するＰＤＣＣＨの指示シグナリングに基づいて決定された第１のアップリンクビームを使用して、ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
送信ユニット３０２は、ダウンリンクビーム−ｙを使用するＰＤＣＣＨの指示シグナリングに基づいて決定された第２のアップリンクビームを使用して、ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【０１７２】
可能な実施モードの１つでは、送信ユニット３０２は、
高位層シグナリングにより、１つのダウンリンクメインビームを事前に設定し、１つのダウンリンクメインビームに基づいて１つのアップリンクメインビームを決定し、ＰＵＣＣＨ送信で使用されるアップリンクビームとして、１つのアップリンクメインビームを決定し、
または、
高位層シグナリングにより、１つのメインビームペアを事前設定し、メインビームペアは、１つのアップリンクメインビームおよび１つのダウンリンクメインビームを含み、ＰＵＣＣＨ送信で使用されるアップリンクビームとして１つのメインビームペア内のアップリンクメインビームを決定し、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、第１のビームグループに対応する第１のアップリンクメインビームを使用してＰＵＣＣＨ送信を実行すると決定し、ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、第２のビームグループ内のダウンリンクビームを使用して送信されたＰＤＣＣＨおよび／またはＰＤＳＣＨと関連するＡＣＫ/ＮＡＣＫおよび第１のビームグループ内のダウンリンクビームを使用して送信されたＰＤＣＣＨおよび／またはＰＤＳＣＨに関連するＡＣＫ/ＮＡＣＫが同時に送信される場合、
第１のビームグループに対応する第１のアップリンクメインビームを使用して、第１のビームグループ内のビームを使用して送信されたＰＤＣＣＨおよび／またはＰＤＳＣＨと関連するＡＣＫ/ＮＡＣＫを運ぶＰＵＣＣＨを送信すると決定し、および第２のビームグループに対応する第２のアップリンクメインビームを使用して、第２のビームグループ内のビームを使用して送信されたＰＤＣＣＨおよび／またはＰＤＳＣＨと関連するＡＣＫ/ＮＡＣＫを運ぶＰＵＣＣＨを送信すると決定し、
または、
第１のビームグループに対応する第１のアップリンクメインビームを使用して、同一のＰＵＣＣＨにおいて、第１のビームグループ内のビームを使用して送信されたＰＤＣＣＨおよび／またはＰＤＳＣＨと関連するＡＣＫ/ＮＡＣＫを運ぶＰＤＣＣＨおよび第２のビームグループ内のビームを使用して送信されたＰＤＣＣＨおよび／またはＰＤＳＣＨと関連するＡＣＫ/ＮＡＣＫを運ぶＰＤＣＣＨを送信すると決定し、
または、
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、第２のビームグループに対応する第２のアップリンクメインビームを使用してＰＵＣＣＨ送信を実行すると決定し、または、第１のビームグループに対応する第１のアップリンクメインビームを使用してＰＵＣＣＨ送信を実行すると決定し、
ここで、ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【０１７３】
実施形態IV
図８を参照する。この装置は、送信ユニット４０１および決定ユニット４０２を含む。
【０１７４】
送信ユニット４０１は、指示シグナリングを送信し、指示シグナリングは、ＰＵＣＣＨ送信で使用されるアップリンクビームを決定するために端末によって使用される。
【０１７５】
決定ユニット４０２は、端末が指示シグナリングに基づいて決定されたアップリンクビームを使用してＰＵＣＣＨ送信を実行すると決定する。
【０１７６】
可能な実施モードの１つでは、指示シグナリングによって、ビームペアリンケージ（Ｂｅａｍ  Ｐａｉｒ  Ｌｉｎｋａｇｅ，ＢＰＬ）を示し、ＢＰＬは、ＰＵＣＣＨ送信で使用されるアップリンクビームを決定するか、またはＰＵＣＣＨの復調基準信号（ＤＭＲＳ）ポートと第１の基準信号のリソース上のポートとの間の準コロケーション（ＱＣＬ）関係を決定し、
決定ユニット４０２は、端末がＢＰＬに対応するアップリンクビームを使用してＰＵＣＣＨ送信を実行すると決定し、または、端末がＢＰＬに基づいてＰＵＣＣＨの復調基準信号（ＤＭＲＳ）ポートと第１の基準信号のリソース上のポートとの間のＱＣＬ関係を決定し、ＱＣＬ関係に従ってＰＵＣＣＨ送信を実行すると、決定する。
【０１７７】
可能な実施モードの１つでは、指示シグナリングは、ＰＵＣＣＨ送信のアップリンクビームをマークするためのビームインデックス（ｂｅａｍ ｉｎｄｅｘ）を指示し、
決定ユニット４０２は、端末がビームインデックスに対応するアップリンクビームを使用してＰＵＣＣＨ送信を実行すると決定する。
【０１７８】
可能な実施モードの１つでは、指示シグナリングにより、ＰＵＣＣＨのＤＭＲＳポートと、第１の基準信号のリソース上のすべてのポートまたは指定されたポートとの間のＱＣＬ関係を、示し、
決定ユニット４０２は、端末がＱＣＬ関係に従ってＰＵＣＣＨ送信を実行すると決定する。
【０１７９】
可能な実施モードの１つでは、決定ユニット４０２は、
指示シグナリングにより事前設定された複数の第１の基準信号リソースの中の１つの第１の基準信号リソースを示すとき、端末がＰＵＣＣＨのＤＭＲＳポートと１つの第１の基準信号リソース上のポートとの間のＱＣＬ関係に従ってＰＵＣＣＨ送信を実行すると決定し、
または、
指示シグナリングにより事前設定された複数の第１の基準信号リソースの中の１つの第１の基準信号リソース上の少なくとも１つのポートを示すとき、端末がＰＵＣＣＨのＤＭＲＳポートと１つの第１の基準信号リソース上の少なくとも１つのポートとの間のＱＣＬ関係に従ってＰＵＣＣＨ送信を実行すると決定する。
【０１８０】
可能な実施モードの１つでは、送信ユニット４０１は、高位層シグナリングにより指示シグナリングを送信する。
【０１８１】
可能な実施モードの１つでは、決定ユニット４０２は、高位層シグナリングにより１つのみのアップリンクビームを通知するとき、端末が高位層シグナリングによって通知された１つのアップリンクビームを使用してＰＵＣＣＨ送信を実行すると決定する。
【０１８２】
可能な実施モードの１つでは、送信ユニット４０１は、
高位層シグナリングにより複数のアップリンクビームを通知し、ここで、各アップリンクビームは、１つのダウンリンクビームまたはダウンリンクビームの１つのグループに対応し、端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、ダウンリンクビーム−ｘが高位層シグナリングによって通知された複数のビームの中の第１のアップリンクビームに対応する場合、
第１のアップリンクビームを使用してＰＵＣＣＨ送信を実行し、ＰＵＣＣＨは、ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
高位層シグナリングにより複数のアップリンクビームを通知し、ここで、各アップリンクビームは、１つのダウンリンクビームまたはダウンリンクビームの１つのグループに対応し、端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、ダウンリンクビーム−ｘが高位層シグナリングによって通知された複数のビームの中の第１のアップリンクビームに対応し、ダウンリンクビーム−ｙを使用するＰＤＣＣＨおよび／またはＰＤＳＣＨを受信し、ダウンリンクビーム−ｙを使用するＰＤＣＣＨおよび／またはＰＤＳＣＨと関連するＡＣＫ/ＮＡＣＫ、およびダウンリンクビーム−ｘを使用するＰＤＣＣＨおよび／またはＰＤＳＣＨと関連するＡＣＫ/ＮＡＣＫが同時に送信される必要があり、ダウンリンクビーム−ｙが高位層シグナリングによって通知された複数のアップリンクビームの中の第２のアップリンクビームに対応する場合、
第１のアップリンクビームを使用して次の操作を実行する：ダウンリンクビーム−ｘを使用するＰＤＣＣＨおよび／またはＰＤＳＣＨと関連するＡＣＫ/ＮＡＣＫを運ぶためのＰＵＣＣＨを送信し、および第２のアップリンクビームを使用して次の操作を実行する：ダウンリンクビーム−ｙを使用するＰＤＣＣＨおよび／またはＰＤＳＣＨと関連するＡＣＫ/ＮＡＣＫを運ぶためのＰＵＣＣＨを送信し、または、
第１のアップリンクビームを使用して次の操作を実行する：ダウンリンクビーム−ｘを使用するＰＤＣＣＨおよび／またはＰＤＳＣＨと関連するＡＣＫ/ＮＡＣＫを運ぶＰＵＣＣＨ、ダウンリンクビーム−ｙを使用するＰＤＣＣＨおよび／またはＰＤＳＣＨと関連するＡＣＫ/ＮＡＣＫを運ぶＰＵＣＣＨを送信し、
または、
高位層シグナリングにより複数のアップリンクビームを通知し、ここで、各アップリンクビームは、１つのダウンリンクビームまたはダウンリンクビームの１つのグループに対応し、端末がダウンリンクビーム−ｙを使用するＰＤＣＣＨおよび／またはＰＤＳＣＨのみを受信すると決定し、ダウンリンクビーム−ｙが高位層シグナリングによって通知された複数のアップリンクビームの中の第２のアップリンクビームに対応する場合、
第２のアップリンクビームを使用してＰＵＣＣＨ送信を実行し、または、
第１のアップリンクビームを使用してＰＵＣＣＨ送信を実行し、第１のアップリンクビームは第２のアップリンクビームと異なり、
ここで、ＰＵＣＣＨはダウンリンクビーム−ｙを使用するＰＤＣＣＨおよび／またはＰＤＳＣＨと関連するＡＣＫ/ＮＡＣＫを運ぶ。
【０１８３】
可能な実施モードの１つでは、送信ユニット４０１は、ＰＤＣＣＨにより指示シグナリングを送信する。
【０１８４】
可能な実施モードの１つでは、ＰＤＣＣＨに対応するＡＣＫ/ＮＡＣＫがＰＵＣＣＨで運ばれ、ＰＤＣＣＨは、リリースされるダウンリンク半持続的スケジューリング（ＳＰＳ）リソースを示し、および／または、ＰＤＣＣＨは１つのＰＤＳＣＨに対応し、ＰＤＳＣＨに対応するＡＣＫ/ＮＡＣＫはＰＵＣＣＨで運ばれ、
または、
ＰＤＣＣＨはマルチキャストＰＤＣＣＨである。
【０１８５】
可能な実施モードの１つでは、端末が当複数のＰＤＣＣＨを受信すると決定し、複数のＰＤＣＣＨと関連するＡＣＫ/ＮＡＣＫフィードバックが同時に送信される場合、以下の方式のいずれかまたは組み合わせが使用される：
方式１：
決定ユニット４０２は、複数のＰＤＣＣＨの指示シグナリングに基づいて決定されたアップリンクビームをＰＵＣＣＨ送信で使用されるアップリンクビームとし、ここで、複数のＰＤＣＣＨよって受信された各指示シグナリングの指示内容が同じであり、
送信ユニット４０１は、決定されたアップリンクビームにより、同一のＰＵＣＣＨにおいて、複数のＰＤＣＣＨと関連するＡＣＫ/ＮＡＣＫを送信し、
方式２：
決定ユニット４０２は、複数のＰＤＣＣＨよって受信された各指示シグナリングに基づいて少なくとも１つのアップリンクビームを決定し、ＰＵＣＣＨ送信で使用されるアップリンクビームとして少なくとも１つのアップリンクビームから１つのアップリンクビームを選択し、
送信ユニット４０１は、決定されたアップリンクビームにより、同一のＰＵＣＣＨにおいて、複数のＰＤＣＣＨと関連するＡＣＫ/ＮＡＣＫを送信し、
方式３：
決定ユニット４０２は、複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
送信ユニット４０１は、決定されたアップリンクビームにより、同一のＰＵＣＣＨにおいて、複数のＰＤＣＣＨと関連するＡＣＫ/ＮＡＣＫを送信し、
可能な実施モードの１つでは、決定ユニット４０２は、
事前設定されたまたは指定されたアップリンクビーム優先レベルまたはセル（ｃｅｌｌ）優先レベルに基づいて、ＰＵＣＣＨ送信で使用されるアップリンクビームとして少なくとも１つのアップリンクビームから１つを選択し、
または、
少なくとも１つのアップリンクビームに事前設定されたまたは指定されたアップリンクメインビームが含まれるとき、ＰＵＣＣＨ送信で使用されるアップリンクビームとしてアップリンクメインビームを決定し、および
少なくとも１つのアップリンクビームにアップリンクメインビームが含まれていないとき、ＰＵＣＣＨ送信で使用されるアップリンクビームとして少なくとも１つのビーム内の指定された番号が付けられた補助ビームを決定し、
ここで、アップリンクメインビームは事前設定されたまたは指定されたビームであり、
または、
少なくとも１つのアップリンクビームに事前設定されたまたは指定されたメインセルに対応するアップリンクビームが含まれるとき、メインセルに対応するアップリンクビームをＰＵＣＣＨ送信で使用されるアップリンクビームとし、および
少なくとも１つのアップリンクビームにメインセルに対応するアップリンクビームが含まれていないとき、補助セルに対応するアップリンクビームをＰＵＣＣＨ送信で使用されるアップリンクビームとする。
【０１８６】
可能な実施モードの１つでは、決定ユニット４０２は、
事前設定されたまたは指定されたダウンリンクビーム優先レベル、ダウンリンクビームグループ優先レベルまたはセル優先レベルに基づいて、複数のＰＤＣＣＨから優先レベルが最高の１つのＰＤＣＣＨを選択し、選択された１つのＰＤＣＣＨによって受信された命令に基づいて、ＰＵＣＣＨ送信で使用されるアップリンクビームを決定し、
または、
ダウンリンクメインビームから受信されたＰＤＣＣＨによって運ばれる命令に基づいて、ＰＵＣＣＨ送信で使用されるアップリンクビームを決定し、および／または、メインセルにおいて受信されたＰＤＣＣＨによって運ばれる命令に基づいて、ＰＵＣＣＨ送信で使用されるアップリンクビームを決定し、
および、
ダウンリンクメインビームまたはメインセルからＰＤＣＣＨによって運ばれる命令が受信されない場合、ＰＤＣＣＨによって運ばれ、かつ、指定番号が付けられたダウンリンク補助ビームから受信された命令に基づいて、ＰＵＣＣＨ送信で使用されるアップリンクビームを決定し、および／または、ＰＤＣＣＨによって運ばれ、かつ補助セルから受信された命令に基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームから受信されたＰＤＣＣＨによって運ばれる命令に基づいて、ＰＵＣＣＨ送信で使用されるアップリンクビームを決定し、および
ダウンリンクメインビームグループ内のいずれか１つのダウンリンクビームからＰＤＣＣＨによって運ばれる命令が受信されていない場合、補助ビームグループ内のダウンリンクビームを使用して受信されたＰＤＣＣＨによって運ばれる命令に基づいて、ＰＵＣＣＵＨ送信で使用されるビームを決定し、および
１つのビームグループに複数のダウンリンクビームが含まれると、同じダウンリンクビームグループ内の同時にＡＣＫ／ＮＡＣＫをフィードバックする必要がある複数の異なるＰＤＣＣＨが決定され、複数の異なるＰＤＣＣＨから取得された命令の指示内容が同じであると判断される。
【０１８７】
ここで、ダウンリンクメインビームグループは、事前設定されたまたは指定されたグループである。
【０１８８】
可能な実施モードの１つでは、決定ユニット４０２は、複数のダウンリンクビームと複数のアップリンクビームが複数のグループに分割され、同じグループのダウンリンクビームを使用するＰＤＣＣＨの指示シグナリングが同じグループのアップリンクビームを示す場合、
同じグループのダウンリンクビームを使用して受信されたＰＤＣＣＨの指示シグナリングの指示内容が同じであると判断する。
【０１８９】
送信ユニット４０１は、ダウンリンクビーム−ｘを使用するＰＤＣＣＨの指示シグナリングに基づいて決定された第１のアップリンクビームを使用して、ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属する。
【０１９０】
送信ユニット４０１は、ダウンリンクビーム−ｙを使用するＰＤＣＣＨの指示シグナリングに基づいて決定された第２のアップリンクビームを使用して、ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【０１９１】
可能な実施モードの１つでは、送信ユニット４０１は、
高位層シグナリングにより、１つのダウンリンクメインビームを事前に設定し、端末が１つのダウンリンクメインビームに基づいて１つのアップリンクメインビームを決定し、１つのアップリンクメインビームをＰＵＣＣＨ送信で使用されるアップリンクビームとすると決定し、
または、
高位層シグナリングにより、１つのメインビームペアを事前設定し、メインビームペアは、１つのアップリンクメインビームおよび１つのダウンリンクメインビームを含み、端末が１つのメインビームペア内のアップリンクメインビームをＰＵＣＣＨ送信で使用されるアップリンクビームとすると決定し、
または、
高位層シグナリングにより、複数のビームグループを事前に設定し、ここで、各ビームグループは１つのアップリンクメインビームに対応し、ビームグループは１つ以上のダウンリンクビームを含み、端末が第１のビームグループ内のダウンリンクビームを使用して送信されたＰＤＣＣＨおよび／またはＰＤＳＣＨを受信するとき、第１のビームグループに対応する第１のアップリンクメインビームを使用してＰＵＣＣＨ送信を実行すると決定し、ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、端末が第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信すると決定し、第２のビームグループ内のダウンリンクビームを使用して送信されたＰＤＣＣＨおよび／またはＰＤＳＣＨと関連するＡＣＫ/ＮＡＣＫおよび第１のビームグループ内のダウンリンクビームを使用して送信されたＰＤＣＣＨおよび／またはＰＤＳＣＨに関連するＡＣＫ/ＮＡＣＫが同時に送信される場合、
第１のビームグループに対応する第１のアップリンクメインビームを使用して、第１のビームグループ内のビームを使用して送信されたＰＤＣＣＨおよび／またはＰＤＳＣＨと関連するＡＣＫ/ＮＡＣＫを運ぶＰＵＣＣＨを送信し、および第２のビームグループに対応する第２のアップリンクメインビームを使用して、第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
第１のビームグループに対応する第１のアップリンクメインビームを使用して、同一のＰＵＣＣＨにおいて、第１のビームグループ内のビームを使用して送信されたＰＤＣＣＨおよび／またはＰＤＳＣＨと関連するＡＣＫ/ＮＡＣＫ、および第２のビームグループ内のビームを使用して送信されたＰＤＣＣＨおよび／またはＰＤＳＣＨと関連するＡＣＫ/ＮＡＣＫを送信し、
または、
高位層シグナリングにより、複数のビームグループを事前に設定し、ここで、各ビームグループは１つのアップリンクメインビームに対応し、ビームグループは１つ以上のダウンリンクビームを含み、端末が第２のビームグループ内のダウンリンクビームを使用して送信されたＰＤＣＣＨおよび／またはＰＤＳＣＨのみを受信する場合、第２のビームグループに対応する第２のアップリンクメインビームを使用してＰＵＣＣＨ送信を実行し、または、第１のビームグループに対応する第１のアップリンクメインビームを使用してＰＵＣＣＨ送信を実行すると決定し、
ここで、ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【０１９２】
実施形態Ｖ
図５に示すように、本発明の実施形態は、別のユーザ機器（ＵＥ）を提供する。ユーザ機器は、プロセッサ５０１と、プロセッサ５０１に接続されたメモリ５０２と送受信機５０３とを含む。
【０１９３】
ここで、図５に示すように、バスアーキテクチャは、任意の数の相互接続されたバスおよびブリッジを含むことができ、特に、プロセッサ５０１によって表される１つ以上のプロセッサとメモリ５０２によって表されるメモリの様々な回路をリンクすることにより形成される。バスアーキテクチャは、周辺機器、電圧調整器、電力管理回路などのさまざまな他の回路もリンクでき、さまざまな他の回路は当技術分野で周知であり、したがって、本明細書ではこれ以上説明しない。バスインターフェースはインターフェースを提供する。送受信機５０３は、複数の要素、すなわち送信機および受信機を含み、伝送媒体上の様々な他の装置と通信するユニットを提供することができる。異なるユーザ機器の場合、ユーザインターフェース５０４は、所望のデバイスを外部および内部で接続することができるインターフェースであり得、接続されたデバイスは、キーパッド、ディスプレイ、スピーカー、マイク、ジョイスティックなどを含むが、これらに限定されない。
【０１９４】
プロセッサ５０１は、バスアーキテクチャを管理し、通常の処理を実行する役割を果たし、メモリ５０２は、プロセッサ５０１が動作を実行するときに使用されるデータを格納することができる。
【０１９５】
プロセッサ５０１は、メモリ５０２内のプログラムを読み取り、次のプロセスを実行するように構成され、
取得された指示シグナリングに基づいて、ＰＵＣＣＨ送信で使用されるアップリンクビーム（ｂｅａｍ）を決定し、
送受信機５０３を制御して、決定されたアップリンクビームによりＰＵＣＣＨ送信を実行する。
【０１９６】
可能な実施モードの１つでは、取得された指示シグナリングに基づいて、ＰＵＣＣＨ送信で使用されるアップリンクビームを決定する場合、
取得された指示シグナリングに基づいて、ビームペアリンケージ（ＢＰＬ）を決定し、ＢＰＬは、ＰＵＣＣＨ送信で使用されるアップリンクビームを決定するか、またはＰＵＣＣＨの復調基準信号（ＤＭＲＳ）ポートと第１の基準信号のリソース上のポートとの間の準コロケーション（ＱＣＬ）関係を決定し、
送受信機５０３を制御して、決定されたアップリンクビームによりＰＵＣＣＨ送信を実行する場合、
送受信機５０３を制御して、ＢＰＬに対応するアップリンクビームによりＰＵＣＣＨ送信を実行し、または、ＢＰＬに基づいて、ＰＵＣＣＨの復調基準信号（ＤＭＲＳ）ポートと第１の基準信号のリソース上のポートとの間のＱＣＬ関係を決定し、送受信機５０３を制御して、ＱＣＬ関係に従ってＰＵＣＣＨ送信を実行する。
【０１９７】
可能な実施モードの１つでは、取得された指示シグナリングに基づいて、ＰＵＣＣＨ送信で使用されるアップリンクビームを決定する場合、
取得された指示シグナリングに基づいて、ＰＵＣＣＨ送信のアップリンクビームをマークするためのビームインデックス（ｂｅａｍ ｉｎｄｅｘ）を決定し、
送受信機５０３を制御して、決定されたアップリンクビームによりＰＵＣＣＨ送信を実行する場合、
送受信機５０３を制御して、ビームインデックスに対応するアップリンクビームを使用してＰＵＣＣＨ送信を実行する。
【０１９８】
可能な実施モードの１つでは、取得された指示シグナリングに基づいて、ＰＵＣＣＨ送信で使用されるアップリンクビームを決定する場合、
取得された指示シグナリングに基づいて、ＰＵＣＣＨのＤＭＲＳポートと、第１の基準信号のリソース上のすべてのポートまたは指定されたポートとの間のＱＣＬ関係を決定し、
送受信機５０３を制御して、決定されたアップリンクビームによりＰＵＣＣＨ送信を実行する場合、
送受信機５０３を制御して、ＱＣＬ関係に従ってＰＵＣＣＨ送信を実行する。
【０１９９】
可能な実施モードの１つでは、取得された指示シグナリングに基づいて、ＰＵＣＣＨのＤＭＲＳポートと、第１の基準信号のリソース上のすべてのポートまたは指定されたポートとの間のＱＣＬ関係を決定し、ＱＣＬ関係に従ってＰＵＣＣＨ送信を実行する場合、
取得された指示シグナリングに基づいて、事前設定された複数の第１の基準信号リソースの中の１つの第１の基準信号リソースを決定し、
ＰＵＣＣＨのＤＭＲＳポートと、決定された１つの第１の基準信号リソース上のポートとが、ＱＣＬ関係を有すると決定し、
送受信機５０３を制御して、ＱＣＬ関係に従ってＰＵＣＣＨ送信を実行し、
または、
取得された指示シグナリングに基づいて、事前設定された複数の第１の基準信号リソースの中の１つの第１の基準信号リソースおよび１つの第１の基準信号リソース上の少なくとも１つのポートを決定し、
ＰＵＣＣＨのＤＭＲＳポートと決定された１つの第１の基準信号リソース上の少なくとも１つのポートとが、ＱＣＬ関係を有すると決定し、
送受信機５０３を制御して、ＱＣＬ関係に従ってＰＵＣＣＨ送信を実行する。
【０２００】
可能な実施モードの１つでは、取得された指示シグナリングに基づいて、ＰＵＣＣＨ送信で使用されるアップリンクビームを決定する場合、
取得された高位層シグナリングに基づいて、ＰＵＣＣＨ送信で使用されるアップリンクビームを決定する。
【０２０１】
可能な実施モードの１つでは、取得された高位層シグナリングに基づいて、ＰＵＣＣＨ送信で使用されるアップリンクビームを決定する場合、
高位層シグナリングによって１つのアップリンクビームのみを通知し、取得された高位層シグナリングに基づいて、高位層シグナリングによって通知された１つのアップリンクビームを使用してＰＵＣＣＨ送信を実行すると決定する。
【０２０２】
可能な実施モードの１つでは、取得された高位層シグナリングに基づいて、ＰＵＣＣＨ送信で使用されるアップリンクビームを決定する場合、
高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、ダウンリンクビーム−ｘが高位層シグナリングによって通知された複数のビームの中の第１のアップリンクビームに対応する場合、
第１のアップリンクビームを使用してＰＵＣＣＨ送信を実行すると決定し、ＰＵＣＣＨは、ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、ダウンリンクビーム−ｘが高位層シグナリングによって通知された複数のビームの中の第１のアップリンクビームに対応し、ダウンリンクビーム−ｙを使用するＰＤＣＣＨおよび／またはＰＤＳＣＨを受信し、ダウンリンクビーム−ｙを使用するＰＤＣＣＨおよび／またはＰＤＳＣＨと関連するＡＣＫ/ＮＡＣＫ、およびダウンリンクビーム−ｘを使用するＰＤＣＣＨおよび／またはＰＤＳＣＨと関連するＡＣＫ/ＮＡＣＫが同時に送信される必要があり、ダウンリンクビーム−ｙが高位層シグナリングによって通知された複数のアップリンクビームの中の第２のアップリンクビームに対応する場合、
第１のアップリンクビームを使用して次の操作を実行すると決定する：送受信機５０３を制御して、ダウンリンクビーム−ｘを使用するＰＤＣＣＨおよび／またはＰＤＳＣＨと関連するＡＣＫ/ＮＡＣＫを運ぶためのＰＵＣＣＨを送信し、および第２のアップリンクビームを使用して次の操作を実行すると決定する：ダウンリンクビーム−ｙを使用するＰＤＣＣＨおよび／またはＰＤＳＣＨと関連するＡＣＫ/ＮＡＣＫを運ぶためのＰＵＣＣＨを送信し、または、
第１のアップリンクビームを使用して次の操作を実行すると決定する：送受信機５０３を制御して、ダウンリンクビーム−ｘを使用するＰＤＣＣＨおよび／またはＰＤＳＣＨと関連するＡＣＫ/ＮＡＣＫを運ぶＰＵＣＣＨ、ダウンリンクビーム−ｙを使用するＰＤＣＣＨおよび／またはＰＤＳＣＨと関連するＡＣＫ/ＮＡＣＫを運ぶＰＵＣＣＨを送信し、
または、
高位層シグナリングにより複数のアップリンクビームを通知し、ここで、各アップリンクビームは、１つのダウンリンクビームまたはダウンリンクビームの１つのグループに対応し、ダウンリンクビーム−ｙを使用するＰＤＣＣＨおよび／またはＰＤＳＣＨのみを受信し、ダウンリンクビーム−ｙが高位層シグナリングによって通知された複数のアップリンクビームの中の第２のアップリンクビームに対応する場合、
第２のアップリンクビームを使用してＰＵＣＣＨ送信を実行すると決定し、または、
第１のアップリンクビームを使用してＰＵＣＣＨ送信を実行すると決定し、第１のアップリンクビームは第２のアップリンクビームと異なり、
ここで、ＰＵＣＣＨはダウンリンクビーム−ｙを使用するＰＤＣＣＨおよび／またはＰＤＳＣＨと関連するＡＣＫ/ＮＡＣＫを運ぶ。
【０２０３】
可能な実施モードの１つでは、取得された指示シグナリングに基づいて、ＰＵＣＣＨ送信で使用されるアップリンクビームを決定する場合、
ＰＤＣＣＨから受信された指示シグナリングに基づいて、ＰＵＣＣＨ送信で使用されるアップリンクビームを決定する。
【０２０４】
可能な実施モードの１つでは、ＰＤＣＣＨに対応するＡＣＫ/ＮＡＣＫがＰＵＣＣＨで運ばれ、ＰＤＣＣＨは、リリースされるダウンリンク半持続的スケジューリング（ＳＰＳ）リソースを示し、および／または、ＰＤＣＣＨは１つのＰＤＳＣＨに対応し、ＰＤＳＣＨに対応するＡＣＫ/ＮＡＣＫはＰＵＣＣＨで運ばれ、
または、
ＰＤＣＣＨはマルチキャストＰＤＣＣＨである。
【０２０５】
可能な実施モードの１つでは、複数のＰＤＣＣＨを受信し、複数のＰＤＣＣＨと関連するＡＣＫ/ＮＡＣＫフィードバックが同時に送信される場合、以下の方式のいずれかまたは組み合わせが使用される：
方式１：
複数のＰＤＣＣＨの指示シグナリングに基づいて決定されたアップリンクビームをＰＵＣＣＨ送信で使用されるアップリンクビームとし、ここで、複数のＰＤＣＣＨよって受信された各指示シグナリングの指示内容が同じであり、
決定されたアップリンクビームにより、送受信機５０３を制御して、同一のＰＵＣＣＨにおいて、複数のＰＤＣＣＨと関連するＡＣＫ/ＮＡＣＫを送信し、
方式２：
複数のＰＤＣＣＨよって受信された各指示シグナリングに基づいて少なくとも１つのアップリンクビームを決定し、ＰＵＣＣＨ送信で使用されるアップリンクビームとして少なくとも１つのアップリンクビームから１つのアップリンクビームを選択し、
決定されたアップリンクビームにより、送受信機５０３を制御して、同一のＰＵＣＣＨにおいて、複数のＰＤＣＣＨと関連するＡＣＫ/ＮＡＣＫを送信し、
方式３：
複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、送受信機５０３を制御して、同一のＰＵＣＣＨにおいて、複数のＰＤＣＣＨと関連するＡＣＫ/ＮＡＣＫを送信し、
可能な実施モードの１つでは、Ｈ送信で使用されるアップリンクビームとして少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビームとして少なくとも１つのアップリンクビームから１つを選択し、
または、
少なくとも１つのアップリンクビームに事前設定されたまたは指定されたアップリンクメインビームが含まれるとき、ＰＵＣＣＨ送信で使用されるアップリンクビームとしてアップリンクメインビームを決定し、および
少なくとも１つのアップリンクビームにアップリンクメインビームが含まれていないとき、ＰＵＣＣＨ送信で使用されるアップリンクビームとして少なくとも１つのビーム内の指定された番号が付けられた補助ビームを決定し、
ここで、アップリンクメインビームは事前設定されたまたは指定されたビームであり、
または、
少なくとも１つのアップリンクビームに事前設定されたまたは指定されたメインセルに対応するアップリンクビームが含まれるとき、メインセルに対応するアップリンクビームをＰＵＣＣＨ送信で使用されるアップリンクビームとし、および
少なくとも１つのアップリンクビームにメインセルに対応するアップリンクビームが含まれていないとき、補助セルに対応するアップリンクビームをＰＵＣＣＨ送信で使用されるアップリンクビームとする。
【０２０６】
可能な実施モードの１つでは、複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、複数のＰＤＣＣＨから優先レベルが最高の１つのＰＤＣＣＨを選択し、選択された１つのＰＤＣＣＨによって受信された命令に基づいて、ＰＵＣＣＨ送信で使用されるアップリンクビームを決定し、
または、
ダウンリンクメインビームから受信されたＰＤＣＣＨによって運ばれる命令に基づいて、ＰＵＣＣＨ送信で使用されるアップリンクビームを決定し、および／または、メインセルにおいて受信されたＰＤＣＣＨによって運ばれる命令に基づいて、ＰＵＣＣＨ送信で使用されるアップリンクビームを決定し、
および、
ダウンリンクメインビームまたはメインセルからＰＤＣＣＨによって運ばれる命令が受信されない場合、ＰＤＣＣＨによって運ばれ、かつ、指定番号が付けられたダウンリンク補助ビームから受信された命令に基づいて、ＰＵＣＣＨ送信で使用されるアップリンクビームを決定し、および／または、ＰＤＣＣＨによって運ばれ、かつ補助セルから受信された命令に基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームから受信されたＰＤＣＣＨによって運ばれる命令に基づいて、ＰＵＣＣＨ送信で使用されるアップリンクビームを決定し、および
ダウンリンクメインビームグループ内のいずれか１つのダウンリンクビームからＰＤＣＣＨによって運ばれる命令が受信されていない場合、補助ビームグループ内のダウンリンクビームを使用して受信されたＰＤＣＣＨによって運ばれる命令に基づいて、ＰＵＣＣＵＨ送信で使用されるビームを決定し、および
１つのビームグループに複数のダウンリンクビームが含まれると、同じダウンリンクビームグループ内の同時にＡＣＫ／ＮＡＣＫをフィードバックする必要がある複数の異なるＰＤＣＣＨが決定され、複数の異なるＰＤＣＣＨから取得された命令の指示内容が同じであると判断される。
【０２０７】
ここで、ダウンリンクメインビームグループは、事前設定されたまたは指定されたグループである。
【０２０８】
可能な実施モードの１つでは、複数のダウンリンクビームと複数のアップリンクビームが複数のグループに分割され、同じグループのダウンリンクビームを使用するＰＤＣＣＨの指示シグナリングが同じグループのアップリンクビームを示す場合、
同じグループのダウンリンクビームを使用して受信されたＰＤＣＣＨの指示シグナリングの指示内容が同じであると判断し、
ダウンリンクビーム−ｘを使用するＰＤＣＣＨの指示シグナリングに基づいて決定された第１のアップリンクビーム，送受信機５０３を制御して、ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、送受信機５０３を制御して、ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【０２０９】
可能な実施モードの１つでは、取得された指示シグナリングに基づいて、ＰＵＣＣＨ送信で使用されるアップリンクビームを決定する場合、
高位層シグナリングにより、１つのダウンリンクメインビームを事前に設定し、１つのダウンリンクメインビームに基づいて１つのアップリンクメインビームを決定し、ＰＵＣＣＨ送信で使用されるアップリンクビームとして、１つのアップリンクメインビームを決定し、
または、
高位層シグナリングにより、１つのメインビームペアを事前設定し、メインビームペアは、１つのアップリンクメインビームおよび１つのダウンリンクメインビームを含み、ＰＵＣＣＨ送信で使用されるアップリンクビームとして１つのメインビームペア内のアップリンクメインビームを決定し、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、第１のビームグループに対応する第１のアップリンクメインビームを使用してＰＵＣＣＨ送信を実行すると決定し、ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、第２のビームグループ内のダウンリンクビームを使用して送信されたＰＤＣＣＨおよび／またはＰＤＳＣＨと関連するＡＣＫ/ＮＡＣＫおよび第１のビームグループ内のダウンリンクビームを使用して送信されたＰＤＣＣＨおよび／またはＰＤＳＣＨに関連するＡＣＫ/ＮＡＣＫが同時に送信される場合、
第１のビームグループに対応する第１のアップリンクメインビームを使用して、第１のビームグループ内のビームを使用して送信されたＰＤＣＣＨおよび／またはＰＤＳＣＨと関連するＡＣＫ/ＮＡＣＫを運ぶＰＵＣＣＨを送信すると決定し、および第２のビームグループに対応する第２のアップリンクメインビームを使用して、第２のビームグループ内のビームを使用して送信されたＰＤＣＣＨおよび／またはＰＤＳＣＨと関連するＡＣＫ/ＮＡＣＫを運ぶＰＵＣＣＨを送信すると決定し、
または、
第１のビームグループに対応する第１のアップリンクメインビームを使用して、同一のＰＵＣＣＨにおいて、第１のビームグループ内のビームを使用して送信されたＰＤＣＣＨおよび／またはＰＤＳＣＨと関連するＡＣＫ/ＮＡＣＫを運ぶＰＤＣＣＨおよび第２のビームグループ内のビームを使用して送信されたＰＤＣＣＨおよび／またはＰＤＳＣＨと関連するＡＣＫ/ＮＡＣＫを運ぶＰＤＣＣＨを送信すると決定し、
または、
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、第２のビームグループに対応する第２のアップリンクメインビームを使用してＰＵＣＣＨ送信を実行すると決定し、または、第１のビームグループに対応する第１のアップリンクメインビームを使用してＰＵＣＣＨ送信を実行すると決定し、
ここで、ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【０２１０】
図６を参照すると、本発明の実施形態は別の装置を提供する。この装置は、プロセッサ６０１と、プロセッサに接続されたメモリ６０２と送受信機６０３とを含む。
図６において、バスアーキテクチャは、任意の数の相互接続されたバスおよびブリッジを含むことができ、特に、プロセッサ６０１によって表される１つ以上のプロセッサとメモリ６０２によって表されるメモリの様々な回路をリンクすることにより形成される。バスアーキテクチャは、周辺機器、電圧調整器、電力管理回路などのさまざまな他の回路もリンクでき、さまざまな他の回路は当技術分野で周知であり、したがって、本明細書ではこれ以上説明しない。バスインターフェースはインターフェースを提供する。送受信機６０３は、複数の要素、すなわち、送信機および送受信機を含み、伝送媒体上の様々な他の装置と通信するユニットを提供することができる。プロセッサ６０１は、バスアーキテクチャを管理し、通常の処理を実行する役割を果たし、メモリ６０２は、プロセッサ６０１が動作を実行するときに使用されるデータを格納することができる。
【０２１１】
プロセッサ６０１は、メモリ６０２のプログラムを読み取り、次のプロセスを実行するように構成され、
送受信機６０３を制御して、指示シグナリングを送信し、指示シグナリングは、ＰＵＣＣＨ送信で使用されるアップリンクビームを決定するために端末によって使用され、
端末が指示シグナリングに基づいて決定されたアップリンクビームを使用してＰＵＣＣＨ送信を実行すると決定する。
【０２１２】
可能な実施モードの１つでは、指示シグナリングを送信し、指示シグナリングによって、端末が、ＰＵＣＣＨ送信で使用されるアップリンクビームを決定する場合、
指示シグナリングによって、ビームペアリンケージ（Ｂｅａｍ  Ｐａｉｒ  Ｌｉｎｋａｇｅ，ＢＰＬ）を示し、ＢＰＬは、ＰＵＣＣＨ送信で使用されるアップリンクビームを決定するか、またはＰＵＣＣＨの復調基準信号（ＤＭＲＳ）ポートと第１の基準信号のリソース上のポートとの間の準コロケーション（ＱＣＬ）関係を決定し、
端末が指示シグナリングに基づいて決定されたアップリンクビームを使用してＰＵＣＣＨ送信を実行すると決定する場合、
端末がＢＰＬに対応するアップリンクビームを使用してＰＵＣＣＨ送信を実行すると決定し、または、端末がＢＰＬに基づいてＰＵＣＣＨの復調基準信号（ＤＭＲＳ）ポートと第１の基準信号のリソース上のポートとの間のＱＣＬ関係を決定し、ＱＣＬ関係に従ってＰＵＣＣＨ送信を実行すると、決定する。
【０２１３】
可能な実施モードの１つでは、送受信機６０３を制御して、指示シグナリングを送信し、指示シグナリングによって、端末が、ＰＵＣＣＨ送信で使用されるアップリンクビームを決定する場合、
指示シグナリングは、ＰＵＣＣＨ送信のアップリンクビームをマークするためのビームインデックス（ｂｅａｍ ｉｎｄｅｘ）を指示する。
【０２１４】
端末が指示シグナリングに基づいて決定されたアップリンクビームを使用してＰＵＣＣＨ送信を実行すると決定する場合、
端末がビームインデックスに対応するアップリンクビームを使用してＰＵＣＣＨ送信を実行すると決定する。
【０２１５】
可能な実施モードの１つでは、送受信機６０３を制御して、指示シグナリングを送信し、指示シグナリングによって、端末が、ＰＵＣＣＨ送信で使用されるアップリンクビームを決定する場合、
指示シグナリングにより、ＰＵＣＣＨのＤＭＲＳポートと、第１の基準信号のリソース上のすべてのポートまたは指定されたポートとの間のＱＣＬ関係を、示し、
端末が指示シグナリングに基づいて決定されたアップリンクビームを使用してＰＵＣＣＨ送信を実行すると決定する場合、
端末がＱＣＬ関係に従ってＰＵＣＣＨ送信を実行すると決定する。
【０２１６】
可能な実施モードの１つでは、指示シグナリングにより、ＰＵＣＣＨのＤＭＲＳポートと、第１の基準信号のリソース上のすべてのポートまたは指定されたポートとの間のＱＣＬ関係を示し、ＱＣＬ関係に従ってＰＵＣＣＨ送信を実行する場合、
指示シグナリングにより、事前設定された複数の第１の基準信号リソースの中の１つの第１の基準信号リソースを示し、
端末がＰＵＣＣＨのＤＭＲＳポートと１つの第１の基準信号リソース上のポートとの間のＱＣＬ関係に従ってＰＵＣＣＨ送信を実行すると決定し、
または、
指示シグナリにより、事前設定された複数の第１の基準信号リソースの中の１つの第１の基準信号リソース上の少なくとも１つのポートを示し、
端末がＰＵＣＣＨのＤＭＲＳポートと１つの第１の基準信号リソース上の少なくとも１つのポートとの間のＱＣＬ関係に従ってＰＵＣＣＨ送信を実行すると決定する。
【０２１７】
可能な実施モードの１つでは、送受信機６０３を制御して、指示シグナリングを送信し、指示シグナリングによって、端末が、ＰＵＣＣＨ送信で使用されるアップリンクビームを決定する場合、
送受信機６０３を制御して、高位層シグナリングにより指示シグナリングを送信する。
【０２１８】
可能な実施モードの１つでは、送受信機６０３を制御して、高位層シグナリングにより指示シグナリングを送信する場合、
高位層シグナリングによって１つのアップリンクビームのみを通知し、端末が高位層シグナリングによって通知された１つのアップリンクビームを使用してＰＵＣＣＨ送信を実行すると決定する。
【０２１９】
可能な実施モードの１つでは、送受信機６０３を制御して、高位層シグナリングにより指示シグナリングを送信する場合、
高位層シグナリングにより複数のアップリンクビームを通知し、ここで、各アップリンクビームは、１つのダウンリンクビームまたはダウンリンクビームの１つのグループに対応し、端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、ダウンリンクビーム−ｘが高位層シグナリングによって通知された複数のビームの中の第１のアップリンクビームに対応する場合、
第１のアップリンクビームを使用してＰＵＣＣＨ送信を実行し、ＰＵＣＣＨは、ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
高位層シグナリングにより複数のアップリンクビームを通知し、ここで、各アップリンクビームは、１つのダウンリンクビームまたはダウンリンクビームの１つのグループに対応し、端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、ダウンリンクビーム−ｘが高位層シグナリングによって通知された複数のビームの中の第１のアップリンクビームに対応し、ダウンリンクビーム−ｙを使用するＰＤＣＣＨおよび／またはＰＤＳＣＨを受信し、ダウンリンクビーム−ｙを使用するＰＤＣＣＨおよび／またはＰＤＳＣＨと関連するＡＣＫ/ＮＡＣＫ、およびダウンリンクビーム−ｘを使用するＰＤＣＣＨおよび／またはＰＤＳＣＨと関連するＡＣＫ/ＮＡＣＫが同時に送信される必要があり、ダウンリンクビーム−ｙが高位層シグナリングによって通知された複数のアップリンクビームの中の第２のアップリンクビームに対応する場合、
第１のアップリンクビームを使用して次の操作を実行する：ダウンリンクビーム−ｘを使用するＰＤＣＣＨおよび／またはＰＤＳＣＨと関連するＡＣＫ/ＮＡＣＫを運ぶためのＰＵＣＣＨを送信し、および第２のアップリンクビームを使用して次の操作を実行する：ダウンリンクビーム−ｙを使用するＰＤＣＣＨおよび／またはＰＤＳＣＨと関連するＡＣＫ/ＮＡＣＫを運ぶためのＰＵＣＣＨを送信し、または、
第１のアップリンクビームを使用して次の操作を実行する：ダウンリンクビーム−ｘを使用するＰＤＣＣＨおよび／またはＰＤＳＣＨと関連するＡＣＫ/ＮＡＣＫを運ぶＰＵＣＣＨ、ダウンリンクビーム−ｙを使用するＰＤＣＣＨおよび／またはＰＤＳＣＨと関連するＡＣＫ/ＮＡＣＫを運ぶＰＵＣＣＨを送信し、
または、
高位層シグナリングにより複数のアップリンクビームを通知し、ここで、各アップリンクビームは、１つのダウンリンクビームまたはダウンリンクビームの１つのグループに対応し、端末がダウンリンクビーム−ｙを使用するＰＤＣＣＨおよび／またはＰＤＳＣＨのみを受信すると決定し、ダウンリンクビーム−ｙが高位層シグナリングによって通知された複数のアップリンクビームの中の第２のアップリンクビームに対応する場合、
第２のアップリンクビームを使用してＰＵＣＣＨ送信を実行し、または、
第１のアップリンクビームを使用してＰＵＣＣＨ送信を実行し、第１のアップリンクビームは第２のアップリンクビームと異なり、
ここで、ＰＵＣＣＨはダウンリンクビーム−ｙを使用するＰＤＣＣＨおよび／またはＰＤＳＣＨと関連するＡＣＫ/ＮＡＣＫを運ぶ。
【０２２０】
可能な実施モードの１つでは、送受信機６０３を制御して、指示シグナリングを送信し、指示シグナリングによって、端末が、ＰＵＣＣＨ送信で使用されるアップリンクビームを決定する場合、
送受信機６０３を制御して、ＰＤＣＣＨにより指示シグナリングを送信する。
【０２２１】
可能な実施モードの１つでは、ＰＤＣＣＨに対応するＡＣＫ/ＮＡＣＫがＰＵＣＣＨで運ばれ、ＰＤＣＣＨは、リリースされるダウンリンク半持続的スケジューリング（ＳＰＳ）リソースを示し、および／または、ＰＤＣＣＨは１つのＰＤＳＣＨに対応し、ＰＤＳＣＨに対応するＡＣＫ/ＮＡＣＫはＰＵＣＣＨで運ばれ、
または、
ＰＤＣＣＨはマルチキャストＰＤＣＣＨである。
【０２２２】
可能な実施モードの１つでは、端末が当複数のＰＤＣＣＨを受信すると決定し、複数のＰＤＣＣＨと関連するＡＣＫ/ＮＡＣＫフィードバックが同時に送信される場合、以下の方式のいずれかまたは組み合わせが使用される：
方式１：
複数のＰＤＣＣＨの指示シグナリングに基づいて決定されたアップリンクビームをＰＵＣＣＨ送信で使用されるアップリンクビームとし、ここで、複数のＰＤＣＣＨよって受信された各指示シグナリングの指示内容が同じであり、
決定されたアップリンクビームにより、同一のＰＵＣＣＨにおいて、複数のＰＤＣＣＨと関連するＡＣＫ/ＮＡＣＫを送信し、
方式２：
複数のＰＤＣＣＨよって受信された各指示シグナリングに基づいて少なくとも１つのアップリンクビームを決定し、ＰＵＣＣＨ送信で使用されるアップリンクビームとして少なくとも１つのアップリンクビームから１つのアップリンクビームを選択し、
決定されたアップリンクビームにより、同一のＰＵＣＣＨにおいて、複数のＰＤＣＣＨと関連するＡＣＫ/ＮＡＣＫを送信し、
方式３：
複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、複数のＰＤＣＣＨと関連するＡＣＫ/ＮＡＣＫを送信し、
可能な実施モードの１つでは、Ｈ送信で使用されるアップリンクビームとして少なくとも１つのアップリンクビームから１つのビームを選択する場合、
事前設定されたまたは指定されたアップリンクビーム優先レベルまたはセル（ｃｅｌｌ）優先レベルに基づいて、ＰＵＣＣＨ送信で使用されるアップリンクビームとして少なくとも１つのアップリンクビームから１つを選択し、
または、
少なくとも１つのアップリンクビームに事前設定されたまたは指定されたアップリンクメインビームが含まれるとき、ＰＵＣＣＨ送信で使用されるアップリンクビームとしてアップリンクメインビームを決定し、および
少なくとも１つのアップリンクビームにアップリンクメインビームが含まれていないとき、ＰＵＣＣＨ送信で使用されるアップリンクビームとして少なくとも１つのビーム内の指定された番号が付けられた補助ビームを決定し、
ここで、アップリンクメインビームは事前設定されたまたは指定されたビームであり、
または、
少なくとも１つのアップリンクビームに事前設定されたまたは指定されたメインセルに対応するアップリンクビームが含まれるとき、メインセルに対応するアップリンクビームをＰＵＣＣＨ送信で使用されるアップリンクビームとし、および
少なくとも１つのアップリンクビームにメインセルに対応するアップリンクビームが含まれていないとき、補助セルに対応するアップリンクビームをＰＵＣＣＨ送信で使用されるアップリンクビームとする。
【０２２３】
可能な実施モードの１つでは、複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、
事前設定されたまたは指定されたダウンリンクビーム優先レベル、ダウンリンクビームグループ優先レベルまたはセル優先レベルに基づいて、複数のＰＤＣＣＨから優先レベルが最高の１つのＰＤＣＣＨを選択し、選択された１つのＰＤＣＣＨによって受信された命令に基づいて、ＰＵＣＣＨ送信で使用されるアップリンクビームを決定し、
または、
ダウンリンクメインビームから受信されたＰＤＣＣＨによって運ばれる命令に基づいて、ＰＵＣＣＨ送信で使用されるアップリンクビームを決定し、および／または、メインセルにおいて受信されたＰＤＣＣＨによって運ばれる命令に基づいて、ＰＵＣＣＨ送信で使用されるアップリンクビームを決定し、
および、
ダウンリンクメインビームまたはメインセルからＰＤＣＣＨによって運ばれる命令が受信されない場合、ＰＤＣＣＨによって運ばれ、かつ、指定番号が付けられたダウンリンク補助ビームから受信された命令に基づいて、ＰＵＣＣＨ送信で使用されるアップリンクビームを決定し、および／または、ＰＤＣＣＨによって運ばれ、かつ補助セルから受信された命令に基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームから受信されたＰＤＣＣＨによって運ばれる命令に基づいて、ＰＵＣＣＨ送信で使用されるアップリンクビームを決定し、および
ダウンリンクメインビームグループ内のいずれか１つのダウンリンクビームからＰＤＣＣＨによって運ばれる命令が受信されていない場合、補助ビームグループ内のダウンリンクビームを使用して受信されたＰＤＣＣＨによって運ばれる命令に基づいて、ＰＵＣＣＵＨ送信で使用されるビームを決定し、および
１つのビームグループに複数のダウンリンクビームが含まれると、同じダウンリンクビームグループ内の同時にＡＣＫ／ＮＡＣＫをフィードバックする必要がある複数の異なるＰＤＣＣＨが決定され、複数の異なるＰＤＣＣＨから取得された命令の指示内容が同じであると判断される。
【０２２４】
ここで、ダウンリンクメインビームグループは、事前設定されたまたは指定されたグループである。
【０２２５】
可能な実施モードの１つでは、複数のダウンリンクビームと複数のアップリンクビームが複数のグループに分割され、同じグループのダウンリンクビームを使用するＰＤＣＣＨの指示シグナリングが同じグループのアップリンクビームを示す場合、端末が次のプロセスを実行すると決定する：
同じグループのダウンリンクビームを使用して受信されたＰＤＣＣＨの指示シグナリングの指示内容が同じであると判断し、
ダウンリンクビーム−ｘを使用するＰＤＣＣＨの指示シグナリングに基づいて決定された第１のアップリンクビームを使用して、ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームとが同じグループに属する。
【０２２６】
可能な実施モードの１つでは、送受信機６０３を制御して、指示シグナリングを送信し、指示シグナリングによって、端末が、ＰＵＣＣＨ送信で使用されるアップリンクビームを決定する場合、
高位層シグナリングにより、１つのダウンリンクメインビームを事前に設定し、端末が１つのダウンリンクメインビームに基づいて１つのアップリンクメインビームを決定し、１つのアップリンクメインビームをＰＵＣＣＨ送信で使用されるアップリンクビームとすると決定し、
または、
高位層シグナリングにより、１つのメインビームペアを事前設定し、メインビームペアは、１つのアップリンクメインビームおよび１つのダウンリンクメインビームを含み、端末が１つのメインビームペア内のアップリンクメインビームをＰＵＣＣＨ送信で使用されるアップリンクビームとすると決定し、
または、
高位層シグナリングにより、複数のビームグループを事前に設定し、ここで、各ビームグループは１つのアップリンクメインビームに対応し、ビームグループは１つ以上のダウンリンクビームを含み、端末が第１のビームグループ内のダウンリンクビームを使用して送信されたＰＤＣＣＨおよび／またはＰＤＳＣＨを受信するとき、第１のビームグループに対応する第１のアップリンクメインビームを使用してＰＵＣＣＨ送信を実行すると決定し、ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
または、
高位層シグナリングにより、複数のビームグループを事前に設定し、ここで、各ビームグループは１つのアップリンクメインビームに対応し、ビームグループは１つ以上のダウンリンクビームを含み、端末が第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信すると決定し、第２のビームグループ内のダウンリンクビームを使用して送信されたＰＤＣＣＨおよび／またはＰＤＳＣＨと関連するＡＣＫ/ＮＡＣＫおよび第１のビームグループ内のダウンリンクビームを使用して送信されたＰＤＣＣＨおよび／またはＰＤＳＣＨに関連するＡＣＫ/ＮＡＣＫが同時に送信される場合、
第１のビームグループに対応する第１のアップリンクメインビームを使用して、第１のビームグループ内のビームを使用して送信されたＰＤＣＣＨおよび／またはＰＤＳＣＨと関連するＡＣＫ/ＮＡＣＫを運ぶＰＵＣＣＨを送信し、および第２のビームグループに対応する第２のアップリンクメインビームを使用して、第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
第１のビームグループに対応する第１のアップリンクメインビームを使用して、同一のＰＵＣＣＨにおいて、第１のビームグループ内のビームを使用して送信されたＰＤＣＣＨおよび／またはＰＤＳＣＨと関連するＡＣＫ/ＮＡＣＫ、および第２のビームグループ内のビームを使用して送信されたＰＤＣＣＨおよび／またはＰＤＳＣＨと関連するＡＣＫ/ＮＡＣＫを送信し、
または、
高位層シグナリングにより、複数のビームグループを事前に設定し、ここで、各ビームグループは１つのアップリンクメインビームに対応し、ビームグループは１つ以上のダウンリンクビームを含み、端末が第２のビームグループ内のダウンリンクビームを使用して送信されたＰＤＣＣＨおよび／またはＰＤＳＣＨのみを受信する場合、第２のビームグループに対応する第２のアップリンクメインビームを使用してＰＵＣＣＨ送信を実行し、または、第１のビームグループに対応する第１のアップリンクメインビームを使用してＰＵＣＣＨ送信を実行すると決定し、
ここで、ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶ。
【０２２７】
実施形態VII
高位層シグナリングが１つのアップリンクメインビームを端末に事前通知する場合、端末は、端末によって受信されたＰＤＣＣＨの数および受信されたビームのタイプに関係なく、前記アップリンクメインビームを使用してＰＵＣＣＨを送信する。当該ＰＵＣＣＨは、ＰＤＣＣＨに関連するＡＣＫ／ＮＡＣＫ（すなわち、ＰＤＣＣＨのＡＣＫ／ＮＡＣＫ、またはＰＤＣＣＨによってスケジュールされたＰＤＳＣＨのＡＣＫ／ＮＡＣＫ）を運ぶ。これは、以下の説明でも同様に理解されたい。
【０２２８】
ここで、複数のビームがアップリンクで直接維持される場合、アップリンクビームインデックスが直接通知され得る。アップリンクにビームの定義がない場合、ＢＰＬインデックスが通知される場合がある。１つのアップリンクビームは、ＢＰＬに従ってアップリンクメインビームと見なされるか、またはＱＣＬ関係が第１の基準信号リソースまたはリソースとポートの組み合わせを通知する方法で通知されるように決定されるため、ＱＣＬ関係に従って実行される送信は、アップリンクメインビームを使用したＰＵＣＣＨの送信と見なされる。さらに、他の実施形態では、このように理解または解釈されてもよい。
【０２２９】
ここで、ビームは、ｂｅａｍ、またはＱＣＬ関係またはＢＰＬとして直接具現化されてもよい。さらに、ビームは、他の実施形態ではこのように理解または解釈されてもよい。
【０２３０】
実施形態ＶＩＩＩ
高位層シグナリングは、１つのアップリンクメインビーム１および１つのアップリンクメインビーム２（またはアップリンク補助ビームと呼ばれる）を端末に事前通知する。当該アップリンクメインビーム１および２は、それぞれ、１つまたは複数のダウンリンクビームと対応する関係を有する。たとえば、アップリンクビーム１から４およびダウンリンクビーム１から４がある場合、アップリンクビーム１および２とダウンリンクビーム１および２には対応する関係がある（たとえば、１つのグループとしてグルーピングされ、同じＴＲＰ１に対応する）、そして、アップリンクビーム３および４とダウンリンクビーム３および４は、対応する関係を有する（例えば、１つのグループとしてグルーピングされ、同じＴＲＰ２に対応する）。高位層のシグナリングは、アップリンクメインビーム１がアップリンクビーム１であり、アップリンクメインビーム２がアップリンクビーム３であることを通知すると仮定される。
【０２３１】
この場合、一実施形態は、端末が受信したＰＤＣＣＨの数および受信したＰＤＣＣＨのビームのタイプに関係なく、端末が前記アップリンクメインビーム１を使用してＰＵＣＣＨを送信し、当該ＰＵＣＣＨはＰＤＣＣＨと関連するＡＣＫ/ＮＡＣＫを運ぶ。
【０２３２】
別の実施モードは、端末がダウンリンクビーム１および／またはビーム２を使用するＰＤＣＣＨ（すなわち、ＴＲＰ１からのＰＤＣＣＨ）を受信すると、端末は、アップリンクメインビーム１（すなわち、アップリンクビーム１）を使用してＰＵＣＣＨを送信し、当該ＰＵＣＣＨは、ダウンリンクビーム１および/またはビーム２を使用するＰＤＣＣＨと関連するＡＣＫ/ＮＡＣＫを運ぶ。端末がダウンリンクビーム３および/またはビーム４を使用するＰＤＣＣＨ（ＴＲＰ２からのＰＤＣＣＨ）を受信すると、端末はアップリンクメインビーム２（つまりアップリンクビーム３）を使用してＰＵＣＣＨを送信し、当該ＰＵＣＣＨは、ダウンリンクビーム３および/またはビーム４を使用するＰＤＣＣＨと関連するＡＣＫ/ＮＡＣＫを運ぶ。ダウンリンクビーム１および/またはビーム２を使用するＰＤＣＣＨに関連するＡＣＫ/ＮＡＣＫと、ダウンリンクビーム３および/またはビーム４を使用するＰＤＣＣＨに関連するＡＣＫ/ＮＡＣＫが同時に送信される場合、端末はアップリンクメインビーム１とアップリンクメインビーム２をそれぞれ使用して２つのＰＵＣＣＨを同時に送信することができ、それぞれ対応するＰＤＣＣＨに関連するＡＣＫ/ＮＡＣＫを運ぶか、または、端末は、アップリンクメインビーム１を使用して、同一のＰＵＣＣＨにおいて、上記ＰＤＣＣＨと関連するすべてのＡＣＫ/ＮＡＣＫを送信してもよい。
【０２３３】
実施形態IX
ダウンリンクビーム１、ビーム２、ビーム３、ビーム４、ビーム５、ビーム６、アップリンクビーム１、ビーム２、ビーム３、およびビーム４が存在すると仮定する。ダウンリンクビーム1、ビーム2、ビーム3、ビーム4それぞれがアップリンクビーム1、ビーム2、ビーム3、ビーム4とペアリング関係を有する（すなわち相反性）。これらのアップリンクビームおよびダウンリンクビームすべては、１つのＴＲＰに対応し、またはダウンリンクビーム１、ビーム２およびビーム３、アップリンクビーム１およびビーム２は１つのグループとしてグルーピングされてＴＲＰ１に対応し、ダウンリンクビーム４、ビーム5およびビーム6、アップリンクビーム３およびビームに４は１つのグループとしてグルーピングされ、ＴＲＰ２に対応し、理想的なバックホールはＴＲＰ１とＴＲＰ２の間にある）、端末は特定のダウンリンクビーム（ダウンリンクビーム１または、ダウンリンクビーム１およびビーム４をブラインド検出する）を使用してＰＤＣＣＨを受信するように設定されるそして、ＰＤＣＣＨは、アップリンクビーム１から４の番号を示す２ビット指示フィールドを含む。
【０２３４】
ある状況では、ビーム１またはビーム４を使用するＰＤＣＣＨのみが受信されるとき、アップリンクビームは、受信されたＰＤＣＣＨの２ビット指示フィールドに従って直接決定され、ＰＵＣＣＨは決定されたアップリンクビームに基づいて送信される 
別の状況では、ビーム１およびビーム４を使用するＰＤＣＣＨが同時に受信され、当該２つのＰＤＣＣＨ内の２ビット指示フィールドが同じ内容を示す場合、アップリンクビームは、受信されたＰＤＣＣＨの２ビット指示フィールドに従って直接決定され、ＰＵＣＣＨは決定されたアップリンクビームに従って送信され、ＰＵＣＣＰＵＣＣＨはビーム１とビーム４を使用するＰＤＣＣＨに関連するＡＣＫ/ＮＡＣＫを同時に運ぶ。
【０２３５】
別の状況では、ビーム１およびビーム４を使用するＰＤＣＣＨが同時に受信され、当該２つのＰＤＣＣＨの２ビット指示フィールドが異なる内容を示す場合、ダウンリンクビームの優先レベルに従って選択が実行される。例えばダウンリンクビームインデックスの優先レベルが低から高に順番に低下する、またはダウンリンクビーム１がダウンリンクメインビームである、または、ビームグループが定義され、ダウンリンクビーム１を含むビームグループが高い優先レベルを持ちと定義する場合、アップリンクビームは、ダウンリンクビーム１を使用するＰＤＣＣＨの２ビット指示フィールドに従って決定される。ＰＵＣＣＨは決定されたアップリンクビームに従って送信され、ＰＵＣＣＰＵＣＣＨはビーム１とビーム４を使用するＰＤＣＣＨに関連するＡＣＫ/ＮＡＣＫを同時に運ぶ。
【０２３６】
別の状況では、ビーム１およびビーム４を使用するＰＤＣＣＨが同時に受信され、ビーム１を使用するＰＤＣＣＨに関連するＡＣＫ／ＮＡＣＫおよびビーム４を使用するＰＤＣＣＨに関連するＡＣＫ／ＮＡＣＫが同時にフィードバックされないと、アップリンクビーム（アップリンクビーム１など）は、ダウンリンクビーム１を使用するＰＤＣＣＨの２ビット指示フィールドに従って決定され、対応するタイミング１で、当該アップリンクビームに基づいて、ダウンリンクビーム１を使用するＰＤＣＣＨと関連するＡＣＫ/ＮＡＣＫを運ぶＰＵＣＣＨを送信し、ダウンリンクビーム４を使用するＰＤＣＣＨの２ビット指示フィールドに基づいて、アップリンクビーム（例えば、アップリンクビーム２）を決定する。対応するタイミング２で、当該アップリンクビームに基づいて、ダウンリンクビーム４を使用するＰＤＣＣＨと関連するＡＣＫ/ＮＡＣＫを運ぶＰＵＣＣＨを送信する。
【０２３７】
実施形態Ｘ
ダウンリンクビーム１、ビーム２、ビーム３、ビーム４、ビーム５およびビーム６およびアップリンクビーム１、ビーム２、ビーム３およびビーム４があると仮定する。ダウンリンクビーム１、ビーム２、ビーム３とアップリンクビーム１およびビーム２は１つのグループ（ＴＲＰ１に対応）としてグルーピングされ、ダウンリンクビーム４、ビーム５およびビーム６およびアップリンクビーム３およびビーム４は１つのグループ（ＴＲＰ２に対応）としてグルーピングされ、また、非理想的なバックホールはＴＲＰ１とＴＲＰ２の間にある。端末は、特定のダウンリンクビーム（ダウンリンクビーム１およびビーム４など）を使用してＰＤＣＣＨを受信するように設定されており、ＰＤＣＣＨには１ビット指示フィールドが含まれ、１ビット指示フィールドは各グループの２つのアップリンクビーム番号を示す。
【０２３８】
ある状況では、ビーム１またはビーム４を使用するＰＤＣＣＨのみが受信されるとき、アップリンクビームは、受信されたＰＤＣＣＨ内の１ビット指示フィールドに従って直接決定されＰＵＣＣＨは決定されたアップリンクビームに基づいて送信される。
【０２３９】
別の状況では、ビーム１およびビーム４を使用するＰＤＣＣＨが同時に受信され、アップリンクビーム（アップリンクビーム１など）は、ダウンリンクビーム１を使用するＰＤＣＣＨの１ビット指示フィールドに従って決定される。当該アップリンクビームに基づいて、ダウンリンクビーム１を使用するＰＤＣＣＨと関連するＡＣＫ/ＮＡＣＫを運ぶＰＵＣＣＨを送信し、アップリンクビーム（アップリンクビーム３など）は、ダウンリンクビーム４を使用するＰＤＣＣＨの１ビット指示フィールドに従って決定される。当該アップリンクビームに基づいて、ダウンリンクビーム４を使用するＰＤＣＣＨと関連するＡＣＫ/ＮＡＣＫを運ぶＰＵＣＣＨを送信し、すなわち、異なるアップリンクビームを使用する２つのＰＵＣＣＨが同時に送信される。
【０２４０】
別の状況では、ビーム１およびビーム４を使用するＰＤＣＣＨが同時に受信され、ビーム１を使用するＰＤＣＣＨに関連するＡＣＫ／ＮＡＣＫおよびビーム４を使用するＰＤＣＣＨに関連するＡＣＫ／ＮＡＣＫが同時にフィードバックされないと、アップリンクビーム（アップリンクビーム１など）は、ダウンリンクビーム１を使用するＰＤＣＣＨの１ビット指示フィールドに従って決定される。対応するタイミング１で、当該アップリンクビームに基づいて、ダウンリンクビーム１を使用するＰＤＣＣＨと関連するＡＣＫ/ＮＡＣＫを運ぶＰＵＣＣＨを送信し、アップリンクビーム（アップリンクビーム３など）は、ダウンリンクビーム４を使用するＰＤＣＣＨの１ビット指示フィールドに従って決定される。対応するタイミング２で、当該アップリンクビームに基づいて、ダウンリンクビーム４を使用するＰＤＣＣＨと関連するＡＣＫ/ＮＡＣＫを運ぶＰＵＣＣＨを送信する。
【０２４１】
実施形態ＸＩ
高位層シグナリングは、１つのダウンリンクメインビームを端末に事前通知する。ダウンリンクメインビームは、アップリンクとダウンリンクの相反性に従って1つのアップリンクビームに対応するか、または、ダウンリンクビームとアップリンクビームのペア関係が事前に定義されているため、端末が受信したＰＤＣＣＨの数および受信したＰＤＣＣＨのビームのタイプに関係なく、端末は、前記ダウンリンクメインビームに基づいて決定されたアップリンクビームを使用してＰＵＣＣＨを送信し、当該ＰＵＣＣＨは、ＰＤＣＣＨと関連するＡＣＫ/ＮＡＣＫを運ぶ。
【０２４２】
実施形態XII
高位層シグナリングは、１つのダウンリンクメインビーム１および１つのダウンリンクメインビーム２（またはダウンリンク補助ビームと呼ばれる）を端末に事前通知し、当該ダウンリンクメインビーム１および２は、それぞれ1つのアップリンクビームと対応する関係を有する（アップリンクとダウンリンク間の相反性）。たとえば、アップリンクビーム1から４およびダウンリンクビーム1から４がある場合、アップリンクビーム1および２とダウンリンクビーム1および２は1つのグループとしてグルーピングされ、ダウンリンクビーム1はメインダウンリンクビーム1（同じＴＲＰ1に対応する）。アップリンクビーム３および４とダウンリンクビーム３および４は1つのグループとしてグルーピングされ、ダウンリンクビーム３はメインダウンリンクビーム２（同じＴＲＰ２に対応）である。
【０２４３】
一実施形態は、端末が受信したＰＤＣＣＨの数および受信したＰＤＣＣＨのビームのタイプに関係なく、端末は、前記ダウンリンクメインビーム１に基づいて決定されたアップリンクビームを使用してＰＵＣＣＨを送信し、当該ＰＵＣＣＨはＰＤＣＣＨと関連するＡＣＫ/ＮＡＣＫを運ぶ。
【０２４４】
別の実施モードは、端末がダウンリンクビーム１および／またはビーム２を使用するＰＤＣＣＨ（すなわち、ＴＲＰ１からのＰＤＣＣＨ）を受信すると、端末は、前記ダウンリンクメインビーム１に基づいて決定されたアップリンクビーム（アップリンクビーム１は、アップリンクとダウンリンクの間の相反性または事前設定されたペア関係に従って決定される）を使用してＰＵＣＣＨを送信し、当該ＰＵＣＣＨは、ダウンリンクビーム１および/またはビーム２を使用するＰＤＣＣＨと関連するＡＣＫ/ＮＡＣＫを運ぶ。端末がダウンリンクビーム３および/またはビーム４を使用するＰＤＣＣＨ（ＴＲＰ２からのＰＤＣＣＨ）を受信すると、端末は、前記ダウンリンクメインビーム２に基づいて決定されたアップリンクビーム（アップリンクビーム３は、アップリンクとダウンリンクの間の相反性または事前設定されたペア関係に従って決定される）を使用して、ＰＵＣＣＨを送信し、当該ＰＵＣＣＨは、ダウンリンクビーム３および/またはビーム４を使用するＰＤＣＣＨと関連するＡＣＫ/ＮＡＣＫを運ぶ。ダウンリンクビーム１および/またはビーム２を使用するＰＤＣＣＨに関連するＡＣＫ/ＮＡＣＫと、ダウンリンクビーム３および/またはビーム４を使用するＰＤＣＣＨに関連するＡＣＫ/ＮＡＣＫが同時に送信される場合、端末は、前記ダウンリンクメインビーム１に基づいて決定されたアップリンクビーム（アップリンクビーム１）、および前記ダウンリンクメインビーム１に基づいて決定されたアップリンクビーム（アップリンクビーム３）それぞれを使用して、２つのＰＵＣＣＨをともに送信し、それぞれ対応するＰＤＣＣＨに関連するＡＣＫ/ＮＡＣＫを運ぶか、または、端末は、前記ダウンリンクメインビーム１に基づいて決定されたアップリンクビーム（アップリンクビーム１）を使用して、同一のＰＵＣＣＨにおいて、上記ＰＤＣＣＨと関連するすべてのＡＣＫ/ＮＡＣＫを送信してもよい。
【０２４５】
上記の技術的解決策のうちの１つまたは複数の技術的解決策は、以下の技術的効果または利点を有する。
【０２４６】
本発明の実施形態では、５世代の新しいＲＡＴ（５Ｇ ＮＲ）におけるＰＵＣＣＨ送信で使用されるアップリンクビームを決定する方法が提供され、新しい無線通信システムにおけるＰＵＣＣＨ送信シーンをサポートすることができる。ＰＵＣＣＨが正しく送信されるように確保する。
【０２４７】
さらに、本発明の実施形態では、取得された指示シグナリングに基づいてＰＵＣＣＨ送信で使用されるアップリンクビームを決定するため、本発明の実施形態に係るＰＵＣＣＨ送信方法は、実際の必要に応じて指示シグナリングを通じて必要なアップリンクビームを調整することができる。さまざまな作業環境に適応し、高い信頼性の要求を満たすことができる。
【０２４８】
本発明の好ましい実施形態が説明されたが、当業者は、基本的な創造的概念を獲得すると、これらの実施形態に他の変更および修正を加えることができる。したがって、添付の特許請求の範囲は、好ましい実施形態、および本発明の範囲内に入るすべての変更および修正を含むものとして説明されることを意図している。
【０２４９】
本分野の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ利用可能なプログラムコードを含むコンピュータ利用可能な記憶媒体（ディスク記憶装置、ＣＤ-ＲＯＭ、光学記憶装置などを含むがそれとは限らない）において実施する。
【０２５０】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０２５１】
それらのコンピュータプログラム指令は又、また、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０２５２】
これらのコンピュータプログラム指令は又、また、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０２５３】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０２５４】
無論、当業者により、上記した実施形態に記述された技術的な解決手段を改造し、又はその中の一部の技術要素を置換することもできる。そのような改造と置換は本発明の各実施形態の技術の範囲から逸脱するとは見なされない。
【符号の説明】
【０２５５】
３０１  決定ユニット
３０２  送信ユニット
４０１  送信ユニット
４０２  決定ユニット
５０１  プロセッサ
５０２  メモリ
５０３  送受信機
５０４  ユーザインターフェース
６０１  プロセッサ
６０２  メモリ
６０３  送受信機
【図１】
2020530718.tif 000003
【図２】
2020530718.tif 000004
【図３】
2020530718.tif 000005
【図４】
2020530718.tif 000006
【図５】
2020530718.tif 000007
【図６】
2020530718.tif 000008
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
取得された指示シグナリングに基づいて、ＰＵＣＣＨ送信で使用されるアップリンクビーム（ｂｅａｍ）を決定するステップと、
決定されたアップリンクビームによりＰＵＣＣＨ送信を実行するステップとを備えることを特徴とする物理アップリンク制御チャネル（ＰＵＣＣＨ）送信方法。
【請求項２】
取得された指示シグナリングに基づいて、ＰＵＣＣＨ送信で使用されるアップリンクビームを決定する場合、以下１つの手法で実行され、
手法１：
取得された指示シグナリングに基づいて、ビームペアリンケージ（ＢＰＬ）を決定し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
決定されたアップリンクビームによりＰＵＣＣＨ送信を実行する場合、
前記ＢＰＬに対応するアップリンクビームによりＰＵＣＣＨ送信を実行し、または、前記ＢＰＬに基づいて、前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行し、
手法２：
取得された指示シグナリングに基づいて、ＰＵＣＣＨ送信のアップリンクビームをマークするためのビームインデックス（ｂｅａｍ ｉｎｄｅｘ）を決定し、
決定されたアップリンクビームによりＰＵＣＣＨ送信を実行する場合、
前記ビームインデックスに対応するアップリンクビームによりＰＵＣＣＨ送信を実行し、
手法３：
取得された指示シグナリングに基づいて、前記ＰＵＣＣＨのＤＭＲＳポートと、第１の基準信号のリソース上のすべてのポートまたは指定されたポートとの間のＱＣＬ関係を決定し、
決定されたアップリンクビームによりＰＵＣＣＨ送信を実行する場合、
前記ＱＣＬ関係によりＰＵＣＣＨ送信を実行することを特徴とする請求項１に記載の物理アップリンク制御チャネル（ＰＵＣＣＨ）送信方法。
【請求項３】
手法３では、
取得された指示シグナリングに基づいて、事前設定された複数の第１の基準信号リソースの中の１つの第１の基準信号リソースを決定し、
前記ＰＵＣＣＨのＤＭＲＳポートと、前記決定された１つの第１の基準信号リソース上のポート具有ＱＣＬ関係とがＱＣＬ関係を有すると決定し、
前記ＱＣＬ関係によりＰＵＣＣＨ送信を実行し、
または、
取得された指示シグナリングに基づいて、事前設定された複数の第１の基準信号リソースの中の１つの第１の基準信号リソースおよび前記１つの第１の基準信号リソース上の少なくとも１つのポートを決定し、
前記ＰＵＣＣＨのＤＭＲＳポートと、前記決定された１つの第１の基準信号リソース上の前記少なくとも１つのポートとがＱＣＬ関係を有すると決定し、
前記ＱＣＬ関係によりＰＵＣＣＨ送信を実行することを特徴とする請求項２に記載の物理アップリンク制御チャネル（ＰＵＣＣＨ）送信方法。
【請求項４】
取得された指示シグナリングに基づいて、ＰＵＣＣＨ送信で使用されるアップリンクビームを決定する場合、以下１つの手法で実行され、
手法４：
取得された高位層シグナリングに基づいて、ＰＵＣＣＨ送信で使用されるアップリンクビームを決定し、
手法５：ＰＤＣＣＨから受信された指示シグナリングに基づいて、ＰＵＣＣＨ送信で使用されるアップリンクビームを決定し、
手法６：
高位層シグナリングにより、１つのダウンリンクメインビームを事前に設定し、前記１つのダウンリンクメインビームに基づいて１つのアップリンクメインビームを決定し、ＰＵＣＣＨ送信で使用されるアップリンクビームとして前記１つのアップリンクメインビームを決定し、
手法７：
高位層シグナリングにより、１つのメインビームペアを事前設定し、前記メインビームペアは、１つのアップリンクメインビームおよび１つのダウンリンクメインビームを含み、ＰＵＣＣＨ送信で使用されるアップリンクビームとして前記１つのメインビームペア内のアップリンクメインビームを決定し、
手法８：
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、前記第１のビームグループに対応する第１のアップリンクメインビームがＰＵＣＣＨ送信に使用されると決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
手法９：
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、前記第２のビームグループ内のダウンリンクビームを使用して送信されたＰＤＣＣＨおよび／またはＰＤＳＣＨと関連するＡＣＫ/ＮＡＣＫと、前記第１のビームグループ内のダウンリンクビームを使用して送信されたＰＤＣＣＨおよび／またはＰＤＳＣＨと関連するＡＣＫ/ＮＡＣＫとが同時に送信される場合、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信することを決定し、また、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信することを決定し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫを運ぶＰＵＣＣＨおよび前記第２のビームグループ内のビームを使用して送信されたＰＤＣＣＨおよび／またはＰＤＳＣＨと関連するＡＣＫ/ＮＡＣＫを運ぶＰＵＣＣＨを送信することを、決定し、
手法１０：
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、前記第２のビームグループに対応する第２のアップリンクメインビームがＰＵＣＣＨ送信に使用されると決定し、または、前記第１のビームグループに対応する第１のアップリンクメインビームがＰＵＣＣＨ送信に使用されると決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶことを特徴とする請求項１から請求項３のいずれか１項に記載の物理アップリンク制御チャネル（ＰＵＣＣＨ）送信方法。
【請求項５】
手法４では、
前記高位層シグナリングによって１つのアップリンクビームのみを通知し、取得された高位層シグナリングに基づいて、前記高位層シグナリンングによって通知された１つのアップリンクビームを使用してＰＵＣＣＨ送信を実行することを決定し、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリンングによって通知された複数のビームの中の第１のアップリンクビームに対応するとき、
第１のアップリンクビームがＰＵＣＣＨ送信に使用されることを決定し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリンングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリンングによって通知された複数のアップリンクビームの中の第２のアップリンクビームに対応すると、
前記第１のアップリンクビームが以下の動作に使用されると決定し：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および、前記第２のアップリンクビームが以下の動作に使用されると決定し：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームが以下の動作に使用されると決定し：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、ダウンリンクビーム−ｙを使用するＰＤＣＣＨおよび／またはＰＤＳＣＨのみを受信し、前記ダウンリンクビーム−ｙが前記高位層シグナリングによって通知された複数のアップリンクビームの中の第２のアップリンクビームに対応すると、
前記第２のアップリンクビームがＰＵＣＣＨ送信に使用されると決定し、または、
第１のアップリンクビームがＰＵＣＣＨ送信に使用されることを決定し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶことを特徴とする請求項４に記載の物理アップリンク制御チャネル（ＰＵＣＣＨ）送信方法。
【請求項６】
手法５は少なくとも以下の手法の１つを含み、
手法１１：
複数の前記ＰＤＣＣＨを受信し、複数の前記ＰＤＣＣＨと関連するＡＣＫ/ＮＡＣＫフィードバッが同時に送信される場合、以下の方式のいずれかまたは組み合わせが使用される：
方式１：
前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
決定されたアップリンクビームにより、同一のＰＵＣＣＨにおいて、前記複数のＰＤＣＣＨと関連するＡＣＫ/ＮＡＣＫを送信し、
方式２：
前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
決定されたアップリンクビームにより、同一のＰＵＣＣＨにおいて、前記複数のＰＤＣＣＨと関連するＡＣＫ/ＮＡＣＫを送信し、
方式３：
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、前記複数のＰＤＣＣＨと関連するＡＣＫ/ＮＡＣＫを送信し、
手法１２：
複数のダウンリンクビームと複数のアップリンクビームが複数のグループに分割され、同じグループのダウンリンクビームを使用するＰＤＣＣＨの指示シグナリングが同じグループのアップリンクビームを示す場合、
ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じであることを特徴とする請求項４に記載の物理アップリンク制御チャネル（ＰＵＣＣＨ）送信方法。
【請求項７】
ＰＵＣＣＨ送信で使用されるアップリンクビームとして前記少なくとも１つのアップリンクビームから１つのビームを選択する場合、以下手法の１つで実行し、
手法１３：
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
手法１４：
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
手法１５：
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、
前記少なくとも１つのアップリンクビームに前記メインセルに対応するアップリンクビームが含まれていないとき、補助セルに対応するアップリンクビームをＰＵＣＣＨ送信で使用されるアップリンクビームとし、
および/または、
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、以下手法の１つで実行し、
手法１６：事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
手法１７：
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
手法１８：
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループであることを特徴とする請求項６に記載の物理アップリンク制御チャネル（ＰＵＣＣＨ）送信方法。
【請求項８】
指示シグナリングを送信し、前記指示シグナリングは、ＰＵＣＣＨ送信で使用されるアップリンクビームを決定するために端末によって使用され、
前記指示シグナリングに基づいて決定されたアップリンクビームに従って、前記端末がＰＵＣＣＨを送信することを決定することを特徴とする物理アップリンク制御チャネル（ＰＵＣＣＨ）送信方法。
【請求項９】
指示シグナリングを送信し、前記指示シグナリングによって、端末が、ＰＵＣＣＨ送信で使用されるアップリンクビームを決定する場合、以下手法の１つで実行し、
手法１：
前記指示シグナリングによって、ビームペアリンケージ（Ｂｅａｍ  Ｐａｉｒ  Ｌｉｎｋａｇｅ，ＢＰＬ）を示し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記指示シグナリングに基づいて決定されたアップリンクビームに従って、前記端末がＰＵＣＣＨを送信することを決定する場合、
前記端末が前記ＢＰＬに対応するアップリンクビームによりＰＵＣＣＨ送信を実行すると決定し、または、前記端末が、前記ＢＰＬに基づいて前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行と、決定し、
手法２：
前記指示シグナリングは、ＰＵＣＣＨ送信のアップリンクビームをマークするためのビームインデックス（ｂｅａｍ ｉｎｄｅｘ）を指示し、
前記指示シグナリングに基づいて決定されたアップリンクビームに従って、前記端末がＰＵＣＣＨを送信することを決定する場合、
前記端末が、前記ビームインデックスに対応するアップリンクビームによりＰＵＣＣＨ送信を実行すると決定し、
手法３：
前記指示シグナリングにより、ＰＵＣＣＨのＤＭＲＳポートと、第１の基準信号のリソース上のすべてのポートまたは指定されたポートとの間のＱＣＬ関係を、示し、
前記指示シグナリングに基づいて決定されたアップリンクビームに従って、前記端末がＰＵＣＣＨを送信することを決定する場合、
前記端末が、前記ＱＣＬ関係によりＰＵＣＣＨ送信を実行すると決定することを特徴とする請求項８に記載の物理アップリンク制御チャネル（ＰＵＣＣＨ）送信方法。
【請求項１０】
手法３では、
前記指示シグナリングにより、事前設定された複数の第１の基準信号リソースの中の１つの第１の基準信号リソースを示し、
前記端末が、ＰＵＣＣＨのＤＭＲＳポートと前記１つの第１の基準信号リソース上のポートとの間のＱＣＬ関係に基づいて、ＰＵＣＣＨ送信を実行すると決定し、
または、
前記指示シグナリングにより、事前設定された複数の第１の基準信号リソースの中の１つの第１の基準信号リソース上の少なくとも１つのポートを示し、
前記端末が、ＰＵＣＣＨのＤＭＲＳポートと前記１つの第１の基準信号リソース上の前記少なくとも１つのポートとの間のＱＣＬ関係に基づいて、ＰＵＣＣＨ送信を実行すると決定することを特徴とする請求項９に記載の物理アップリンク制御チャネル（ＰＵＣＣＨ）送信方法。
【請求項１１】
指示シグナリングを送信し、前記指示シグナリングによって、端末が、ＰＵＣＣＨ送信で使用されるアップリンクビームを決定する場合、以下手法の１つで実行し、
手法４：
高位層シグナリングにより前記指示シグナリングを送信し、
手法５：
ＰＤＣＣＨにより前記指示シグナリングを送信し、
手法６：
高位層シグナリングにより、１つのダウンリンクメインビームを事前に設定し、端末がダウンリンクメインビームに基づいて１つのアップリンクメインビームを決定し、ＰＵＣＣＨ送信で使用されるアップリンクビームとしてアップリンクメインビームを取ることを決定し、
手法７：
高位層シグナリングにより、１つのメインビームペアを事前設定し、前記メインビームペアは、１つのアップリンクメインビームおよび１つのダウンリンクメインビームを含み、確定前記端末が前記１つのメインビームペアのアップリンクメインビームをＰＵＣＣＨ送信で使用されるアップリンクビームとして使用することを決定し、
手法８：
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨを受信する場合、前記第１のビームグループに対応する第１のアップリンクメインビームを使用してＰＵＣＣＨ送信を実行することを決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
手法９：
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨ、および第２のビームグループ内のダウンリンクビームを使用して送信されたＰＤＣＣＨおよび／またはＰＤＳＣＨを受信する場合、前記第２のビームグループ内のダウンリンクビームを使用して送信されたＰＤＣＣＨおよび／またはＰＤＳＣＨと関連するＡＣＫ/ＮＡＣＫおよび前記第１のビームグループ内のダウンリンクビームを使用して送信されたＰＤＣＣＨおよび／またはＰＤＳＣＨと関連するＡＣＫ/ＮＡＣＫが同時に送信されることを決定すると、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信し、または、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫ、および前記第２のビームグループ内のビームを使用して送信されたＰＤＣＣＨおよび／またはＰＤＳＣＨと関連するＡＣＫ/ＮＡＣＫを送信し、
手法１０：
高位層シグナリングにより、複数のビームグループを事前に設定し、ここで、各ビームグループは１つのアップリンクメインビームに対応し、ビームグループは１つ以上のダウンリンクビームを含み、前記端末が、第２のビームグループ内のダウンリンクビームを使用して送信されたＰＤＣＣＨおよび／またはＰＤＳＣＨのみを受信する場合、前記第２のビームグループに対応する第２のアップリンクメインビームを使用してＰＵＣＣＨ送信を実行し、または、前記第１のビームグループに対応する第１のアップリンクメインビームを使用してＰＵＣＣＨ送信を実行することを決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶことを特徴とする請求項８から請求項１０のいずれか１項に記載の物理アップリンク制御チャネル（ＰＵＣＣＨ）送信方法。
【請求項１２】
高位層シグナリングにより前記指示シグナリングを送信する場合、
前記高位層シグナリングによって１つのアップリンクビームのみを通知し、前記端末が前記高位層シグナリンングによって通知された１つのアップリンクビームＰＵＣＣＨ送信を実行すると決定し、
または、
高位層シグナリングにより前記指示シグナリングを送信する場合、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリンングによって通知された複数のビームの中の第１のアップリンクビームに対応するとき、
前記第１のアップリンクビームを使用してＰＵＣＣＨ送信を実行し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリンングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリンングによって通知された複数のアップリンクビームの中の第２のアップリンクビームに対応すると、
前記第１のアップリンクビームを使用して次の操作を実行する：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、前記第２のアップリンクビームを使用して次の操作を実行する：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームを使用して次の操作を実行する：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｙを使用するＰＤＣＣＨおよび／またはＰＤＳＣＨのみを受信すると決定し、前記ダウンリンクビーム−ｙが前記高位層シグナリングによって通知された複数のアップリンクビームの中の第２のアップリンクビームに対応すると、
前記第２のアップリンクビームを使用してＰＵＣＣＨ送信を実行し、または、
前記第１のアップリンクビームを使用してＰＵＣＣＨ送信を実行し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶ。とを特徴とする請求項１１に記載の物理アップリンク制御チャネル（ＰＵＣＣＨ）送信方法。
【請求項１３】
手法５はさらにすくなくとも以下手法の１つを含み、
手法１１：
前記端末が複数の前記ＰＤＣＣＨを受信すると決定し、複数の前記ＰＤＣＣＨと関連するＡＣＫ/ＮＡＣＫフィードバッが同時に送信される場合、以下の方式のいずれかまたは組み合わせが使用される：
方式１：
前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
決定されたアップリンクビームにより、同一のＰＵＣＣＨにおいて、前記複数のＰＤＣＣＨと関連するＡＣＫ/ＮＡＣＫを送信し、
方式２：
前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
決定されたアップリンクビームにより、同一のＰＵＣＣＨにおいて、前記複数のＰＤＣＣＨと関連するＡＣＫ/ＮＡＣＫを送信し、
方式３：
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
決定されたアップリンクビームにより、同一のＰＵＣＣＨにおいて、前記複数のＰＤＣＣＨと関連するＡＣＫ/ＮＡＣＫを送信し、
手法１２：
複数のダウンリンクビームと複数のアップリンクビームが複数のグループに分割され、同じグループのダウンリンクビームを使用するＰＤＣＣＨの指示シグナリングが同じグループのアップリンクビームを示す場合、複前記端末は、以下のプロセスを実行することを決定する：
同じグループのダウンリンクビームを使用して受信されたＰＤＣＣＨの指示シグナリングの指示内容が同じであると判断し、
ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じであるすることを特徴とする請求項１１に記載の物理アップリンク制御チャネル（ＰＵＣＣＨ）送信方法。
【請求項１４】
ＰＵＣＣＨ送信で使用されるアップリンクビームとして前記少なくとも１つのアップリンクビームから１つのビームを選択する場合、以下手法の１つで実行し、
手法１３：
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
手法１４：
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
手法１５：
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとし、
および/または、
前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定する場合、以下手法の１つで実行し、
手法１６：
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
手法１７：
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
手法１８：
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループであることを特徴とする請求項１３に記載の物理アップリンク制御チャネル（ＰＵＣＣＨ）送信方法。
【請求項１５】
取得された指示シグナリングに基づいて、ＰＵＣＣＨ送信で使用されるアップリンクビーム（ｂｅａｍ）を決定するように構成された決定ユニットと、
決定されたアップリンクビームによりＰＵＣＣＨ送信を実行するように構成された送信ユニットとを備えることを特徴とするユーザー機器。
【請求項１６】
前記決定ユニットは、取得された指示シグナリングに基づいて、ビームペアリンケージ（ＢＰＬ）を決定し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記送信ユニットは、前記ＢＰＬに対応するアップリンクビームによりＰＵＣＣＨ送信を実行し、または、前記ＢＰＬに基づいて、前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行し、
または、
前記決定ユニットは、取得された指示シグナリングに基づいて、ＰＵＣＣＨ送信のアップリンクビームをマークするためのビームインデックス（ｂｅａｍ ｉｎｄｅｘ）を決定し、
前記送信ユニットは、前記ビームインデックスに対応するアップリンクビームによりＰＵＣＣＨ送信を実行し、
または、
前記決定ユニットは、取得された指示シグナリングに基づいて、前記ＰＵＣＣＨのＤＭＲＳポートと、第１の基準信号のリソース上のすべてのポートまたは指定されたポートとの間のＱＣＬ関係を決定し、
前記送信ユニットは、前記ＱＣＬ関係によりＰＵＣＣＨ送信を実行することを特徴とする請求項１５に記載のユーザー機器。
【請求項１７】
前記決定ユニットは、取得された指示シグナリングに基づいて、事前設定された複数の第１の基準信号リソースの中の１つの第１の基準信号リソースを決定し、前記ＰＵＣＣＨのＤＭＲＳポートと、前記決定された１つの第１の基準信号リソース上のポート具有ＱＣＬ関係とがＱＣＬ関係を有すると決定し、
前記送信ユニットは、前記ＱＣＬ関係によりＰＵＣＣＨ送信を実行し、
または、
前記決定ユニットは、取得された指示シグナリングに基づいて、事前設定された複数の第１の基準信号リソースの中の１つの第１の基準信号リソースおよび前記１つの第１の基準信号リソース上の少なくとも１つのポートを決定し、前記ＰＵＣＣＨのＤＭＲＳポートと、前記決定された１つの第１の基準信号リソース上の前記少なくとも１つのポートとがＱＣＬ関係を有すると決定し、
前記送信ユニットは、前記ＱＣＬ関係によりＰＵＣＣＨ送信を実行することを特徴とする請求項１６に記載のユーザー機器。
【請求項１８】
前記決定ユニットは、以下手法の１つを実行するように構成され、
手法４：
取得された高位層シグナリングに基づいて、ＰＵＣＣＨ送信で使用されるアップリンクビームを決定し、
手法５：
前記決定ユニットは、ＰＤＣＣＨから受信された指示シグナリングに基づいて、ＰＵＣＣＨ送信で使用されるアップリンクビームを決定し、
手法６：
高位層シグナリングにより、１つのダウンリンクメインビームを事前に設定し、前記１つのダウンリンクメインビームに基づいて１つのアップリンクメインビームを決定し、ＰＵＣＣＨ送信で使用されるアップリンクビームとして前記１つのアップリンクメインビームを決定し、
手法７：
高位層シグナリングにより、１つのメインビームペアを事前設定し、前記メインビームペアは、１つのアップリンクメインビームおよび１つのダウンリンクメインビームを含み、ＰＵＣＣＨ送信で使用されるアップリンクビームとして前記１つのメインビームペア内のアップリンクメインビームを決定し、
手法８：
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信するとき、前記第１のビームグループに対応する第１のアップリンクメインビームがＰＵＣＣＨ送信に使用されると決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
手法９：
高位層シグナリングにより、複数のビームグループを事前に設定し、ここで、各ビームグループは１つのアップリンクメインビームに対応し、ビームグループは１つ以上のダウンリンクビームを含み、第１のビームグループ内のダウンリンクビームを使用して送信されたＰＤＣＣＨおよび／またはＰＤＳＣＨを受信し、および、第２のビームグループ内のダウンリンクビームを使用して送信されたＰＤＣＣＨおよび／またはＰＤＳＣＨを受信し、前記第２のビームグループ内のダウンリンクビームを使用して送信されたＰＤＣＣＨおよび／またはＰＤＳＣＨと関連するＡＣＫ/ＮＡＣＫと、前記第１のビームグループ内のダウンリンクビームを使用して送信されたＰＤＣＣＨおよび／またはＰＤＳＣＨと関連するＡＣＫ/ＮＡＣＫとが同時に送信される場合、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信することを決定し、また、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信することを決定し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫを運ぶＰＵＣＣＨおよび前記第２のビームグループ内のビームを使用して送信されたＰＤＣＣＨおよび／またはＰＤＳＣＨと関連するＡＣＫ/ＮＡＣＫを運ぶＰＵＣＣＨを送信することを、決定し、
手法１０：
高位層シグナリングにより、複数のビームグループを事前に設定し、ここで、各ビームグループは１つのアップリンクメインビームに対応し、ビームグループは１つ以上のダウンリンクビームを含み、第２のビームグループ内のダウンリンクビームを使用して送信されたＰＤＣＣＨおよび／またはＰＤＳＣＨのみを受信する場合、前記第２のビームグループに対応する第２のアップリンクメインビームがＰＵＣＣＨ送信に使用されると決定し、または、前記第１のビームグループに対応する第１のアップリンクメインビームがＰＵＣＣＨ送信に使用されると決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶことを特徴とする請求項１５から請求項１７のいずれか１項に記載のユーザー機器。
【請求項１９】
前記高位層シグナリングによって１つのアップリンクビームのみを通知し、前記決定ユニットは、取得された高位層シグナリングに基づいて、前記高位層シグナリンングによって通知された１つのアップリンクビームを使用してＰＵＣＣＨ送信を実行することを決定し、
または、
前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリンングによって通知された複数のビームの中の第１のアップリンクビームに対応するとき、
第１のアップリンクビームがＰＵＣＣＨ送信に使用されることを決定し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｘを使用する物理ダウンリンク制御チャネル（ＰＤＣＣＨ）および／または物理ダウンリンク共有チャネル（ＰＤＳＣＨ）を受信し、前記ダウンリンクビーム−ｘが前記高位層シグナリンングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリンングによって通知された複数のアップリンクビームの中の第２のアップリンクビームに対応すると、
前記第１のアップリンクビームが以下の動作に使用されると決定し：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および、前記第２のアップリンクビームが以下の動作に使用されると決定し：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームが以下の動作に使用されると決定し：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、前記決定ユニットは、
ダウンリンクビーム−ｙを使用するＰＤＣＣＨおよび／またはＰＤＳＣＨのみを受信し、前記ダウンリンクビーム−ｙが前記高位層シグナリングによって通知された複数のアップリンクビームの中の第２のアップリンクビームに対応すると、
前記第２のアップリンクビームがＰＵＣＣＨ送信に使用されると決定し、または、
第１のアップリンクビームがＰＵＣＣＨ送信に使用されることを決定し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶことを特徴とする請求項１８に記載のユーザー機器。
【請求項２０】
複数の前記ＰＤＣＣＨを受信し、複数の前記ＰＤＣＣＨと関連するＡＣＫ/ＮＡＣＫフィードバッが同時に送信される場合、以下の方式のいずれかまたは組み合わせが使用される：
方式１：
前記決定ユニットは、前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
前記送信ユニットは、決定されたアップリンクビームにより、同一のＰＵＣＣＨにおいて、前記複数のＰＤＣＣＨと関連するＡＣＫ/ＮＡＣＫを送信し、
方式２：
前記決定ユニットは、前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
前記送信ユニットは、決定されたアップリンクビームにより、同一のＰＵＣＣＨにおいて、前記複数のＰＤＣＣＨと関連するＡＣＫ/ＮＡＣＫを送信し、
方式３：
前記決定ユニットは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
前記送信ユニットは、決定されたアップリンクビームにより、同一のＰＵＣＣＨにおいて、前記複数のＰＤＣＣＨと関連するＡＣＫ/ＮＡＣＫを送信し、
および/または、
前記決定ユニットは、複数のダウンリンクビームと複数のアップリンクビームが複数のグループに分割され、同じグループのダウンリンクビームを使用するＰＤＣＣＨの指示シグナリングが同じグループのアップリンクビームを示す場合、
同じグループのダウンリンクビームを使用して受信されたＰＤＣＣＨの指示シグナリングの指示内容が同じであると判断し、
前記送信ユニットは、ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
前記送信ユニットは、ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じであることを特徴とする請求項１８に記載のユーザー機器。
【請求項２１】
前記決定ユニットは、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとし、
および/または、
前記決定ユニットは、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループであることを特徴とする請求項２０に記載のユーザー機器。
【請求項２２】
指示シグナリングを送信するように構成された送信ユニットであって、前記指示シグナリングは、ＰＵＣＣＨ送信で使用されるアップリンクビームを決定するために端末によって使用される前記送信ユニットと、
前記指示シグナリングに基づいて決定されたアップリンクビームに従って、前記端末がＰＵＣＣＨを送信することを決定するように構成された決定ユニットとを備えることを特徴とする装置。
【請求項２３】
前記指示シグナリングによって、ビームペアリンケージ（Ｂｅａｍ  Ｐａｉｒ  Ｌｉｎｋａｇｅ，ＢＰＬ）を示し、前記ＢＰＬは、ＰＵＣＣＨ送信で使用されるアップリンクビームまたは前記ＰＵＣＣＨの復調基準信号（ＤＭＲＳ）ポートと第１の基準信号のリソース上のポートとの間の準コロケーション（ＱＣＬ）関係を決定するように構成され、
前記決定ユニットは、前記端末が前記ＢＰＬに対応するアップリンクビームによりＰＵＣＣＨ送信を実行すると決定し、または、前記端末が、前記ＢＰＬに基づいて前記ＰＵＣＣＨの復調基準信号（ＤＭＲＳ）ポートと第１の基準信号のリソース上のポートとの間のＱＣＬ関係を決定し、前記ＱＣＬ関係によりＰＵＣＣＨ送信を実行と、決定し、
または、
前記指示シグナリングは、ＰＵＣＣＨ送信のアップリンクビームをマークするためのビームインデックス（ｂｅａｍ ｉｎｄｅｘ）を指示し、
前記決定ユニットは、前記端末が、前記ビームインデックスに対応するアップリンクビームによりＰＵＣＣＨ送信を実行すると決定し、
または、
前記指示シグナリングにより、ＰＵＣＣＨのＤＭＲＳポートと、第１の基準信号のリソース上のすべてのポートまたは指定されたポートとの間のＱＣＬ関係を、示し、
前記決定ユニットは、前記端末が、前記ＱＣＬ関係によりＰＵＣＣＨ送信を実行すると決定することを特徴とする請求項２２に記載の装置。
【請求項２４】
前記決定ユニットは、
前記指示シグナリングにより事前設定された複数の第１の基準信号リソースの中の１つの第１の基準信号リソースを示すとき、前記端末が、ＰＵＣＣＨのＤＭＲＳポートと前記１つの第１の基準信号リソース上のポートとの間のＱＣＬ関係に基づいて、ＰＵＣＣＨ送信を実行すると決定し、
または、
前記指示シグナリングにより事前設定された複数の第１の基準信号リソースの中の１つの第１の基準信号リソース上の少なくとも１つのポートを示すとき、前記端末が、ＰＵＣＣＨのＤＭＲＳポートと前記１つの第１の基準信号リソース上の前記少なくとも１つのポートとの間のＱＣＬ関係に基づいて、ＰＵＣＣＨ送信を実行すると決定することを特徴とする請求項２３に記載の装置。
【請求項２５】
前記送信ユニットは以下手法の１つを実行するように構成され、
手法４：
高位層シグナリングにより前記指示シグナリングを送信し、
手法５：
ＰＤＣＣＨにより前記指示シグナリングを送信し、
手法６：
高位層シグナリングにより、１つのダウンリンクメインビームを事前に設定し、端末がダウンリンクメインビームに基づいて１つのアップリンクメインビームを決定し、ＰＵＣＣＨ送信で使用されるアップリンクビームとしてアップリンクメインビームを取ることを決定し、
手法７：
高位層シグナリングにより、１つのメインビームペアを事前設定し、前記メインビームペアは、１つのアップリンクメインビームおよび１つのダウンリンクメインビームを含み、確定前記端末が前記１つのメインビームペアのアップリンクメインビームをＰＵＣＣＨ送信で使用されるアップリンクビームとして使用することを決定し、
手法８：
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨを受信する場合、前記第１のビームグループに対応する第１のアップリンクメインビームを使用してＰＵＣＣＨ送信を実行することを決定し、前記ＰＵＣＣＨは、少なくとも第１のビームグループ内のダウンリンクビームを使用して送信されたＰＤＣＣＨおよび／またはＰＤＳＣＨに関連するＡＣＫ/ＮＡＣＫを運び、
手法９：
高位層シグナリングにより、複数のビームグループを事前に設定し、ここで、各ビームグループは１つのアップリンクメインビームに対応し、ビームグループは１つ以上のダウンリンクビームを含み、前記端末が、第１のビームグループ内のダウンリンクビームを使用して送信されたＰＤＣＣＨおよび／またはＰＤＳＣＨ、および第２のビームグループ内のダウンリンクビームを使用して送信されたＰＤＣＣＨおよび／またはＰＤＳＣＨを受信する場合、前記第２のビームグループ内のダウンリンクビームを使用して送信されたＰＤＣＣＨおよび／またはＰＤＳＣＨと関連するＡＣＫ/ＮＡＣＫおよび前記第１のビームグループ内のダウンリンクビームを使用して送信されたＰＤＣＣＨおよび／またはＰＤＳＣＨと関連するＡＣＫ/ＮＡＣＫが同時に送信されることを決定すると、
前記第１のビームグループに対応する第１のアップリンクメインビームを使用して、前記第１のビームグループ内のビームを使用して送信されたＰＤＣＣＨおよび／またはＰＤＳＣＨと関連するＡＣＫ/ＮＡＣＫを運ぶＰＵＣＣＨを送信し、または、前記第２のビームグループに対応する第２のアップリンクメインビームを使用して、前記第２のビームグループ内のビームを使用して送信されたＰＤＣＣＨおよび／またはＰＤＳＣＨと関連するＡＣＫ/ＮＡＣＫを運ぶＰＵＣＣＨを送信し、
または、
前記第１のビームグループに対応する第１のアップリンクメインビームを使用して、同一のＰＵＣＣＨにおいて、前記第１のビームグループ内のビームを使用して送信されたＰＤＣＣＨおよび／またはＰＤＳＣＨと関連するＡＣＫ/ＮＡＣＫ、および前記第２のビームグループ内のビームを使用して送信されたＰＤＣＣＨおよび／またはＰＤＳＣＨと関連するＡＣＫ/ＮＡＣＫを送信し、
手法１０
高位層シグナリングにより、複数のビームグループを事前に設定し、ここで、各ビームグループは１つのアップリンクメインビームに対応し、ビームグループは１つ以上のダウンリンクビームを含み、前記端末が、第２のビームグループ内のダウンリンクビームを使用して送信されたＰＤＣＣＨおよび／またはＰＤＳＣＨのみを受信する場合、前記第２のビームグループに対応する第２のアップリンクメインビームを使用してＰＵＣＣＨ送信を実行し、または、前記第１のビームグループに対応する第１のアップリンクメインビームを使用してＰＵＣＣＨ送信を実行することを決定し、
ここで、前記ＰＵＣＣＨは、第２のビームグループ内のダウンリンクビームを使用して送信されたＰＤＣＣＨおよび／またはＰＤＳＣＨと関連するＡＣＫ/ＮＡＣＫを運ぶことを特徴とする請求項２２から請求項２４のいずれか１項に記載の装置。
【請求項２６】
前記決定ユニットは、前記高位層シグナリングにより１つのみのアップリンクビームを示すとき、前記端末が前記高位層シグナリンングによって通知された１つのアップリンクビームＰＵＣＣＨ送信を実行すると決定し、
または、
前記送信ユニットは、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリンングによって通知された複数のビームの中の第１のアップリンクビームに対応するとき、
前記第１のアップリンクビームを使用してＰＵＣＣＨ送信を実行し、前記ＰＵＣＣＨは、前記ダウンリンクビーム−ｘを使用するＰＤＣＣＨおよび／またはＰＤＳＣＨに関連する肯定応答ＡＣＫ/非肯定応答ＮＡＣＫを少なくとも運び、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｘを使用する物理ダウンリンク制御チャネル（ＰＤＣＣＨ）および／または物理ダウンリンク共有チャネル（ＰＤＳＣＨ）を受信すると決定し、前記ダウンリンクビーム−ｘが前記高位層シグナリンングによって通知された複数のビームの中の第１のアップリンクビームに対応し、ダウンリンクビーム−ｙを使用するＰＤＣＣＨおよび／またはＰＤＳＣＨを受信し、前記ダウンリンクビーム−ｙを使用するＰＤＣＣＨおよび／またはＰＤＳＣＨと関連するＡＣＫ/ＮＡＣＫおよび前記ダウンリンクビーム−ｘを使用するＰＤＣＣＨおよび／またはＰＤＳＣＨと関連するＡＣＫ/ＮＡＣＫが同時に送信される必要があり、前記ダウンリンクビーム−ｙが前記高位層シグナリンングによって通知された複数のアップリンクビームの中の第２のアップリンクビームに対応すると、
前記第１のアップリンクビームを使用して次の操作を実行する：前記ダウンリンクビーム−ｘを使用するＰＤＣＣＨおよび／またはＰＤＳＣＨと関連するＡＣＫ/ＮＡＣＫを運ぶためのＰＵＣＣＨを送信し、および前記第２のアップリンクビームを使用して次の操作を実行する：前記ダウンリンクビーム−ｙを使用するＰＤＣＣＨおよび／またはＰＤＳＣＨと関連するＡＣＫ/ＮＡＣＫを運ぶＰＵＣＣＨを送信し、または、
前記第１のアップリンクビームを使用して次の操作を実行する：同一のＰＵＣＣＨにおいて、前記ダウンリンクビーム−ｘを使用するＰＤＣＣＨおよび／またはＰＤＳＣＨと関連するＡＣＫ/ＮＡＣＫを送信し、および、前記ダウンリンクビーム−ｙを使用するＰＤＣＣＨおよび／またはＰＤＳＣＨと関連するＡＣＫ/ＮＡＣＫを送信し、
または、
前記高位層シグナリングにより複数のアップリンクビームを通知し、ここで、各アップリンクビームは、１つのダウンリンクビームまたはダウンリンクビームの１つのグループに対応し、前記端末がダウンリンクビーム−ｙを使用するＰＤＣＣＨおよび／またはＰＤＳＣＨのみを受信すると決定し、前記ダウンリンクビーム−ｙが前記高位層シグナリングによって通知された複数のアップリンクビームの中の第２のアップリンクビームに対応すると、
前記第２のアップリンクビームを使用してＰＵＣＣＨ送信を実行し、または、
前記第１のアップリンクビームを使用してＰＵＣＣＨ送信を実行し、前記第１のアップリンクビームが前記第２のアップリンクビームと異なり、
ここで、前記ＰＵＣＣＨは、前記ダウンリンクビーム−ｙを使用するＰＤＣＣＨおよび／またはＰＤＳＣＨと関連するＡＣＫ/ＮＡＣＫを運ぶことを特徴とする請求項２５に記載の装置。
【請求項２７】
前記端末が複数の前記ＰＤＣＣＨを受信すると決定し、複数の前記ＰＤＣＣＨと関連するＡＣＫ/ＮＡＣＫフィードバッが同時に送信される場合、以下の方式のいずれかまたは組み合わせが使用される：
方式１：
前記決定ユニットは、前記複数のＰＤＣＣＨの指示シグナリングに基づいて決定されたアップリンクビームを、ＰＵＣＣＨ送信で使用されるアップリンクビームとし、ここで、前記複数のＰＤＣＣＨよって受信された各指示シグナリングの指示内容が同じであり、
前記送信ユニットは、決定されたアップリンクビームにより、同一のＰＵＣＣＨにおいて、前記複数のＰＤＣＣＨと関連するＡＣＫ/ＮＡＣＫを送信し、
方式２：
前記決定ユニットは、前記複数のＰＤＣＣＨよって受信された各指示シグナリングに基づいて少なくとも１つのアップリンクビームを決定し、ＰＵＣＣＨ送信で使用されるアップリンクビームとして前記少なくとも１つのアップリンクビームから１つのアップリンクビームを選択し、
前記送信ユニットは、決定されたアップリンクビームにより、同一のＰＵＣＣＨにおいて、前記複数のＰＤＣＣＨと関連するＡＣＫ/ＮＡＣＫを送信し、
方式３：
前記決定ユニットは、前記複数のＰＤＣＣＨから１つのＰＤＣＣＨを選択し、選択された１つのＰＤＣＣＨから受信した指示シグナリングに基づいて、ＰＵＣＣＨ送信で使用されるアップリンクビームを決定し、
前記送信ユニットは、決定されたアップリンクビームにより、同一のＰＵＣＣＨにおいて、前記複数のＰＤＣＣＨと関連するＡＣＫ/ＮＡＣＫを送信し、
および/または、
複数のダウンリンクビームと複数のアップリンクビームが複数のグループに分割され、同じグループのダウンリンクビームを使用するＰＤＣＣＨの指示シグナリングが同じグループのアップリンクビームを示す場合、前記決定ユニットは、
同じグループのダウンリンクビームを使用して受信されたＰＤＣＣＨの指示シグナリングの指示内容が同じであると判断し、
前記送信ユニットは、ダウンリンクビーム−ｘを使用するＰＤＣＣＨの指示シグナリングに基づいて決定された第１のアップリンクビームを使用して、前記ダウンリンクビーム−ｘを使用するＰＤＣＣＨと関連するＡＣＫ/ＮＡＣＫを運ぶＰＵＣＣＨを送信し、ここで、ダウンリンクビーム−ｘと第１のアップリンクビームは同じグループに属し、
前記送信ユニットは、ダウンリンクビーム−ｙを使用するＰＤＣＣＨの指示シグナリングに基づいて決定された第２のアップリンクビームを使用して、前記ダウンリンクビーム−ｙを使用するＰＤＣＣＨと関連するＡＣＫ/ＮＡＣＫを運ぶＰＵＣＣＨを送信し、ここで、ダウンリンクビーム−ｙと第２のアップリンクビームは同じグループに属し、
ここで、同じグループのダウンリンクビームを使用して受信されたＰＤＣＣＨの指示シグナリングの指示内容が同じであることを特徴とする請求項２５に記載の装置。
【請求項２８】
前記決定ユニットは、
事前設定されたまたは指定されたアップリンクビーム優先レベルまたはセル（ｃｅｌｌ）優先レベルに基づいて、ＰＵＣＣＨ送信で使用されるアップリンクビーム前記少なくとも１つのアップリンクビームから１つのアップリンクビームを選択し、
または、
前記少なくとも１つのアップリンクビームに事前設定されたまたは指定されたアップリンクメインビームが含まれるとき、ＰＵＣＣＨ送信で使用されるアップリンクビームとして前記アップリンクメインビームを決定し、および
前記少なくとも１つのアップリンクビームに前記アップリンクメインビームが含まれていないとき、ＰＵＣＣＨ送信で使用されるアップリンクビームとして前記少なくとも１つのビーム内の指定された番号が付けられた補助ビームを決定し、
ここで、アップリンクメインビームは事前設定されたまたは指定されたビームであり、
または、
前記少なくとも１つのアップリンクビームに事前設定されたまたは指定されたメインセルに対応するアップリンクビームが含まれるとき、前記メインセルに対応するアップリンクビームをＰＵＣＣＨ送信で使用されるアップリンクビームとし、および
前記少なくとも１つのアップリンクビームに前記メインセルに対応するアップリンクビームが含まれていないとき、補助セルに対応するアップリンクビームをＰＵＣＣＨ送信で使用されるアップリンクビームとし、
および/または、
前記決定ユニットは、
事前設定されたまたは指定されたダウンリンクビーム優先レベル、ダウンリンクビームグループ優先レベルまたはセル優先レベルに基づいて、前記複数のＰＤＣＣＨから優先レベルが最高の１つのＰＤＣＣＨを選択し、選択された１つのＰＤＣＣＨから受信した指示シグナリングに基づいて、ＰＵＣＣＨ送信で使用されるアップリンクビームを決定し、
または、
ダウンリンクメインビームを使用して送信されたＰＤＣＣＨの指示シグナリングに基づいて、ＰＵＣＣＨ送信で使用されるアップリンクビームを決定し、および／または、メインセルにおいて受信されたＰＤＣＣＨの指示シグナリングに基づいて、ＰＵＣＣＨ送信で使用されるアップリンクビームを決定し、
および、
ダウンリンクメインビームを使用して送信されたＰＤＣＣＨが受信されない場合、または、メインセルにおいてＰＤＣＣＨが受信されない場合、受信された指定番号が付けられたウンリンク補助ビームを使用するＰＤＣＣＨの指示シグナリングに基づいて、ＰＵＣＣＨ送信で使用されるアップリンクビームを決定し、および／または、指定番号が付けられた補助セルにおいて受信されたＰＤＣＣＨの指示シグナリングに基づいて、ＰＵＣＣＨ送信で使用されるアップリンクビームを決定し、
ここで、ダウンリンクメインビーム、メインセルは、事前設定されたまたは指定されたセルであり、
または、
ダウンリンクメインビームグループ内の少なくとも１つのダウンリンクビームを使用して送信されたＰＤＣＣＨの指示シグナリングに基づいて、ＰＵＣＣＨ送信で使用されるアップリンクビームを決定し、および
ダウンリンクメインビームグループ内のいずれか１つのダウンリンクビームを使用するＰＤＣＣＨが受信されない場合、補助ビームグループ内のダウンリンクビームを使用して送信されたＰＤＣＣＨの指示シグナリングに基づいて、ＰＵＣＣＨ送信で使用されるビームを決定し、ここで、１つのビームグループに複数のダウンリンクビームが含まれると、同一のダウンリンクビームグループ内のＡＣＫ/ＮＡＣＫフィードバックを同時に実行する必要がある複数のＰＤＣＣＨの指示シグナリングによって示される内容は同じであり、
ここで、ダウンリンクメインビームグループは、事前設定されたまたは指定されたグループであることを特徴とする請求項２５に記載の装置。
【国際調査報告】
2020530718.tif 000009
2020530718.tif 000010
2020530718.tif 000011
2020530718.tif 000012